(57)【要約】      （修正有）【課題】データの有効利用により、サービスの無料化、肌状態測定装置の低価格化を可能にする肌状態測定分析情報管理システムおよび肌状態測定分析情報管理方法を提供する。【解決手段】肌状態測定分析情報管理システムにおいて、データ管理サーバ５は、ユーザーデータ用データベースとして、顧客個人情報管理データベース５ａ、ケアエステデータベース５ｃ、使用化粧品履歴データベース５ｄ、お手入れカルテデータベース５ｏを備える。さらに、測定データ用データベースとして、肌履歴データベース５ｂ、詳細診断結果データベース５ｅを備える。また、データ分析用データベースとして肌基準値データベース５ｇを備える。なおかつ、契約者用データベースとして、データ二次利用者アクセス権管理データベース５ｈを備える。【選択図】図５
2020102250.tif 000002
【特許請求の範囲】
【請求項１】
ユーザーにより使用される肌状態測定装置とデータの送信および／または受信を行うとともに、ネットワークを介してデータの送受信を行う送受信手段を備えた複数のユーザークライアントを備え、
前記ユーザークライアントは、
前記ユーザーが使用する化粧品を特定可能にする化粧品特定情報を入力可能とする化粧品特定情報入力手段を備えることを特徴とする肌状態ケアシステム。
【請求項２】
前記化粧品特定情報入力手段は、カメラによるバーコードの読み取りに基づく前記化粧品特定情報の入力が可能であることを特徴とする請求項１に記載の肌状態ケアシステム。
【請求項３】
前記ユーザークライアントは、
前記肌状態測定装置により測定された前記ユーザーの測定データを分析することにより得られる分析結果データを表示する表示手段を備え、
前記化粧品特定情報入力手段は、カメラによるバーコードの読み取りに基づく前記化粧品特定情報の入力と、キーワード入力による前記化粧品特定情報の入力とが可能であることを特徴とする請求項１に記載の肌状態ケアシステム。
【請求項４】
前記表示手段は、前記カメラによるバーコードの読み取りに基づく前記化粧品特定情報の入力を行うか、キーワード入力による前記化粧品特定情報の入力を行うかを、ユーザーに選択させる画面を表示することを特徴とする請求項３に記載の肌状態ケアシステム。
【請求項５】
前記肌状態測定装置は、前記カメラを備え、
前記ユーザークライアントは、前記カメラを内蔵し、
前記測定データは、前記カメラにより撮影された画像データであることを特徴とする請求項３または４に記載の肌状態ケアシステム。
【請求項６】
ユーザーにより使用される肌状態測定装置とデータの送信および／または受信を行う送受信手段と、
前記ユーザーが使用する化粧品を特定可能にする化粧品特定情報を入力可能とする化粧品特定情報入力手段と、を備えることを特徴とするユーザークライアント
【請求項７】
前記化粧品特定情報入力手段は、カメラによるバーコードの読み取りに基づく前記化粧品特定情報の入力が可能であることを特徴とする請求項６に記載のユーザークライアント。
【請求項８】
前記肌状態測定装置により測定された前記ユーザーの測定データを分析することにより得られる分析結果データを表示する表示手段を備え、
前記化粧品特定情報入力手段は、カメラによるバーコードの読み取りに基づく前記化粧品特定情報の入力と、キーワード入力による前記化粧品特定情報の入力とが可能であることを特徴とする請求項６に記載のユーザークライアント。
【請求項９】
前記表示手段は、前記カメラによるバーコードの読み取りに基づく前記化粧品特定情報の入力を行うか、キーワード入力による前記化粧品特定情報の入力を行うかを、ユーザーに選択させる画面を表示することを特徴とする請求項８に記載のユーザークライアント。
【請求項１０】
前記カメラを内蔵し、
前記測定データは、前記肌状態測定装置の備える前記カメラにより撮影された画像データであることを特徴とする請求項８または９に記載のユーザークライアント。
【請求項１１】
ユーザーにより使用される肌状態測定装置とデータの送信および／または受信を行うとともに、ネットワークを介してデータの送受信を行う送受信手段を備えた複数のユーザークライアントを備える肌状態ケアシステムにおける肌状態ケア方法であって、
前記ユーザークライアントは、前記ユーザーが使用する化粧品を特定可能にする化粧品特定情報を入力可能とする化粧品特定情報入力手段を備え、
前記化粧品特定情報入力手段は、前記化粧品特定情報を入力するステップを実行することを特徴とする肌状態ケア方法。
【請求項１２】
前記化粧品特定情報入力手段は、カメラによるバーコードの読み取りに基づいて前記化粧品特定情報を入力するステップを実行することを特徴とする請求項１１に記載の肌状態ケア方法。
【請求項１３】
前記ユーザークライアントは、
前記肌状態測定装置により測定された前記ユーザーの測定データを分析することにより得られる分析結果データを表示する表示手段を備え、
前記化粧品特定情報入力手段は、
カメラによるバーコードの読み取りに基づいて前記化粧品特定情報を入力するステップと、
キーワード入力に基づいて前記化粧品特定情報を入力するステップと、を実行することを特徴とする請求項１１に記載の肌状態ケア方法。
【請求項１４】
前記表示手段は、前記カメラによるバーコードの読み取りに基づく前記化粧品特定情報の入力を行うか、キーワード入力による前記化粧品特定情報の入力を行うかを、ユーザーに選択させる画面を表示するステップを実行することを特徴とする請求項１３に記載の肌状態ケア方法。
【発明の詳細な説明】
【技術分野】
【０００１】
本発明は、例えば、スマートフォンや携帯電話やタブレット等の主に無線によりネットワークに接続可能な携帯クライアント（携帯端末）に、肌測定機装置を接続し、ネットワークを介してデータを送受することにより、肌の状態の測定と測定結果の分析とを行うとともに、測定結果や分析結果のデータ（測定データ、分析結果データ）を管理する肌状態測定分析情報管理システムおよび肌状態測定分析情報管理方法に関する。
【背景技術】
【０００２】
一般に、スキンケア用の化粧品や美容器具（スキンケア装置：ケアエステ装置）の販売において、例えば、肌の状態を知るために、肌用のカメラを用いて肌を拡大して撮影し、肌の状態を把握してから、肌の状態に対応するスキンケア用の化粧品、洗顔用品等やスキンケア用の器具を販売することが行われている。この場合に、肌の表面を拡大して撮影する肌状態測定装置（肌状態測定手段：肌用カメラ）だけではなく、例えば、肌の水分量を測定する測定機器などの各種の肌用測定機器が用いられる場合があり、肌の拡大画像から肌の状態を判定したり、肌の水分量から肌の状態を判定したりしている。
【０００３】
この場合に、肌の状態の測定に肌用測定機器が設置され、かつ、測定結果から肌の状態を判定でき、肌の状態からスキンケア方法をアドバイスできる店員がいる店舗に行く必要があった。しかし、店舗まで行くのが煩わしかったり、店舗に行って上述のようなサービスを受けた後に商品の購入を勧められるのが煩わしかったりすることから、定期的に肌の状態を確認するようなことがし難かった。
【０００４】
そこで、携帯電話、スマートフォン、タブレット等の無線電話回線やその他の無線通信回線を介してインターネットにアクセス可能な携帯無線端末に、周辺機器としての肌状態測定装置を接続する。もしくは、携帯無線端末に設けられたカメラ等の内臓機器を肌状態測定装置の少なくとも一部として用いる。そして、肌状態測定装置の測定結果であるデータを、携帯無線端末を使って、測定結果から肌の状態を分析してくれる業者のサーバに送信することにより、化粧品販売の店舗に行かなくても肌の状態を分析することができるシステムが提案されている（例えば、特許文献１〜５参照）。この場合に、測定データを受け取ったサーバでは、例えば、測定結果の分析を自動で行ったり、測定データを表示させてオペレータに分析結果を入力させたりすることになる。
【０００５】
この場合に肌状態測定装置の購入等が必要になるが、このような肌測定用システムを用いることで、ユーザーに負担をかけることなく、比較的短い期間で定期的に肌測定を行うことが可能になる。
【先行技術文献】
【特許文献】
【０００６】
【特許文献１】特開２００５−１４８７９７号公報
【特許文献２】特開２００４−３５４２０７号公報
【特許文献３】特開２００５−５６１６５号公報
【特許文献４】特開２００２−１５０６８号公報
【特許文献５】特開２００２−３６６６５１号公報
【発明の概要】
【発明が解決しようとする課題】
【０００７】
ところで、ユーザーは、無線携帯端末に内蔵されたカメラを使うのでなければ、基本的に肌用カメラ等の肌状態測定装置を購入する必要がある。さらに、ユーザーは、測定結果を分析してもらうために、課金される場合があり、定期的に肌の状態を知るには敷居が高いものとなる恐れがある。
【０００８】
一方、測定データが送られてくるサーバ側では、例えば、測定データやその分析結果等を蓄積可能である。また、測定データの分析にあたっては、サービスを提供する会社に対して、会員登録を必要とする場合があり、会員登録の際に、氏名、住所、電話番号、メールアドレス、生年月日、性別等の個人情報の入力を求めたり、アンケートへの協力をお願いしたりする場合がある。
【０００９】
この場合に、ユーザーが増えれば、肌の測定結果、測定結果の分析結等のデータや、これらデータに関連づけられて、会員登録時のデータやアンケートのデータによる年齢、性別、居住地域といった情報が蓄積される。
【００１０】
この蓄積されたデータのデータ量が多くなれば、これらデータを分析して、新たなスキンケア商品の開発に利用可能であるが、現状では、肌測定結果を送信してもらうことにより、蓄積されるデータの有効利用が十分に図られていない。
【００１１】
また、肌の状態とスキンケア用の化粧品（洗顔関係を含む）との関係を考えた場合に、ユーザーは、自分が使っている肌ケア用の化粧品と、肌の状態の変化との関係、すなわち、現在自分が使っている肌ケア用の化粧品が、自分の肌状態の改善に効果があるのか否かを知りたいと思っている。すなわち、今使っている化粧品は自分の肌に合っているか否かや、もっと自分の肌に合う化粧品がないかを知りたがっている。しかし、上述の化粧品会社の店舗等での肌診断では、その化粧品会社の商品である化粧品の情報しか得ることができない。
【００１２】
化粧品会社側から見た場合に、上述のように店舗で肌用測定機器を用いてユーザーの肌の状態の情報を得ることができる。この場合に店員によるユーザーへの質問やアンケート等により顧客の情報、例えば、顧客の住所、名前等の個人情報や、使用している化粧品やその他の肌に影響を与える要素の情報を得ることができる。また、ユーザーが自社商品を使用している場合に、自社商品の使用した場合の肌への影響等のデータを得ることができる。しかし、店舗等で肌の状態の測定等を行うことなく、例えば、化粧品会社の販売系統に含まれない販売店や通販等で化粧品を購入するユーザー層の肌の状態等のデータを得ることができないといった問題があった。また、他社製品を使用した場合の肌に与える影響等の情報を得ることも難しかった。
【００１３】
現在、国内だけでも多くの化粧品メーカー（ここでメーカーと言った場合に販売会社も含むものとする）があるとともに、他業種からの新規参入もあり、また、海外の化粧品を利用するユーザーもおり、多数の化粧品が出回っている。これらの中からユーザーは、自分に合った化粧品を選択する必要があり、化粧品を使った場合に、ある程度効果があるか否か簡便に判断できることが望まれている。
【００１４】
また、化粧品会社は、例えば、肌の状態として各肌タイプのユーザーにどのような成分を有する化粧品が効果があるのかや、各肌タイプのユーザーがどのような化粧品を好むのかなど、各ユーザーのデータを得られた場合に、商品戦略上有利になれる。商品開発において、行われる治験の情報量には限界があり、自社商品の販売後に多くのユーザーからフィードバックされるデータを得られれば、次の商品開発に有効利用することができ、さらに他社製品の情報が得られれば、さらに有効利用可能である。したがって、化粧品会社であるメーカーは、発売後の化粧品を使用したユーザーのデータが得られることが望まれている。
【００１５】
本発明は、上記事情に鑑みてなされたものであり、肌状態測定装置をユーザクライアント（スマートフォン）に接続し、肌状態測定装置による測定データを分析するサービスを提供する会社のサーバに送信して測定データの分析結果を得られる場合に、受信される測定データ等のデータの有効利用により、サービスの無料化、肌状態測定装置の低価格化を可能にする肌状態測定分析情報管理システムおよび肌状態測定分析情報管理方法を提供することを目的とする。
【課題を解決するための手段】
【００１６】
本発明の肌状態測定分析情報管理システムは、肌の状態を測定する肌状態測定装置と、
前記肌状態測定装置のユーザーに使用され、かつ、前記肌状態測定装置とデータの送受信が行えるように接続されるとともに、ネットワークに接続してデータの送受信を行うユーザークライアントと、
前記ユーザークライアントに対して前記ネットワークを介してデータの送受信が可能にされているデータ管理サーバと、
前記肌状態測定装置により測定された測定データを分析することにより得られる肌状態の分析結果データが入力され、当該分析結果データを前記ユーザークライアントで表示可能に出力するとともに、前記分析結果データを前記データ管理サーバで記憶可能に出力する分析結果出力手段と、
前記データ管理サーバからデータを取得する契約に基づいて、前記データ管理サーバに対してデータの送受信を行う契約者クライアントと、
を備え、
前記ユーザークライアントは、前記データ管理サーバからの要求に基づいて、前記ユーザーにより入力されるとともに前記ユーザーの個人情報を含み、かつ、各ユーザー毎に重複の無い一意の顧客ＩＤを含むユーザーデータを前記データ管理サーバに送信するユーザーデータ送信手段と、
前記肌状態測定装置により測定された測定データが当該肌状態測定装置から入力された場合に、入力された前記測定データおよび前記顧客ＩＤを前記データ管理サーバに送信する測定データ送信手段と、
前記測定データに対する分析結果データが前記分析結果出力手段から入力された場合に前記分析結果データを表示する分析結果表示手段とを備え、
前記データ管理サーバは、複数の各ユーザークライアントから受信した前記顧客ＩＤを含むユーザーデータが登録されるユーザーデータ用データベースと、
前記ユーザークライアントから受信した前記測定データ、前記分析結果出力手段から入力された分析結果データ、前記ユーザーデータのうちの所定の個人情報を除いた付帯データおよび前記顧客ＩＤが互いに関連付けられて登録されるとともに、少なくとも前記測定データおよび前記分析結果データが、これらデータの取得時期に基づく履歴として登録される測定データ用データベースと、
前記契約者毎に設定された契約者１Ｄが登録された契約者用データベースと、
前記契約者クライアントから前記測定データ用データベースに登録されたデータの取得を要求された場合に、前記契約者クライアントから入力される契約者ＩＤを前記契約者用データベースで照合し、前記測定データ用データベースに登録されたデータを契約者クライアントに送信するデータ提供手段とを備え、
前記契約者クライアントは、前記契約者ＩＤを送信するとともに、前記データ管理サーバに前記測定データ用データベースに登録されたデータを要求するデータ要求手段と、
前記データ要求手段の要求に基づいて前記データ管理サーバから送信されたデータを受信して記憶する受信記憶手段とを備えることを特徴とする。
【００１７】
このような構成によれば、肌状態測定装置により測定された肌の状態の測定データがユーザー携帯端末によりネットワークを介してデータ管理サーバに送信されることになる。
この際に、ユーザーは、例えば、顧客ＩＤを設定しておく必要があり、データ管理サーバからの要求にしたがって各種データの入力を行う。この際に例えばユーザーデータである所定の個人情報として、氏名、住所、各種電話番号、メールアドレス等を入力するものとしてもよい。
【００１８】
また、肌状態測定分析情報管理システムにおいて商品やサービスの購入を可能にする場合に、所定の個人情報として決済用にクレジットカードの情報を含んでもよい。また、アンケート等としてデータ管理サーバからの要求に基づいて、使用している化粧品、スキンケア用品、サプリメント等の情報をユーザーデータとして任意に入力させるものとしてもよい。
データ管理サーバでは、ユーザークライアントからユーザーデータが入力された場合にユーザーデータ用データベースに登録する。ユーザーデータ用データベースでは、顧客ＩＤによりユーザーデータが検索可能になる。
【００１９】
また、ユーザークライアントは、例えば、ユーザーの操作に基づいて接続される肌状態測定装置により肌状態の測定を行い、測定データが得られた後に、この測定データを顧客ＩＤとともに、データ管理サーバに送る。
【００２０】
測定データに基づいて得られた分析結果データは、分析結果出力手段に入力され、分析結果出力手段から例えば、データ管理サーバを介するかメール等により、ユーザークライアントに送信され、ユーザークライアントで分析結果データを見ることができる。なお、分析結果は、測定データを周知の各種肌分析手法を用いることにより得ることが可能である。
また、測定データ、分析結果データおよびユーザーデータから所定の個人情報を除いた付帯データが顧客ＩＤに関連付けられて測定データ用データベースに登録される。
【００２１】
ユーザーデータから所定の個人情報を除く付帯データにおいて、所定の個人情報とは、基本的に個人が特定される可能性があるものであり、例えば、氏名、住所、電話番号、メールアドレス、クレジットカードの情報などである。ユーザーデータから所定の個人情報を除いた付帯データは、例えば、使用している化粧品、スキンケア用剤（ボディオイル、入浴剤等）、スキンケア用機器（エステティック用機器）や、定期摂取しているサプリメントなどのアンケートに対する回答のデータや、個人情報を改変して個人を特定できないようにしたデータとして居住地域（大まかな住所として、例えば、県や市など）、大まかな年齢（例えば、１０代、２０代、３０代等）などや、測定に際して得ることのできるデータとして測定日時などである。
【００２２】
ここで、ユーザーは、例えば、繰り返し肌状態の測定と分析を行うことが可能であり、例えば、測定データの測定日時、データ管理サーバでの受信日時などにより、時系列として測定データおよび分析結果データを測定データ用データベースから読み出せるようになっている。
【００２３】
例えば、肌状態の測定データの分析を無料とすることなどにより、多くのユーザーに肌状態の測定データの分析サービスを利用してもらうことで、測定データ用データベースには、多くのユーザーの測定データが蓄積されるとともに、各ユーザーが繰り返し分析サービスを利用してもうらことで、時系列となった測定データを得られる可能性がある。
【００２４】
この場合に、例えば、各種化粧品や、スキンケア用品を開発しているメーカーでは、測定データ用サーバに蓄積された肌状態の測定データを商品開発や肌の研究等に利用することが可能になる。また、測定データ用サーバには、ユーザーが入力したユーザーデータのうちの所定の個人情報を除いた付帯データが顧客ＩＤを介して測定データに関連付けられるようになっている。ここで、ユーザーデータの入力の際に、データ管理サーバ側から要求して、例えば、使用している化粧品、スキンケア用品等をユーザーに入力してもらえれば、測定データだけの場合に比較してより有用なデータが得られる。
【００２５】
この発明では、契約により測定データ、分析結果データ、付帯データの閲覧が可能になる。この際に、契約に基づいて各契約者の契約者ＩＤ毎に、閲覧可能な付帯データの種類が決められるものとしてもよい。契約者用データベースには、契約者ＩＤに関連付けて各契約者ＩＤに対応する契約者クライアントから閲覧可能な付帯データの種類を登録しておくものとしてもよい。これにより、契約者クライアントの契約者ＩＤを照合する際に、当該契約者クライアントで閲覧可能な付帯データの種類をセットし、契約者ＩＤに牽連付けられた種類の付帯データだけを契約者クライアントから閲覧可能にすることができる。
この場合に、契約時に契約者が閲覧した付帯データの種類を決めることになる。この際には、付帯データの複数の種類を閲覧可能にしても良いし、全ての種類の付帯データを閲覧可能としても良い。
【００２６】
この際に、付帯データの各種類に順位をつけ、契約時に決定される閲覧レベルが高くなるほど、順位の高い付帯データが閲覧可能になるようにしてもよい。
テータ管理サーバでは、契約者クライアントからデータ閲覧の要求が契約者ＩＤとともに入力された場合に、契約者用データベースを契約者ＩＤで検索して、この契約者ＩＤに関連付けられた付帯データの種類に基づいて、その種類の付帯データと測定データと分析結果データとを契約者クライアントに送信して閲覧できるようにしてもよい。
【００２７】
例えば、契約者は、契約時に付帯データの各種類のうち必要な種類を選択してデータ管理サーバの運営者と契約する。この際には、例えば、各種類に対応する割増料金を支払う契約をする。これにより、契約者は有益な付帯データを得ることができる。
これにより、データ管理サーバの運営者（例えば、肌状態測定装置のメーカーや販売会社）は、契約者（例えば、化粧品のメーカーや販売会社等の化粧品会社や、スキンケア用品のメーカーや販売会社、エステ機器のメーカーや販売会社）との契約に際し、分析結果データ、測定データおよび付帯データの閲覧に対する対価を得ることができる。
【００２８】
この対価により、ユーザーに対して課金しなくとも、データ管理サーバの運営費用と利益を得られることになる。ユーザーへの課金をなくすことにより、肌状態測定装置の販売を促すことができるとともに、肌状態測定装置の使用による測定データの分析を促すことができる。これにより、測定データ用データベースのデータを充実することができる。これにより、分析結果データ、測定データおよびその付帯データを利用したい契約者の増加を図り、増収を図ることができる。
【００２９】
本発明の前記構成において、前記測定データ用データベースは、複数データブロックからなる前記測定データと、複数のデータブロックからなる前記分析結果データと、複数のデータブロックからなる前記付帯データとが互いに関連付けて登録されているとともに、これらデータブロックの少なくとも一部に対してそれぞれ検索項目を設定し、当該検索項目が設定された前記データブロックの前記データを当該検索項目に条件を入力することにより絞り込み、絞り込まれた当該データに関連付けられた前記データを検索可能とし、
前記契約者用データベースには、前記検索項目が複数段階にレベル分されて各検索レベル毎の検索項目として登録されるとともに、検索結果として出力可能なデータが属するデータブロックが複数段階にレベル分されて各アクセスレベル毎のデータブロックとして登録され、かつ、前記契約者ＩＤに前記検索レベルおよび前記アクセスレベルが関連付けて登録され、
前記データ管理サーバは、前記契約者クライアントに対して、前記契約者用データベースを前記契約者クライアントから入力された前記契約者ＩＤで検索して当該契約者ＩＤに関連付けられた前記検索レベルおよび前記アクセスレベルを抽出し、
かつ、抽出された前記検索レベルにレベル分けされた前記検索項目に対してだけ前記契約者クライアントから検索条件を入力して前記測定データ用データベースを検索することを許可し、かつ、前記データブロックのうちの抽出された前記アクセスレベルにレベル分された前記データブロックに属し、かつ、検索された前記データだけを、前記契約者クライアントに出力することを許可する検索制限手段と、
前記契約者クライアントに対して、前記検索制限手段により前記契約者ＩＤに基づいて抽出された前記検索レベルにレベル分された前記検索項目を、当該検索項目から検索の条件を入力する検索項目を選択可能に表示し、前記検索制限手段により前記契約者ＩＤに基づいて抽出された前記アクセスレベルにレベル分された前記データブロックを、当該ブロックから検索結果を出力するデータが属する前記データブロックを選択可能に表示させる検索表示手段とを備えることが好ましい。
【００３０】
このような構成によれば、例えば、契約者（測定データ、分析結果データの二次利用者）は、検索レベルやアクセスレベルにより、測定データ用データベースの検索項目や検索結果を出力可能なデータのデータブロックが制限されることになるが、検索レベルやアクセスレベルにより利用料が異なる場合に、契約者が必要と思われる検索レベルおよびアクセスレベルを決めて契約することにより、必要なデータを検索でき、かつ、経費を節減することができる。また、検索レベルに対応する検索項目だけが契約者クライアントに選択可能に表示されるとともに、データを得ることが可能なデータが属するデータブロックだけが選択可能に表示されるので、検索レベルに基づいて検索できない検索項目に条件を入力したり、アクセスレベルに基づいて出力できないデータの出力を要求したりすることがない。したがって、契約者は効率的に検索を行うことができる。
【００３１】
また、本発明の前記構成において、前記測定データ用データベースには、前記付帯データとして前記ユーザークライアントから入力されるとともに前記肌状態測定装置の前記ユーザーが使用している化粧品を特定可能な化粧品データが当該化粧品の使用時期に関連付けて登録され、
かつ、前記化粧品データに関連付けられた前記使用時期に対応する前記取得時期の分析結果データを当該化粧品データとともに前記契約者クライアントから検索可能になっていることが好ましい。
【００３２】
このような構成によれば、契約者クライアントは、例えば、使用している化粧品と、肌状態の分析結果データとの関係を調べることができる。例えば、ある化粧品を使用しているユーザーは、肌状態が変化してないのに、別の化粧品を使用しているユーザーは、肌状態が徐々に良好になっている等を知ることができる。すなわち、契約者としての例えば化粧品会社が、自社の製品の効能を確認したり、他社の製品の効能を調査したりすることが可能になる。
【００３３】
この場合に、ユーザー−の人数が多ければ、多くのサンプルを得ることができるので、より詳細な調査が可能になる。また、付帯データとして、年代、居住地域、化粧品の使用頻度、化粧品の使用量等が分かれば、ユーザーの状況や、化粧品の使用状況に対応する調査も可能になる。すなわち、肌状態の測定データの分析結果に加えて使用している化粧品を特定するデータｇ場合よりも、さらに商品開発等に有用なデータを得られることになる。
【００３４】
なお、分析結果データに加えて使用している化粧品対応して測定データも得られるようになっていてもよい。
また、ユーザーによって、肌状態の測定と測定データの分析が定期的、継続的に行われていることが好ましい。
【００３５】
また、本発明の前記構成において、前記測定データ用データベースには、前記分析結果データの前記取得時期に基づく前記履歴として、前記肌状態測定装置による時系列に沿った測定毎に取得されるとともに前記取得時期に関連付けて登録される前記分析結果データに加えて、前記ユーザークライアントから入力されるとともに前記肌状態測定装置の前記ユーザーが使用している化粧品を特定可能な化粧品データが当該化粧品の使用時期と前記ユーザークライアントから入力された前記顧客ＩＤとに関連付けて登録され、
前記ユーザークライアントは、前記測定データ用データベースから前記ユーザークライアントから入力された前記顧客ＩＤに関連付けられた前記分析結果データおよび前記化粧品データを、前記分析結果データの前記取得時期と、前記化粧品の前記使用時期とに対応して検索可能とされ、
かつ、検索された前記取得時期に関連付けられている前記分析結果データと、前記取得時期と同じ時期となる前記使用時期に関連付けられている前記化粧品データとを並列に表示可能とされるとともに、前記ユーザー−に選択される期間内に含まれる前記取得時期の前記分析結果データを前記取得時期の時系列に並べて表示することにより、当該分析結果データの時系列に沿った変化の経緯を認識可能な時系列表示と、前記ユーザーに選択される複数の前記取得時期の前記分析結果データを同時に表示することにより、前記取得時期による前記分析結果データの違いを比較可能な比較表示とのうちの少なくとも一方の表示が可能になっていることが好ましい。
【００３６】
このような構成よれば、ユーザーが、継続的に肌状態の測定と、それにより得られた測定データに基づく分析結果データの取得を行っている場合に、使用している化粧品を示す化粧品データと測定された肌状態を分析した分析結果データを同時に見られるとともに、時系列表示を見ることにより、選択された期間における肌状態の変化の経緯を認識することができる。すなわち、現在使用している化粧品と肌状態の経時変化を認識することができ、この化粧品を使用している間、肌状態が良好か否かや、肌状態が良くなる傾向か否かなどを判断することが可能になる。
【００３７】
また、比較表示を見ることにより、選択された複数の取得時期の分析結果を比較してみることにより、同じ化粧品を使い続けた場合の肌状態の違い等を判断することが可能となる。例えば、最新取得時期の分析結果データと、現在より任意の期間だけ前の分析結果データを見比べることにより、以前より肌状態が良い状態か否か等を判断することができる。例えば、時系列表示は、比較的短期間の肌状態の変化を判断するのに特に有効であり、比較表示は、比較的長期間の肌状態の変化を判断するのに特に有効である。
【００３８】
本発明の肌状態測定分析情報管理方法は、肌の状態を測定する肌状態測定装置と、
前記肌状態測定装置のユーザーに使用され、かつ、前記肌状態測定装置とデータの送受信が行えるように接続されるとともに、ネットワークに接続してデータの送受信を行うユーザークライアントと、
前記ユーザークライアントに対して前記ネットワークを介してデータの送受信が可能にされているデータ管理サーバと、
前記肌状態測定装置により測定された測定データを分析することにより得られる肌状態の分析結果データが入力され、当該分析結果データを前記ユーザークライアントで表示可能に出力するとともに、前記分析結果データを前記データ管理サーバで記憶可能に出力する分析結果出力手段と、
前記データ管理サーバからデータを取得する契約に基づいて、前記データ管理サーバに対してデータの送受信を行う契約者クライアントとを備える肌状態測定分析情報管理システムで行われる肌状態測定分析情報管理方法であって、
前記ユーザークライアントは、前記データ管理サーバからの要求に基づいて、ユーザーにより入力されるとともにユーザーの個人情報を含み、かつ、各ユーザー毎に重複の無い一意の顧客ＩＤを含むユーザーデータを前記データ管理サーバに送信するユーザーデータ送信ステップと、
前記肌状態測定装置により測定された測定データが当該肌状態測定装置から入力された場合に、入力された前記測定データおよび前記顧客ＩＤを前記データ管理サーバに送信する測定データ送信ステップと、
前記測定データに対する分析結果データが前記分析結果出力手段から入力された場合に前記分析結果データを表示する分析結果表示ステップとを実行し、
前記データ管理サーバは、複数の各ユーザークライアントから受信した前記顧客ＩＤを含むユーザーデータをユーザーデータ用データベースに登録するユーザーデータ登録ステップと、
前記ユーザークライアントから受信した前記測定データ、前記分析結果出力手段から入力された分析結果データ、前記ユーザーデータのうちの所定の個人情報を除いた付帯データおよび前記顧客ＩＤを互いに関連付けて測定データ用データベースに登録するとともに、登録に際し、少なくとも前記測定データおよび前記分析結果データを、これらデータの取得時期に基づく履歴として測定データ用データベースに登録する測定データ登録ステップと、
前記契約者クライアントから前記測定データ用データベースに登録されたデータの取得を要求された場合に、前記契約者クライアントから入力される契約者ＩＤを前記契約者用データベースで照合し、前記測定データ用データベースに登録されたデータを契約者クライアントに送信するデータ提供ステップとを実行し、
前記契約者クライアントは、前記契約者ＩＤを送信するとともに、前記データ管理サーバに前記測定データ用データベースに登録されたデータを要求するデータ要求ステップと、
前記データ要求手段の要求に基づいて前記データ管理サーバから送信されたデータを受信して記憶する受信記憶ステップとを実行することを特徴とする。
【００３９】
本発明の前記構成において、前記データ管理サーバは、
複数データブロックからなる前記測定データと、複数のデータブロックからなる前記分析結果データと、複数のデータブロックからなる前記付帯データとが互いに関連付けて登録されているとともに、これらデータブロックの少なくとも一部に対してそれぞれ検索項目が設定されている前記測定データ用データベースから、当該検索項目が設定された前記データブロックの前記データを当該検索項目に条件を入力することにより絞り込み、絞り込まれた当該データに関連付けられた前記データを検索可能とし、
前記検索項目が複数段階にレベル分されて各検索レベル毎の検索項目として登録されるとともに、検索結果として出力可能なデータが属するデータブロックが複数段階にレベル分されて各アクセスレベル毎のデータブロックとして登録され、かつ、前記契約者ＩＤに前記検索レベルおよび前記アクセスレベルを関連付けて登録されている前記契約者用データベースを、前記契約者クライアントから入力された前記契約者ＩＤで検索して当該契約者ＩＤに関連付けられた前記検索レベルおよび前記アクセスレベルを抽出可能とし、
かつ、抽出された前記検索レベルにレベル分けされた前記検索項目に対してだけ前記契約者クライアントから検索条件を入力して前記測定データ用データベースを検索することを許可し、かつ、前記データブロックのうちの抽出された前記アクセスレベルにレベル分された前記データブロックに属し、かつ、検索された前記データだけを、前記契約者クライアントに出力することを許可する検索制限ステップと、
前記契約者クライアントに対して、前記検索制限手段により前記契約者ＩＤに基づいて抽出された前記検索レベルにレベル分された前記検索項目を、当該検索項目から検索の条件を入力する検索項目を選択可能に表示し、前記検索制限手段により前記契約者ＩＤに基づいて抽出された前記アクセスレベルにレベル分された前記データブロックを、当該ブロックから検索結果を出力するデータが属する前記データブロックを選択可能に表示させる検索表示ステップとを実行することが好ましい。
【００４０】
また、本発明の前記構成において、前記契約者クライアントは、前記付帯データとして前記ユーザークライアントから入力されるとともに前記肌状態測定装置の前記ユーザーが使用している化粧品を特定可能な化粧品データが当該化粧品の使用時期に関連付けて登録されている前記測定データ用データベースから、前記化粧品データに関連付けられた前記使用時期に対応する前記取得時期の分析結果データを当該化粧品データとともに検索することが好ましい。
【００４１】
また、本発明の前記構成において、前記ユーザークライアントは、
前記分析結果データの前記取得時期に基づく前記履歴として、前記肌状態測定装置による時系列に沿った測定毎に取得されるとともに前記取得時期に関連付けて登録される前記分析結果データに加えて、前記ユーザークライアントから入力されるとともに前記肌状態測定装置の前記ユーザーが使用している化粧品を特定可能な化粧品データが当該化粧品の使用時期と前記ユーザークライアントから入力された前記顧客ＩＤとに関連付けて登録されている前記測定データ用データベースから、前記ユーザークライアントから入力された前記顧客ＩＤに関連付けられた前記分析結果データおよび前記化粧品データを、前記分析結果データの前記取得時期と、前記化粧品の前記使用時期とに対応して検索し、
かつ、検索された前記取得時期に関連付けられている前記分析結果データと、前記取得時期と同じ時期となる前記使用時期に関連付けられている前記化粧品データとを並列に表示するとともに、前記ユーザー−に選択される期間内に含まれる前記取得時期の前記分析結果データを前記取得時期の時系列に並べて表示することにより、当該分析結果データの時系列に沿った変化の経緯を認識可能な時系列表示と、前記ユーザーに選択される複数の前記取得時期の前記分析結果データを同時に表示することにより、前記取得時期による前記分析結果データの違いを比較可能な比較表示とのうちの少なくとも一方の表示を行うことが好ましい。
【００４２】
以上のような各肌状態測定分析情報管理方法によれば、対応する各肌状態測定分析情報管理システムと同様の作用効果を奏することができる。
【００４３】
また、本発明に、以下のような構成を適用することも可能である。
例えば、本発明の肌状態測定分析情報管理システムにおいて、前記ユーザークライアントは、前記顧客ＩＤを送信するともに、前記測定データ用データベースまたは前記ユーザーデータ用データベースから前記顧客ＩＤに関連付けて記憶された各データの送信を要求するデータ閲覧要求手段と、
前記データ閲覧要求手段により要求したデータが前記データ管理サーバから送信された場合に、送信されたデータを表示するデータ表示手段とを備え、
前記データ管理サーバは、前記データ閲覧要求手段の要求に基づき、前記データ閲覧要求手段から送信された前記顧客ＩＤに対応するユーザークライアントに、前記測定データ用データベースまたは前記ユーザーデータ用データベースに登録されるとともに、前記ユーザークライアントから送信された前記顧客ＩＤに関連付けられたデータを送信するデータ閲覧用データ送信手段を備えることにしてもよい。
【００４４】
本発明の前記構成において、前記データ管理サーバは、前記ユーザークライアントからの要求に応じて、前記測定データ用データベースに取得時期に基づいて履歴として記憶された測定データおよび／または分析結果データから取得時期の異なる二つ以上の測定データおよび／または分析結果データを抽出して前記ユーザークライアントに送信し、
前記ユーザークライアントは、これら取得時期の異なる測定データおよび／または分析結果データを取得時期順に互いに比較可能に表示する比較表示手段を備えることにしてもよい。
【００４５】
また、本発明の前記構成において、前記肌状態測定装置には、当該肌状態測定装置を認証するための認証用文字列が記憶されるとともに、記憶された認証用文字列を外部に出力する装置認証記憶手段が設けられ、
前記ユーザークライアントは、接続された前記肌状態測定装置から出力される認証用文字列を前記データ管理サーバに送信する装置認証送信手段を備え、
前記データ管理サーバは、前記認証用文字列を認証する認証手段と、
前記認証手段に前記認証用文字列が認証されなかった前記ユーザークライアントから送信される測定データに対して、分析結果データの出力が行われることがないように制御する非認証装置排除手段とを備えることにしてもよい。
【００４６】
また、本発明の前記構成において、前記肌状態測定装置は、肌を接写する肌用カメラであり、前記測定データとして画像データを出力し、
前記ユーザークライアントの前記測定データ送信手段は、前記肌状態測定装置から出力される画像データを前記データ管理サーバに送信し、
前記データ分析用データベースには、前記測定データとして画像データが登録され、
前記データ管理サーバは、前記肌状態測定装置において所定条件にしたがって撮像された画像データに基づいて、前記肌状態測定装置の個体差を校正する校正データを生成する校正手段と、
前記校正手段により生成された校正データと前記認証用文字列とを関連付けて登録する校正用データベースとを備え、
前記分析結果取得手段は、前記認証用文字列に基づいて校正用データベースから前記校正データを取得し、前記校正データにより前記画像データの校正、または、前記校正データに基づく前記肌状態測定装置の較正を行うことにしてもよい。
【００４７】
また、本発明の前記構成において、前記ユーザークライアントに接続されることによりユーザークライアントから制御可能なスキンケア装置を備え、
前記ユーザークライアントまたはデータ管理サーバは、前記分析結果データに関連付けて前記スキンケア装置の制御方法が登録されているスキンケア用データベースと、
前記スキンケア装置が接続されるユーザークライアントから出力される顧客ＩＤに基づいて、前記測定データ用データベースから分析結果データを取得するスキンケア用データ取得手段と、
前記スキンケア用データ取得手段に取得された分析結果データに基づいてスキンケア用データベースからスキンケア装置の制御方法を取得する制御方法取得手段とを備え、
前記ユーザークライアントは、前記制御方法取得手段に取得された制御方法に基づいて前記スキンケア装置を制御することにしてもよい。
【００４８】
また、本発明の前記構成において、前記ユーザークライアントは、前記スキンケア装置を制御するための制御データを記憶する制御データ記憶領域を有するとともに、前記制御データに基づき前記スキンケア装置を制御し、
前記データ管理サーバは、前記制御方法に基づいて前記ユーザークライアントの制御データ記憶領域に記憶される制御データを書き換える制御データ更新手段を備えることにしてもよい。
【００４９】
また、本発明の肌状態測定分析情報管理方法において、前記ユーザークライアントは、前記顧客ＩＤを送信するともに、前記測定データ用データベースまたは前記ユーザーデータ用データベースから前記顧客ＩＤに関連付けて記憶された各データの送信を要求するデータ閲覧要求ステップと、
前記データ閲覧要求ステップにより要求したデータが前記データ管理サーバから送信された場合に、送信されたデータを表示するデータ表示ステップとを実行し、
前記データ管理サーバは、前記データ閲覧要求ステップでの要求に基づき、前記データ閲覧要求ステップにおいて送信した前記顧客ＩＤに対応するユーザークライアントに、前記測定データ用データベースまたは前記ユーザーデータ用データベースに登録されるとともに、前記ユーザークライアントから送信された前記顧客ＩＤに関連付けられたデータを送信するデータ閲覧用データ送信ステップを実行することにしてもよい。
【００５０】
本発明の前記構成において、前記データ管理サーバは、前記ユーザークライアントからの要求に応じて、前記測定データ用データベースに取得時期に基づいて履歴として記憶された測定データおよび／または分析結果データから取得時期の異なる二つ以上の測定データおよび／または分析結果データを抽出して前記ユーザークライアントに送信し、
前記ユーザークライアントは、これら取得時期の異なる測定データおよび／または分析結果データを取得時期順に互いに比較可能に表示する比較表示ステップを実行することにしてもよい。
【００５１】
また、本発明の前記構成において、前記肌状態測定装置には、当該肌状態測定装置を認証するための認証用文字列が記憶されるとともに、記憶された認証用文字列を外部に出力する装置認証記憶手段が設けられ、
前記ユーザークライアントは、接続された前記肌状態測定装置から出力される認証用文字列を前記データ管理サーバに送信する装置認証送信ステップを実行し、
前記データ管理サーバは、前記認証用文字列を認証する認証ステップと、
前記認証手段に前記認証用文字列が認証されなかった前記ユーザークライアントから送信される測定データに対して、分析結果データの出力が行われることがないように制御する非認証装置排除手段とを備えることにしてもよい。
【００５２】
また、本発明の前記構成において、前記肌状態測定装置は、肌を接写する肌用カメラであり、前記測定データとして画像データを出力し、
前記ユーザークライアントの前記測定データ送信ステップでは、前記肌状態測定装置から出力される画像データを前記データ管理サーバに送信し、
前記データ分析用データベースには、前記測定データとして画像データが登録されているものとし、
前記データ管理サーバは、前記肌状態測定装置において所定条件にしたがって撮像された画像データに基づいて、前記肌状態測定装置の個体差を校正する校正データを生成する校正ステップと、
前記校正ステップにより生成された校正データと前記認証用文字列とを関連付けて校正用データベースに登録する校正登録ステップとを実行し、
前記分析結果取得ステップでは、前記認証用文字列に基づいて校正用データベースから前記校正データを取得し、前記校正データにより前記画像データの校正、または、前記校正データに基づく前記肌状態測定装置の較正を行うことにしてもよい。
【００５３】
肌状態測定分析情報管理システムは、前記ユーザークライアントに接続されることによりユーザークライアントから制御可能なスキンケア装置を備え、
前記ユーザークライアントまたはデータ管理サーバは、
前記スキンケア装置が接続されるユーザークライアントから出力される顧客ＩＤに基づいて、前記測定データ用データベースから分析結果データを取得するスキンケア用データ取得ステップと、
前記スキンケア用データ取得ステップにおいて取得された分析結果データに基づいて、前記分析結果データに関連付けて前記スキンケア装置の制御方法が登録されているスキンケア用データベースからスキンケア装置の制御方法を取得する制御方法取得ステップを実行し、
前記ユーザークライアントは、前記制御方法取得ステップにおいて取得された制御方法に基づいて前記スキンケア装置を制御するスキンケア制御ステップを実行することにしてもよい。
【００５４】
前記ユーザークライアントは、前記スキンケア装置を制御するための制御データを記憶する制御データ記憶領域を有するとともに、前記制御データに基づき前記スキンケア装置を制御し、
前記データ管理サーバは、前記制御方法に基づいて前記ユーザークライアントの制御データ記憶領域に記憶される制御データを書き換える制御データ更新ステップを実行することにしてもよい。
【００５５】
これらのような肌状態測定分析情報管理システムおよび肌状態測定分析情報管理方法によれば、上述のように測定データや分析結果データの取得時期に応じた履歴として、測定データ用データベースに測定データや分析結果データが記憶され、それに付帯して付帯データが記憶されているので、ユーザーは、測定データおよび分析結果データを時系列のデータとして見ることが可能になる。この場合に、各種スキンケアを行なっている場合に、肌の状態が良くなっているのか、変わらないのか、悪くなっているのかを判断することができ、現在のスキンケアを持続したり、変更したりする判断材料とすることができる。
【００５６】
また、ユーザーは、ユーザーデータ用データベースの内容を確認することができる。したがって、確認後に、例えば、ユーザーデータ送信手段を用いて、ユーザーデータの入力を行うことで、ユーザーデータの変更も可能である。また、新たなアンケートに答えたり、前のアンケートの内容として、使用している化粧品やスキンケア用品の変更等を行うものとしてもよい。
【００５７】
なお、契約者クライアントに対してユーザーデータ用データベースのデータを送信する手段はなく、契約者クライアントで閲覧可能なのは、測定データ用データベースの測定データと許可された種類の付帯データであり、ユーザーデータ用データベースのデータが契約者クライアントに送信されることがなく、所定の個人情報が保護されることになる。なお、周知のセキュリテイ方法を用いて、ユーザーデータ用データベースのデータは保護されていることが好ましい。
【００５８】
肌状態測定装置には、その装置認証記憶手段に認証用文字列が記憶されており、データ管理サーバでは、肌状態測定装置の認証用文字列がユーザー形態クライアントを介して送信された場合に、この認証用文字列を用いて肌状態測定装置を認証することができる。
例えば、データ管理サーバが肌状態測定装置のメーカーや販売会社により運営されている場合に、運営会社が製造または販売している肌状態測定装置以外の装置で、データ分析管理システムでのサービスである測定データに対する分析結果データの出力を利用できないようにすることができる。
【００５９】
上述のように測定データの分析サービスを無料とした場合に、この分析サービスを無断で利用して肌状態測定装置を販売しようとする者が現れる可能性があるが、上述のように認証用文字列で認証を行うことで、データ管理サーバでの測定データの分析を可能とする正規品としての肌状態測定装置以外は使用できない状態となる。
【００６０】
なお、認証用文字列は、例えば、一般的にシリアルと言われるものであり、所定の文字数の文字列であり、措定の文字数となる文字列のうちの予め所定の条件に適合する文字列だけが、認証用の文字列となり、ランダムに文字列を設定しても、認証される可能性が極めて低いものとなっている。
【００６１】
なお、分析結果データの出力禁止方法としては、分析結果データが出力されなければ、どのような方法ととってもよく、例えば、ユーザー形態クライアントからデータ管理サーバに認証用文字列の入力があった際に、認証されなかった場合に、そのユーザー形態クライアントとの通信を禁止するようにしてもよいし、測定データの受信をしないようにしてもよいし、測定データの受信はしても、分析結果データの取得を行わないようしてもよいし、測定データに対する分析結果データを取得しても取得した分析結果データを送信しないようにしてもよい。
【００６２】
また、測定データが、肌用カメラによる画像データの場合に、各肌状態測定装置は、個体差等により明るさや色合い等に違いがでる可能性がある。この場合に、画像データを分析した際の誤差が大きくなる可能性がある。この場合に、各認証用文字列に対応して個体差等を修正して標準化するための校正データを校正用データベースに記憶しておくことにより、ユーザー形態クライアントを介してデータ管理サーバに認証用文字列とともに画像データが入力した場合に、画像データを校正し、校正された画像データによりデータ分析用データベースから分析結果データを得ることができる。また、明るさの誤差の場合に、肌用カメラに設けられた照明の明るさを較正するものとしてもよい。
【００６３】
これにより、肌の微妙な色合いの違いを明確に分析することができる。なお、所定条件にしたがって撮像された画像データとは、例えば、肌用カメラに所定のカラーパターン（キャリブレーションパターン）を押し付けて撮影することなどにより、カラー校正を可能とするものである。
【００６４】
ユーザークライアントには、肌状態測定装置の外にスキンケア装置（肌エステティック装置（肌エステ装置））が接続可能であり、ユーザークライアントから接続されたスキンケア装置の設定変更等を含む制御が可能になっている。例えば、作動開始から設定時間後に作動終了したり、強度等の各種レベルが設定できる場合に、レベルを設定したり、変更したりする制御が可能になっていることが好ましい。
【００６５】
ここで、上述のデータ管理サーバの測定データ用データベースに登録された顧客ＩＤに関連付けられた分析結果データを取得し、スキンケア用データベースから前記分析結果データに関連付けられた制御方法を取得する。この制御方法がユーザークライアントに送信され、ユーザークライアントに接続されたスキンケア装置の作業時間や、各種設定レベルなどの制御が可能になる。分析結果データとして、肌の状態が例えば段階的にレベル（悪い状態から良い状態）で示されるような場合に、レベルが高い場合（肌の状態が良い場合）には、作動時間が短くされ、レベルが低い場合に（肌の状態が悪い場合）に作動時間が長くされるなどの制御が行われる。
【００６６】
このようにスキンケア装置が制御されることで、肌の状態に対応したスキンケアが可能になる。また、スキンケアに使われる時間の効率化や、電池等の電源の使用の効率化を図ることができる。
また、ユーザークライアントの操作により、ユーザーが任意にスキンケア装置を制御するものとしてもよい。例えば、スキンケア装置の出力レベル（振動数、電圧、電流）をユーザーが設定するものとしてもよい。この場合に、ユーザークライアントには、ユーザーが設定した制御データが所定の記憶領域に記憶される。それに対して、データ管理サーバ側で、記憶領域に記憶されている制御データを書き換えることにより、より効率的な設定とすることができる。例えば、スキンケア装置で、出力を大きくすると痛みなどを感じることから適切な出力より小さな出力で使っているような人に対して、データ管理サーバがユーザークライアントに記憶された制御データを書き換えて、徐々に出力を上げるようにすることにより、痛みの発生を抑制しつつ、適切な出力でスキンケア装置を使用することができる。
【００６７】
データ管理サーバでは、使用履歴データが測定データ用データベースに顧客ＩＤに関連付けて登録される。
したがって、顧客ＩＤに基づいて、使用履歴データと測定データと分析結果データを見ることが可能になり、スキンケア装置による肌の状態の改善効果の確認を行うことができる。
【００６８】
また、肌状態測定分析情報管理システムおよび肌状態測定分析情報管理方法を以下のような構成としてもよい。
例えば、肌状態測定分析情報管理システムを、無線通信によりネットワークに接続可能な携帯端末（ユーザークライアント）と、
ネットワークを介して前記携帯端末との間で情報を互いに送受可能に接続されるデータ管理サーバとを備え、
前記携帯端末に接続されるか、または前記携帯端末に少なくとも一部が設けられてユーザーの肌の状態を測定可能で測定結果を携帯端末に記憶させることが可能な肌状態測定手段（肌状態測定装置）と、
前記携帯端末に設けられ、前記ユーザーが使用する化粧品を特定可能とする化粧品特定情報をユーザーに入力可能とさせる化粧品特定情報入力手段と、
前記携帯端末および／または前記データ管理サーバに設けられ、前記肌状態測定手段による肌の状態の測定結果を、当該測定結果と、複数段階にランク分けされて蓄積された複数の肌の状態の測定結果との比較に基づいて分析し、分析結果として測定された肌の状態を複数段階のランクのうちのいずれかのランクに決定する肌状態分析手段と、
前記データ管理サーバに設けられ、前記肌状態測定手段による時系列に沿った測定毎に前記肌状態分析手段により決定されるランクを前記時系列に沿って記憶する分析結果記憶手段と、
前記データ管理サーバに設けられ、前記化粧品特定情報入力手段により入力された前記化粧品特定情報を前記化粧品の前記ユーザーによる使用時期に関連付けて記憶する使用化粧品特定情報記憶手段と、
前記データ管理サーバに設けられ、前記ユーザーの操作に基づく前記携帯端末からの要求に対応して、前記分析結果記憶手段に記憶されている前記分析結果と、前記使用化粧品特定情報記憶手段に記憶されている前記化粧品特定情報とを前記携帯端末に送信する履歴出力手段と、
前記携帯端末に設けられ、前記履歴出力手段により送信された前記分析結果を時系列に対応して表示するとともに、前記時系列に対応して使用時期を特定可能に前記化粧品特定情報を表示する履歴表示手段とを備えることにしてもよい。
【００６９】
このような構成によれば、肌状態の測定を定期的に行うとともに、使用した化粧品の使用期間または使用期間を算出可能な情報を入力することにより、肌状態の測定結果に対する分析結果の期間経過に伴う変化と、その期間に使用されている化粧品とをユーザーが知ることができ、これにより化粧品（主にスキンケア系の化粧品）の効果の有無等をユーザーが判断し易くなる。このことから、ユーザーは、肌状態の測定と使用化粧品の入力とを積極的に行う可能性が高くなり、データ管理サーバには、ユーザーの肌状態のデータと使用した化粧品のデータが蓄積することになる。
【００７０】
これらのデータは、例えば、化粧品開発に有効利用可能であり、特に肌状態の測定者の数が多くなるほど付加価値が高くなる可能性がある。また、肌状態の測定や、化粧品の入力等を頻繁に行うユーザーには、たとえば、携帯端末の画面表示を見る機会が多くなり、携帯端末の画面に広告表示した場合の広告効果が高くなる。また、上述のように肌の状態と使用化粧品との関係が分かり易いので、肌の状態が必ずしも良好でない場合などに、化粧品の商品の宣伝効果が高まる。
ここで肌状態のランクとは、既に蓄積されている肌状態の測定結果に基づいて肌状態の悪い状態から良好な状態までを順位付けしたものであり、例えば、肌状態の良し悪しを数値化して０から所定値までの点数で表現してもよい。さらに、蓄積された測定結果から肌状態を各年齢（年代）の平均的な肌状態に対応させて肌状態を年齢で示してもよい。測定多数のユーザーの肌状態を点数等として数値化した後に統計処理を施した結果として、例えば、偏差値で表示してもよい。
【００７１】
前記構成において、前記データ管理サーバは、各化粧品を特定可能にする前記化粧品特定情報を含む各化粧品の化粧品情報が各化粧品毎に互いに関連付けて登録され、前記携帯端末から前記化粧品情報が受信された場合に、受信された前記化粧品情報に関連または一致する前記化粧品特定情報を抽出可能な登録化粧品記憶手段を備え、
前記化粧品特定情報入力手段は、
前記ユーザーが前記化粧品特定情報を確定的に入力する前に、前記ユーザーにより前記化粧品特定情報を含む前記化粧品情報の入力を可能とし、前記化粧品情報が入力された場合に入力された前記化粧品情報を前記データ管理サーバに送信し、送信された前記化粧品情報に関連または一致する前記化粧品特定情報が前記登録化粧品記憶手段から抽出されて前記携帯端末に送信された場合に、送信された前記化粧品特定情報を前記ユーザーが選択して確定的に入力可能に表示することにより、前記ユーザーが前記化粧品特定情報を確定的に入力するのを支援する入力支援手段を備えることにしてもよい。
【００７２】
このような構成によれば、使用している化粧品のデータの入力に際し、データ入力が容易になる。すなわち、既に化粧品のデータが登録されているので、キーワード等により簡単に使用している化粧品を抽出して入力することが可能になる。また、確認も可能である。例えば、バーコードを入力して化粧品を登録したような場合に、必ずしも正確な商品名が分からなかったりするが、バーコードで登録されたデータを検索して、化粧品の商品名を知ることができる。また、たまたま手元に化粧品がないような場合に、あやふやな記憶でも使用している化粧品を入力可能になる。
【００７３】
また、前記構成において、前記携帯端末または前記データ管理サーバは、前記携帯端末から前記化粧品情報が前記データ管理サーバに送信された際に、前記登録化粧品記憶手段から当該化粧品情報に関連または一致する前記化粧品特定情報が抽出できない場合に、当該化粧品情報に対応する前記化粧品の前記化粧品特定情報が前記登録化粧品記憶手段に未登録であると判定する未登録判定手段を備え、
前記携帯端末は、前記未登録判定手により未登録と判定された場合に、未登録の前記化粧品特定情報を前記ユーザーに入力可能とするとともに前記化粧品特定情報が入力された場合に前記化粧品特定情報を前記データ管理サーバに送信する未登録化粧品特定情報入力手段を備え、
前記データ管理サーバは、前記化粧品特定情報と、当該化粧品特定情報により特定される化粧品のメーカーの連絡先とを関連付けた化粧品メーカー連絡先記憶手段と、
前記未登録化粧品特定情報入力手段から前記化粧品特定情報が送信された場合に、送信された前記化粧品特定情報を前記登録化粧品記憶手段に仮登録させる仮登録手段と、
前記仮登録手段に仮登録される前記化粧品特定情報に基づいて前記化粧品メーカー連絡先記憶手段から、前記連絡先を抽出し、前記連絡先に、前記登録化粧品記憶手段に仮登録された前記化粧品特定情報に関連付けて仮登録された前記化粧品の前記化粧品情報の前記登録化粧品記憶手段への本登録を依頼する連絡を支援する連絡支援手段と、
連絡された化粧品メーカーの担当者による前記登録化粧品記憶手段への前記化粧品情報の登録を許可する登録許可手段とを備えることにしてもよい。
【００７４】
このような構成によれば、登録されていない化粧品に関しては、ユーザーが未登録の化粧品のデータを入力しようとすることで、ユーザーが未登録の化粧品であることを知ることになる。この際に、登録しようとしていた化粧品が未登録の場合に、この化粧品を特定可能な商品名や商品コード（ＪＡＮコード）等を入力することにより、未登録の化粧品を仮登録した状態とすることになる。すなわち、ユーザーに未登録の化粧品を見つけてもらうとともに、仮登録してもらうことが可能になる。
【００７５】
この状態で、例えば、上述の化粧品を特定可能な情報に基づいて、メーカーの連絡先が分かる場合に、メーカーの連絡先に対してデータ管理サーバで仮登録された化商品の各種情報を入力するように依頼することができる。したがって、データ管理サーバの管理者やオペレータは、新発売される化粧品を調査し、当該化粧品の情報をデータ管理サーバに登録する処理を、ユーザーとメーカーの担当者に行ってもらうことができる。これにより、データ管理サーバの管理作業を減少させ、管理コストの低減を図ることができる。
【００７６】
また、前記構成において、前記履歴表示手段は、前記履歴出力手段により送信された前記分析結果を前記時系列に対応する時間経過を示す時間軸と、前記分析結果としてのランクを示すランク軸とを有するグラフとして表示するとともに、前記履歴出力手段により送信された前記化粧品特定情報の使用時期を前記グラフの前記時間軸に合わせて表示することにしてもよい。
【００７７】
このような構成によれば、肌状態のランクの時間経過に伴う変化と、使用している化粧品との関係を容易に把握可能になり、使用している化粧品が肌にあっているか否か等の判断が容易になる。
【００７８】
また、前記構成において、前記分析結果記憶手段に時系列に沿って記憶されている分析結果としてのランクのうちの最新のランクと、前記携帯端末からユーザーの操作に基づいて入力された過去の日付のランクとを比較可能に同時に表示する同時比較手段を備えることにしてもよい。
【００７９】
このような構成によれば、例えば、最新の肌状態と、最新の肌状態に対してある程度長く時間経過している比較的古い肌状態との比較が容易にできるので、長い期間に渡る肌状態の違いを容易に把握することができる。また、以前に肌状態が悪化した時期がある場合に、肌状態が悪化した時期の肌状態と、現在の肌状態とを容易に比較することができ、肌状態の回復度合いを容易に知ることができる。
【００８０】
また、前記構成において、前記肌状態分析手段は、前記肌状態測定手段による肌の状態の測定結果を、当該測定結果と、複数にタイプ分けされて蓄積された複数の肌の状態の測定結果との比較に基づいて分析し、分析結果として測定された肌の状態を複数の肌タイプのうちのいずれかの肌タイプに決定し、
前記分析結果記憶手段には、複数のユーザーの分析結果としての前記ランクと前記肌タイプとが各ユーザー毎に記憶され、
前記使用化粧品特定情報記憶手段には、複数のユーザーがそれぞれ使用する前記化粧品の前記化粧品特定情報がユーザー毎に記憶され、
前記データ管理サーバには、前記携帯端末から前記ユーザーの操作により指定された前記化粧品特定情報と当該前記化粧品特定情報により特定される化粧品を使うとともに、前記化粧品を指定した前記ユーザーと同じ前記肌タイプの他のユーザーの分析結果の表示の要求があった場合に、前記使用化粧品特定情報記憶手段に、指定された前記化粧品特定情報が登録されている他のユーザーを当該使用化粧品特定情報記憶手段から抽出し、かつ、前記分析結果記憶手段から前記化粧品を指定したユーザーと同じ肌タイプの他のユーザーを抽出し、前記使用化粧品特定情報記憶手段と前記分析結果記憶手段との両方から重複して抽出されることにより絞り込まれた重複ユーザーを出力するユーザー抽出手段と、
前記ユーザー抽出手段から抽出された前記重複ユーザーの前記ランクを前記分析結果記憶手段から抽出するランク抽出手段と、
前記ランク抽出手段に抽出された他の各ユーザーの前記ランクが、他の各ユーザーの指定された前記化粧品の使用開始からの経過期間に対応させられたデータテーブルを作成して当該データテーブルを前記携帯端末に送信するランク送信手段とを備え、
前記携帯端末は、送信された前記データテーブル上のランクを指定された前記化粧品の使用開始からの経過期間に対応付けて表示する他者分析結果表示手段を備えることにしてもよい。
【００８１】
このような構成によれば、自分と肌タイプが同じ他者が自分が使用している化粧品や、使用を考えている化粧品を使った場合の肌の状態変化を知ることができる。肌タイプが同じ他者の肌状態変化から指定した化粧品が自分に合うか否かを予想することが可能になり、多くの化粧品の中から自分が使用する化粧品を決める場合に参考になる。
【００８２】
肌状態測定分析情報管理方法を、無線通信によりネットワークに接続可能な携帯端末と、
ネットワークを介して前記携帯端末との間で情報を互いに送受可能に接続されるデータ管理サーバと、
前記携帯端末に接続されるか、または前記携帯端末に少なくとも一部が設けられてユーザーの肌の状態を測定可能で測定結果を携帯端末に記憶させることが可能な肌状態測定手段とを備えた肌状態測定分析情報管理システムにおいて、
前記携帯端末は、前記ユーザーが使用する化粧品を特定可能とする化粧品特定情報をユーザーに入力可能とさせ、
前記携帯端末および／または前記データ管理サーバは、前記肌状態測定手段による肌の状態の測定結果を、当該測定結果と、複数段階にランク分けされて蓄積された複数の肌の状態の測定結果との比較に基づいて分析し、分析結果として測定された肌の状態を複数段階のランクのうちのいずれかのランクに決定し、
前記データ管理サーバは、
前記肌状態測定手段による時系列に沿った測定毎に決定されるランクを前記時系列に沿って記憶し、
前記ユーザーにより入力された前記化粧品特定情報を前記化粧品の前記ユーザーによる使用時期に関連付けて記憶し、
前記ユーザーの操作に基づく前記携帯端末からの要求に対応して、前記データ管理サーバに記憶されている前記分析結果と、前記化粧品特定情報とを前記携帯端末に送信し、
前記携帯端末は、前記データ管理サーバから送信された前記分析結果を時系列に対応して表示するとともに、前記時系列に対応して使用時期を特定可能に前記化粧品特定情報を表示することにしてもよい。
【００８３】
前記構成において、前記データ管理サーバは、各化粧品を特定可能にする前記化粧品特定情報を含む各化粧品の化粧品情報が各化粧品毎に互いに関連付けて登録され、前記携帯端末から前記化粧品情報が受信された場合に、受信された前記化粧品情報に関連または一致する前記化粧品特定情報を抽出可能な登録化粧品記憶手段を備え、
前記携帯端末は、
前記ユーザーが前記化粧品特定情報を確定的に入力する前に、前記ユーザーにより前記化粧品特定情報を含む前記化粧品情報の入力を可能とし、前記化粧品情報が入力された場合に入力された前記化粧品情報を前記データ管理サーバに送信し、送信された前記化粧品情報に関連または一致する前記化粧品特定情報が前記登録化粧品記憶手段から抽出されて前記携帯端末に送信された場合に、送信された前記化粧品特定情報を前記ユーザーが選択して確定的に入力可能に表示することにより、前記ユーザーが前記化粧品特定情報を確定的に入力するのを支援することにしてもよい。
【００８４】
また、本発明の前記構成において、前記携帯端末または前記データ管理サーバは、前記携帯端末から前記化粧品情報が前記データ管理サーバに送信された際に、前記登録化粧品記憶手段から当該化粧品情報に関連または一致する前記化粧品特定情報が抽出できない場合に、当該化粧品情報に対応する前記化粧品の前記化粧品特定情報が前記登録化粧品記憶手段に未登録であると判定し、
前記携帯端末は、未登録と判定された場合に、未登録の前記化粧品特定情報を前記ユーザーに入力可能とするとともに前記化粧品特定情報が入力された場合に前記化粧品特定情報を前記データ管理サーバに送信し、
前記データ管理サーバは、
前記化粧品特定情報と、当該化粧品特定情報により特定される化粧品のメーカーの連絡先とを関連付けた化粧品メーカー連絡先記憶手段を備え、
前記携帯端末から前記化粧品特定情報が送信された場合に、送信された前記化粧品特定情報を前記登録化粧品記憶手段に仮登録させ、
前記仮登録手段に仮登録される前記化粧品特定情報に基づいて前記化粧品メーカー連絡先記憶手段から、前記連絡先を抽出し、前記連絡先に、前記登録化粧品記憶手段に仮登録された前記化粧品特定情報に関連付けて仮登録された前記化粧品の前記化粧品情報の前記登録化粧品記憶手段への本登録を依頼する連絡を支援し、
連絡された化粧品メーカーの担当者による前記登録化粧品記憶手段への前記化粧品情報の登録を許可することにしてもよい。
【００８５】
また、前記構成において、前記携帯端末は、前記データ管理サーバから送信された前記分析結果を前記時系列に対応する時間経過を示す時間軸と、前記分析結果としてのランクを示すランク軸とを有するグラフとして表示するとともに、前記データ管理サーバから送信された前記化粧品特定情報の使用時期を前記グラフの前記時間軸に合わせて表示することにしてもよい。
【００８６】
また、前記構成において、前記データ管理サーバに時系列に沿って記憶されている分析結果としてのランクのうちの最新のランクと、前記携帯端末からユーザーの操作に基づいて入力された過去の日付のランクとを比較可能に同時に表示することにしてもよい。
【００８７】
また、前記構成において、前記データ管理サーバは、前記肌状態測定手段による肌の状態の測定結果を、当該測定結果と、複数にタイプ分けされて蓄積された複数の肌の状態の測定結果との比較に基づいて分析し、分析結果として測定された肌の状態を複数の肌タイプのうちのいずれかの肌タイプに決定し、
前記データ管理サーバには、複数のユーザーの分析結果としての前記ランクと前記肌タイプとが各ユーザー毎に記憶されるとともに、複数のユーザーがそれぞれ使用する前記化粧品の前記化粧品特定情報がユーザー毎に記憶され、
かつ、前記携帯端末から前記ユーザーの操作により指定された前記化粧品特定情報と当該化粧品特定情報で特定される前記化粧品を使うとともに、前記化粧品特定情報を指定した前記ユーザーと同じ前記肌タイプの他のユーザーの分析結果の表示の要求があった場合に、前記データ管理サーバにおいて、指定された前記化粧品特定情報が登録されている他のユーザーを抽出し、かつ、前記化粧品を指定したユーザーと同じ肌タイプの他のユーザーを抽出し、指定された前記化粧品特定情報と前記肌タイプとの両方に基づいて重複して抽出されることにより絞り込まれた重複ユーザーを出力し、
出力された前記重複ユーザーの前記ランクを前記データ管理サーバから抽出するランク抽出手段と、
前記ランク抽出手段に抽出された他の各ユーザーの前記ランクが、他の各ユーザーの指定された前記化粧品の使用開始からの経過期間に対応させられたデータテーブルを作成して前記データテーブルを前記携帯端末に送信し、
前記携帯端末は、送信されたデータテーブル上のランクを指定された前記化粧品の使用開始からの経過期間に対応付けて表示することにしてもよい。
【００８８】
これらのような各肌状態測定分析情報管理方法によれば、対応する各肌状態測定分析情報管理システムと同様の作用効果を奏することができる。
【００８９】
さらに、上述の各肌状態測定分析情報管理システムおよび各肌状態測定分析情報管理方法において、前記肌状態測定装置（肌状態測定手段）は、前記ユーザークライアントを介して前記データ管理サーバに送信可能で、かつ、各肌状態測定装置を個々に認証可能な認証情報を有し、
前記データ管理サーバは、前記認証情報を認証する認証手段と、
前記肌状態測定装置の前記認証手段に認証された前記認証情報と、当該認証情報を送信した前記ユーザー−クライアント（携帯端末）から入力される前記顧客ＩＤとが関連付けて登録されるとともに、各認証情報毎に所定数以内の前記顧客ＩＤが登録可能な認証情報管理テーブルと、
前記肌状態測定装置の使用時に前記ユーザークライアントを介して送信されるとともに前記認証手段に認証された前記認証情報と前記ユーザークライアントから入力される前記顧客ＩＤとに基づいて前記認証情報管理テーブルを参照し、当該顧客ＩＤが当該認証情報に関連付けて前記認証情報管理データに登録されていない場合に、当該認証情報に関連付けて既に登録された他の前記顧客ＩＤが前記所定数未満であれば、当該認証情報に関連付けて当該顧客ＩＤを前記認証情報管理テーブルに登録する登録手段と、
当該認証情報が前記データ管理サーバに入力されない場合、前記認証手段に当該認証情報が認証されない場合、前記認証情報管理テーブルに当該顧客ＩＤが当該認証情報に関連づけて登録されていないとともに、当該認証情報に関連付けて前記認証情報管理テーブルに既に登録されている前記顧客ＩＤが前記所定数である場合に、当該ユーザークライアントを介した前記肌状態測定装置の使用を禁止する使用禁止手段とを備えるものであってもよい。
【００９０】
このような構成によれば、肌状態測定装置からユーザークライアントを介して、データ管理サーバに入力される認証情報が認証手段により認証されなかった場合に、当該ユーザークライアントを介しての当該肌状態測定装置の使用が禁止される。例えば、当該肌状態測定装置からの測定データが出力されても、データ管理サーバからユーザークライアントに分析結果データの出力が行われず、当該肌状態測定装置が使用できない状態となる。
【００９１】
同様に、認証情報が当該肌状態測定装置から当該ユーザークライアントを介してデータ管理サーバに入力されなかった場合に当該肌状態測定装置が使用できない状態となる。
また、同様に、認証情報が認証されたが、認証情報管理テーブルにおいて、当該認証情報に関連付けて既に所定数の他の顧客ＩＤが登録されている場合に、当該肌状態測定装置が使用できない状態となる。この場合に、認証情報管理テーブルにおいて、当該認証情報に関連付けて既に登録された顧客ＩＤのユーザークライアントにおいては、肌状態測定装置が使用可能になる。
【００９２】
このような肌状態測定分析情報管理システムおよび肌状態測定分析情報管理方法においては、肌状態測定分析情報管理システムで用いられる正規の肌状態測定装置以外の非正規の肌状測定装置は認証されず、肌状態測定分析情報管理システムに対して非正規となる肌状態測定装置の利用による損害を抑制できる。
【００９３】
また、認証情報管理テーブルには、１つの認証情報に牽連付けて所定数以内の顧客ＩＤを登録でき、登録された顧客ＩＤのユーザークライアントを介して肌状態測定装置を使用可能なので、例えば、家族等のグループの所定数のメンバーならば、同じ肌状態測定装置を各メンバーのユーザークライアントに接続して使うことが可能になる。
【００９４】
言いかえれば、認証手段により認証可能な認証情報を有する正規の肌状態測定装置であっても、異なる顧客ＩＤのユーザークライアントでの使用が制限され、例えば、正規品であっても所定数より多いユーザークライアントに接続して使用することができない。すなわち、たとえば、家族等の比較的少数のグループでの肌状態測定装置の使い回しは、許可されるが、野放図な使い回しを制限することにより、ユーザーの使い勝手の良さと、肌状態測定分析情報管理システムの適切な運営コストとをバランスよく両立させることができる。なお、上述の認証情報を用いた非正規品の排除と、複数のユーザークライアントでの使用の制限を肌状態測定装置だけではなく、ユーザークライアントに接続して使用可能なスキンケア装置に適用してもよい。
【発明の効果】
【００９５】
本発明の肌状態測定分析情報管理システムおよび肌状態測定分析情報管理方法によれば、化粧品会社等の契約者が多くのユーザーの肌状態の測定データ、測定データを分析した分析結果データや、ユーザーの付帯データを得ることができ、かつ、契約者の利用料金により、ユーザーは、無料または安価に、肌状態の分析を行ってもらうことが可能なになる。
また、肌の状態の時間経過に伴う変化と、その際に使用していた化粧品とを比較して確認することができるので、使用している化粧品の効果の有無を推定することが可能になる。
【図面の簡単な説明】
【００９６】
【図１】本発明の実施の形態の肌状態測定分析情報管理システムを示す概略ブロック図である。
【図２】肌状態測定分析情報管理システムのアプリを起動したスマートフォンの表示画面等を示すものである。
【図３】スマートフォンのアプリの機能を説明するための図である。
【図４】スマートフォンに登録されたエステ器具を説明するための図である。
【図５】前記肌状態測定分析情報管理システムを示すブロック図である。
【図６】本発明の実施の形態の肌状態測定分析情報管理方法のユーザー登録処理を示すフローチャートである。
【図７】前記肌状態測定分析情報管理方法のセンサ登録処理を示すフローチャートである。
【図８】前記肌状態測定分析情報管理方法の肌診断処理を示すフローチャートである。
【図９】前記肌状態測定分析情報管理方法の詳細肌診断結果表示処理を示すフローチャートである。
【図１０】前記肌状態測定分析情報管理方法のケアエステ処理を示すフローチャートである。
【図１１】前記肌状態測定分析情報管理方法の肌改善状況判定処理を示すフローチャートである。
【図１２】前記肌状態測定分析情報管理方法の肌履歴表示処理を示すフローチャートである。
【図１３】前記肌状態測定分析情報管理方法の肌履歴表示処理を示すフローチャートである。
【図１４】前記肌状態測定分析情報管理方法のデータの二次利用処理を示すフローチャートである。
【図１５】前記肌状態測定分析情報管理方法のデータの二次利用処理の変形例を示すフローチャートである。
【図１６】肌状態測定分析情報管理システムのユーザー化粧品登録処理を示すフローチャートである。
【図１７】肌状態測定分析情報管理システムのユーザー肌履歴表示処理を示すフローチャートである。
【図１８】肌状態測定分析情報管理システムの指定化粧品の効能確認処理を示すフローチャートである。
【図１９】スマートフォンのディスプレイに表示される化粧品登録画面を説明するための図である。
【図２０】スマートフォンのディスプレイに表示されるお手入れカルテの使用化粧品の入力画面を説明するための図である。
【図２１】スマートフォンのディスプレイに表示される肌履歴表示画面を説明するための図である。
【図２２】スマートフォンのディスプレイに表示される比較表示画面を説明するための図である。
【図２３】スマートフォンのディスプレイに表示される粧品選択画面およびグラフ表示画面を説明するための図である。
【図２４】契約者クライアントの表示画面に表示され、検索レベルでレベル分けされた検索項目を説明するための図である。
【図２５】契約者クライアントの表示画面に表示され、検索レベルでレベル分けされた検索項目を説明するための図である。
【図２６】契約者クライアントの表示画面に表示され、アクセスレベルでレベル分けされたデータの種類を説明するための図である。
【図２７】契約者クライアントの表示画面に表示され、アクセスレベルでレベル分けされたデータの種類を説明するための図である。
【図２８】スマートフォンの診断結果表示画面に表示される履歴削除ボタンを示す図である。
【図２９】スマートフォンの過去の診断結果表示画面に表示される履歴削除ボタンを示す図である。
【図３０】データ管理サーバにスマートフォンから送られた画像データの画素数を統一するための画質変換手段を設けた肌状態測定分析情報管理システムを示すブロック図である。
【図３１】スマートフォンに、データ管理サーバに送られる画像データの画素数を統一するための画質変換手段を設けた肌状態測定分析情報管理システムを示すブロック図である。
【発明を実施するための形態】
【００９７】
以下、図面を参照しながら本発明の実施の形態について説明する。
この実施の形態の肌状態測定分析情報管理システムおよび肌状態測定分析情報管理方法は、肌状態測定分析情報管理システムの会員である肌状態測定装置のユーザーに、肌状態測定装置の測定データから自分の肌状態の分析結果を得られるサービスを低コスト（例えば無料もしくは比較的安価な会費）で提供することにより、ユーザーに自分の肌の状態を認識してもらうものである。
【００９８】
この際に、低コストに肌の状態が分かるようにすることで、肌状態測定装置の販売数を増加させるとともに、ユーザーに頻繁に肌状態の測定を行うことを促し、その測定データから分析結果を取得してもうらことで、多くのユーザーから頻繁に測定データを収集するものである。この場合に、化粧品を含むスキンケア用品やスキンケア装置２を使ってもらい、肌の状態が改善するのをユーザーに把握してもらうことで、スキンケア用品やスキンケア装置２の販売を促進する。なお、肌状態の測定を促すために、ユーザーが肌状態を測定して分析を依頼した際に、ユーザーにポイントを付与してもよい。
【００９９】
また、多くの肌状態の測定データを収集した場合には、収集したデータを化粧品のメーカーや販売会社（化粧品会社）に有料で各種スキンケア用品の開発に利用してもらうことが可能になる。この際に測定データだけではなく、ユーザーの使用しているスキンケア用品やスキンケア装置２、さらに、ユーザーの大まかな年齢や居住地域や年収や職業などの付帯データをつけることで、測定データに付加価値をつけて、より有効に測定データを利用してもらうことができる。これにより、肌状態測定装置等を購入してくれるユーザーだけではなく、上述の測定データを利用してくれる化粧品会社等のデータの二次利用者から利益を得られるようにすることができる。
【０１００】
図１に示すように、この実施の形態の肌状態測定分析情報管理システムは、肌状態測定装置１とスキンケア装置（ケアエステ装置）２が接続可能なユーザークライアントとしてのスマートフォン３と、スマートフォン３とインターネット４（ネットワーク）を介して接続可能なデータ管理サーバ５と、契約者クライアント６としての化粧品会社等の提携会社のコンピュータシステムとを備えるものである。
【０１０１】
肌状態測定装置１は、例えば、肌用カメラであり、撮像素子と照明用ＬＥＤとを備えるセンサ部１１と、制御部１２と、ＵＳＢ（ユニバーサル・シリアル・バス）インターフェース１３とを備える。
照明用ＬＥＤは、例えば、２色の光を出射可能になっており、肌色光と、白色光を切り替えて照射可能になっている。肌色光を照射すると肌の状態が明瞭に撮影可能になり、肌のキメ（肌理）の状態を分析可能になる。一般的に肌のキメの状態がよい場合には、肌の表面に略三角形の網目状の溝が比較的理路整然として見える。それに対してキメの状態が悪いと溝が不明確になったり、網目の形状が崩れたり、溝がよく見えなくなったり、溝のない部分が荒れた状態になる。
【０１０２】
また、上述の溝は皮溝といい、この皮溝で囲まれる略三角形上の平らな部分を皮丘という。また、これら皮溝および皮丘以外に毛穴が見えることになるが、キメの状態が良い場合いは毛穴が小さく目立たないのに対して状態が悪いと毛穴が大きく目立つ状態になる。
肌色光で肌を拡大撮影すると、このキメの状態が明確な画像になり、画像データの分析がし易い状態になる。
【０１０３】
また、白色光で照明した場合に、シミが認識し易い画像データを得ることができる。
すなわち。白く映る皮膚に対してシミが黒っぽく（灰色に）映り、シミを比較的容易に認識することができる。この肌用カメラとしての肌状態測定装置１では、キメモードとシミモードを切り替えて撮影が可能になっており、モードを切り替える切換スイッチが設けられている。肌用カメラによる測定データとしての撮像データに関連して、キメモードかシミモードを示すデータをスマートフォン３に出力するようになっている。
【０１０４】
なお、照明として、上述の白色光や肌色光に加えて近紫外である例えば３７５ｍｍ程度の波長の光を照射し、皮膚中のポルフィリンを検出するものとしてもよい。なお、紫外光を照射した時に、これにより励起されたポルフィリンが発する赤橙色の蛍光により、ポルフィリンを検出することができる。なお、ポルフィリン症の患者の皮膚にポルフィリンが存在する場合がある。
【０１０５】
なお、肌カメラの撮影部分は、箱状のフードを備え、その奥に透明板（光学的機能を有していてもよい）が設けられ、透明板の後側（内側）にレンズ、撮像素子、照明用ＬＥＤ等が設けられている。フードの先端を肌に押しつけて周囲の光を遮光した状態で撮影が可能になっている。
【０１０６】
ＵＳＢインターフェース１３は、例えば、ユーザークライアントとしての上述のスマートフォン３（プログラムに基づいて演算処理可能なプロセッサ（ＣＰＵ）を備えたインテリジェント機器）との接続を行うためのものであり、スマートフォン３側にもＵＳＢインターフェースが設けられている。肌状態測定装置１のＵＳＢインターフェース１３がクライアント側となり、ユーザークライアントとしてのスマートフォン３のＵＳＢインターフェースがホスト側になる。
【０１０７】
肌状態測定装置１は、ＵＳＢインターフェース１３により測定データとしての画像データを出力可能になるとともに、例えば、照明用ＬＥＤの明るさの調整をスマートフォン側から制御可能になっている。
【０１０８】
また、ＵＳＢインターフェース１３には、エンドポイントと呼ばれるデータ記憶のバッファが備えられ、このエンドポイントに記憶されたデータがスマートフォン３側から読み取られるようになっている。
【０１０９】
さらに、ＵＳＢインタエースには、ディスクリプタと呼ばれるデータが書き込まれており、スマートフォン３側から読み取られるようになっている。例えば、肌状態測定装置１が上述の肌用カメラのように画像データを出力するもの場合に、例えば、カメラ（映像を出力する装置）であることがディスクリプタに記載され、スマートフォン３側では、予め記憶されているカメラ用ドライバ、または、後述の専用アプリ５ｊの一部としてインストールされたドライバがセットされる。
【０１１０】
なお、ディスクリプタには、上述のカメラ等のデバイスに関するものとして、ＵＳＢ・Ｒｅｖｉｓｉｏｎや、デバイスクラスや、ベンダＩＤ等が登録されたデバイス・ディスクリプタ、電源種類や、最大消費電力等が登録されたコンフィグレーション・ディスクリプタ、クラスコードや、上述のエンドポイント数等が登録されたインターフェース・ディスクリプタや、エンドポイントからのデータの転送方向や、転送方式や、最大バケットサイズ等が登録されたエンドポイント・ディスクリプタ等がある。
【０１１１】
また、ディスクリプタには、文字列を記憶するストリング・ディスクリプタがあり、この実施形態では、この文字列用のディスクリプタに認証用文字列としていわゆる製品シリアルＮｏ．が記憶されている。この製品シリアルＮｏ．により、肌状態測定装置１が特定の装置として、例えば、所定のメーカーで製造された装置であることを認証できるようになっている。
すなわち、肌状態測定装置１は、認証用文字列を記憶するとともにユーザクライアント（携帯端末）であるスマートフォン３に出力する装置認証送信手段としての機能を有する
【０１１２】
すなわち、同様の機能を有する肌状態測定装置１であっても、例えば、データ管理サーバ５の運営会社で認められた肌状態測定装置１だけを前記製品シリアルＮｏ．で認識して、この肌状態測定分析情報管理システムで利用できるようにしている。すなわち、肌状態測定装置１から製品シリアルＮｏ．が読み取れない場合や、所定の文字配列となった製品シリアルＮｏ．ではなく、認証できない製品シリアルＮｏ．の場合に、肌状態測定分析情報管理システムでの使用が禁止されるようになっている。
【０１１３】
なお、肌状態測定装置１としての肌カメラとスマートフォン３とのデータ通信は、ＵＳＢに限られるものではなく、その他の有線のシリアルまたはパラレル通信や、無線のＢｌｕｅｔｏｏｔｈ（登録商標）やＷｉＦｉやＮＦＣ（Ｎｅａｒ  Ｆｉｅｌｄ  Ｃｏｍｍｕｎｉｃａｔｉｏｎ）等を用いてもよい。
【０１１４】
また、肌カメラとしては、スマートフォン等に内蔵されたデジタルカメラにコンバージョンレンズを取り付けるものとしてもよい。これによりスマートフォンのデジタルカメラで撮影され、スマートフォン３の記憶装置に記憶された画像データをインターネット４を介してデータ管理サーバ５に送信することができる。この場合に、スマートフォン３に肌カメラを接続する場合のように、画像データを肌カメラからスマーフォンに送信する必要がなく、画像データの送信用の通信手段を必要としない。
【０１１５】
しかし、このコンバージョンレンズにおいても、外光ではなく、上述の肌色光のＬＥＤと白色光のＬＥＤを用いて撮影を行うことが好ましい。この場合に、スマートフォン側の撮影タイミング（シャッタの作動タイミング）と、コンバージョンレンズ側の白色光ＬＥＤの発光タイミングと、コンバージョンレンズ側の肌色光ＬＥＤの発光タイミングを合わせる必要がある。すなわち、コンバージョンレンズ側の白色光を発光させた状態でのスマートフォン３による撮影と、コンバージョンレンズ側の肌色光を発光させた状態でのスマートフォン３による撮影とを行う必要がある。
【０１１６】
このような場合に、上述のＵＳＢ等の有線通信や、ＢｌｕｅｔｏｏｔｈやＷｉＦｉやＮＦＣ等を用いてもよい。また、基本的スマートフォン３では、後述の専用アプリ５ｊの撮影プログラムに基づいて撮影が行われるようになっており、撮影時の照明が必要な場合に、スマートフォン３からコンバージョンレンズの白色光ＬＥＤ（駆動回路）および肌色光ＬＥＤ（駆動回路）をオンオフできるようになっていればよい。
【０１１７】
そこで、コンバージョン側に受光装置を配置し、スマートフォン３の撮影時の照明（フラッシュ）用のＬＥＤの発光を上述の受光装置が受光したことに基づいて、上述のＬＥＤのオンオフを制御するものとしてよい。シャッタ音のようなスマートフォン側で出力される音により上述のＬＥＤのオンオフを制御するものとしてもよい。この際には、音による制御に、ＤＴＭＦ（Ｄｕａｌ・Ｔｏｎｅ
Ｍｕｌｔｉ・Ｆｒｅｑｕｅｎｃｙ）を用いて信号を送信するようにしてもよい。
【０１１８】
また、コンバージョンレンズ側で、所定の時間間隔に基づいて、白色ＬＥＤの点灯および消灯と、肌色ＬＥＤの点灯および消灯を行うようにし、この点灯と消灯をスマートフォン３のデジタルカメラ側で検知し、これに基づいて、肌色光ＬＥＤが発光している場合のキメモードの撮影と、白色光ＬＥＤが発光している場合のシミモードの撮影を行うようにしてもよい。
また、コンバージョンレンズからスマートフォン３を介してデータ管理サーバ５側にコンバージョンレンズが正規品か非正規品（偽物）かの識別や、各コンバージョンレンズの利用条件の違い等の識別に用いられるＩＤ（シリアルＮｏ．）を送信する構成としてもよい。この場合に、コンバージョンレンズ側からスマートフォン３側に上述のＵＳＢ、Ｂｌｕｅｔｏｏｔｈ、ＷｉＦｉ。ＮＦＣ等を用いてＩＤを送信してもよい。また、これらの通信手段をコンバージョンレンズ側に設けない場合に、例えば、コンバージョンレンズの購入時にコンバージョンレンズに付帯する箱、マニュアル、保証書等の付帯物に二次元バーコード等のバーコードやその他のコードや文字列をスマートフォン３で撮影し、撮影された画像またはこの画像の画像認識によりバーコード等から変換されたＩＤや、文字認識されたＩＤをデータ管理サーバ５側に送信するものとしてもよい。また、コンバージョンレンズのスマートフォン３による撮影の際に撮影画像に写り込む部分に、上述のバーコードや文字列を配置し、撮影された肌画像データをデータ管理サーバ５に送ることにより、データ管理サーバ５側で肌画像データに写り込んだバーコード等からコンバージョンレンズのＩＤを読み取るものとしてもよい。
【０１１９】
また、将来的にスマートフォンのカメラにマクロ機能が付与されて、肌の接写が可能になったり、単にマクロ機能ではなく、肌カメラとして上述のキメやシミの撮影が可能な光学系を有するデジタルカメラが取り付けられる可能性があり、そのような場合には、スマートフォンに付属のデジタルカメラによりコンバージョンレンズなしで肌を撮影し、その画像データをデータ管理サーバ５に送るものとしてもよい。
【０１２０】
また、肌状態測定装置１としては、上述の肌用カメラ以外に例えば経表皮水分蒸散量を測定する周知の蒸散計であってもよいし、肌のメラニン量を計測するメラニン計であってもよい。
また、直接肌の状態を測定する装置ではないが、環境測定センサとして紫外線（ＵＶ）を測定する装置（ＵＶチェッカ）をスマートフォン３に接続可能にしてもよい。なお、肌に対する紫外線の影響を見る上では、ＵＶチェッカは、メラニン生成にかかわるＵＶ−Ａと、炎症を引き起こすＵＶ−Ｂを別々に独立した数値データとして、それぞれ連続的に出力可能になっていることが好ましい。
【０１２１】
このような肌状態測定装置１は、上述の製品シリアルＮｏ．と測定データをＵＳＢインターフェース１３を介してスマートフォン３に出力することが可能になっている。
また、製品シリアルＮｏ．が認証されると、スマートフォン３を介して出力される測定データに対する分析結果データが得られるようになっている。なお、コンバージョンレンズの場合には、上述の有線または無線の通信でコンバージョンレンズの製品シリアルＮｏをスマートフォン３にできるようになっていることが好ましい。また、スマートフォン３とコンバージョンレンズ側とで通信を行わない場合には、コンバージョンレンズのスマートフォン３のデジタルカメラの撮像範囲で肌の撮影範囲外に製品シリアルＮｏ．を示す２次元バーコード等の光学認識可能なコートを配置し、これにより、コンバージョンレンズからスマートフォンに製品シリアルＮｏ，送信可能にしてもよい。この場合に、スマートフォン側には、二次元バーコードの読み取りが可能なプログラムを後述の専用アプリ５ｊの一部としてインストールしておく必要がある。これにより、特定のコンバージョンレンズ・肌カメラの利用者とその他の利用者との区分が可能となり、さらに、偽コンバージョンレンズ・非正規コンバージョンレンズの排除あるいは不適切撮影画像の排除も行うことができる。
【０１２２】
また、肌状態測定装置１としての肌用カメラにおいて、例えば、所定の条件下で撮影を行い、その際に得られた画像データと製品シリアルＮｏをスマートフォン３を介してデータ管理サーバ５に送ると、明るさや色合いの校正が行えるようになっている。なお、所定の条件下での撮像とは、例えば、白黒パターンやカラーパターンに肌用カメラのフードを押し付けた状態での撮影である。
【０１２３】
校正により得られた校正データで画像データを修正してもよいし、例えば、肌用カメラ側で校正データに基づく調光データや調色データにより照明用ＬＥＤの調整を行うものとしてもよい。なお、スマートフォン３にＵＳＢインターフェース１３を介して肌状態測定装置１を接続するものとしたが、ブルートゥース（登録商標）を用いて、スマートフォン３に肌状態測定装置１を接続するものとしてもよい。
【０１２４】
スキンケア装置２には、例えば、プラスイオンで皮膚の汚れを落とすイオンクレンジング装置、肌に微弱な直流電流を流して皮膚の奥深くまでイオン化した成分を浸透させるイオン導入装置、ＬＥＤの光を当てることで皮膚の細胞の活性化と温熱効果を与えるＬＥＤ光エステ装置、ゲルマニウム等が取り付けられたローラで肌に刺激を与え、マッサージ効果を有するローラエステ装置、肌を冷却して毛穴を引き締めるクールエステ装置、超音波によりマッサージ効果と温熱効果を与える超音波エステ装置とが用意されている。
【０１２５】
また、スキンケア装置２は、実際に肌に作用する作動部２１を備えるとともに、肌状態測定装置１と同様に、制御部１２、ＵＳＢインターフェース１３を備える。また、スマートフォン３にＵＳＢインターフェース１３を介してスキンケア装置２を接続することで、スマートフォン３により、スキンケア装置２の作動時間や出力のレベル等を制御可能になり、ユーザーがスキンケア装置２を作動させてからスマートフォン３側で設定された時間になると、作動停止するようにすることができる。また、出力レベルが複数段階あるスキンケア装置２では、スマートフォン３側から出力レベルを設定可能になっている。
例えば、後述のデータ管理サーバ５には、上述の分析結果データと、スキンケア装置２の作動時間や出力レベルといった制御方法とが関連付けられたスキンケア用データベース５ｌが設けられており、例えば、測定データ用データベース５２から分析結果データを取得して、当該分析結果データに対応する制御方法をスキンケア用データベース５ｌから取得して、スキンケア装置２を制御できる。すなわち、測定データの分析結果に基づいてスキンケア装置２を効率的に作動させることができる。
【０１２６】
なお、スキンケア装置２においても、肌状態測定装置１と同様に認証用文字列としての製品シリアルＮｏ．が出力可能に記憶されている。
前記ユーザークライアントは、基本的にスマートフォン３であるが、例えば、ノートパソコンや、タブレット型（パッド型）パソコンの等のプログラムに基づいて処理を行う汎用演算処理装置（例えばＣＰＵ）を備えた装置である。ユーザークライアントとしては、無線電話回線やその他の無線通信回線により、ネットワークとしてのインターネット４に接続可能で携帯可能な機器が好ましい。
【０１２７】
ユーザークライアントとしてのスマートフォン３は、例えば、無線通信として携帯用の無線電話回線を使用できるとともに、無線ＬＡＮ（ＷｉＦｉ）を使用できるようになっており、これらの無線通信を用いてネットワークとしてのインターネット４に接続可能になっており、無線携帯端末（無線携帯クライアント）となっている。
【０１２８】
また、スマートフォン３では、例えば、ダウンロードしてインストールしたアプリケーション（以下、専用アプリ５ｊと略す）を実行可能になっており、この実施形態では、専用アプリ５ｊとして肌状態測定用アプリをデータ管理サーバ５からスマートフォン３にダウンロードするようになっている。
【０１２９】
スマートフォン３で実行される専用アプリ５ｊの機能は、図２、図３に示すように、４つの機能を有する。すなわち、診断エステ、ケアエステ、生活エステ、メイクエステの４つの機能である。診断エステは、ＵＳＢインターフェース１３を介してスマートフォン３に接続される各種の測定装置（センサ）を用いて図３に示す各種の測定が可能になっている。各測定装置は、専用アプリ５ｊが入力されたスマートフォン３のＵＳＢ端子に接続することで利用可能になる。また、各種類の測定装置を付け替えることにより、それぞれの異なるセンサによる測定が可能であり、主に肌の状態を測定することができる。
また、各種測定装置の測定結果をデータ管理サーバ５に送信して記憶しておくことができるとともに、測定結果から肌の状態を分析してもらうようなことも可能となっている。
【０１３０】
ケアエステは、各種スキンケア装置をスマートフォン３に接続して使用できるようになっている。この場合も上述の診断エステと同様に、各種スキンケア装置をＵＳＢ端子に取り付けることで使用可能である。また、スマートフォン３と接続することで、使用履歴を残すことができ、スマートフォン３をデータ管理サーバ５とデータ通信可能な状態とすることにより、各種スキンケア装置の制御も可能になる。
【０１３１】
生活エステは、診断エステが主に肌を対象にしていたのに対して、普段の生活を対象にしており、紫外線量をチェックしたり、口臭をチェックしたりする機器をスマートフォン３のＵＳＢ端子に接続できるようになっている。メイクエステは、主に、メイク等に関する情報提供を行うものである。
【０１３２】
図２には、スマートフォン３の表示手段としての表示画面３ａ、３ｂ、３ｃ、３ｄを示すものであり、表示画面３ａはメインメニューを示し、表示画面３ｂは診断エステメニューを示し、表示画面３ｃは登録センサ表示を示すものである。なお、後述のように、登録センサ表示では、予め登録可能な機器のマークが表示されるようになっているが、登録されたことがない機器のマークは登録されたことのある機器のマークより暗く表示されるようになっている。
複数の測定装置やスキンケア装置を接続できることから、システマティックな構成となっていることにより、上述のようなマークの表示により、スマートフォン３に接続できる機器を集めたいという意欲を生じさせるものとなっている。
また、ケアエステにおいても、表示画面（登録画面３ｄ）に示すように、複数のスキンケア装置を接続可能になっている。図４に示すように、ケアエスの登録画面３ｄにおいて、登録されたことがある機器のマークが明るく光、登録されたことがない機器は、暗く表示されるようになっている。
【０１３３】
スマートフォン３の演算処理装置で実行される肌状態測定用の専用アプリ５ｊは、上述のように肌状態測定装置１としての肌用カメラを接続した場合に、肌用カメラで撮像された画像データをＵＳＢインターフェース１３を介して入力し、インターネット４上のデータ管理サーバ５に出力する測定データ送信手段としての機能を備える。また、データ管理サーバ５から送信される例えば測定データを分析した結果になる分析結果データを受信してスマートフォン３のディスプレイに表示する分析結果表示手段としての機能を有する。
【０１３４】
また、上述の専用アプリ５ｊは、データ管理サーバ５の運営者が管理する肌状態測定分析情報管理システムを利用する会員（ユーザ）となるためのユーザデータ（個人情報）の入力である会員登録や、ユーザーデータのうちの個人を特定可能な所定の個人情報を含まない付帯データの入力であるアンケートへの応答を行うユーザーデータ送信手段としての機能を有する。
【０１３５】
また、上述の専用アプリ５ｊは、後述のようにデータ管理サーバ５に記憶されている上述の各ユーザーデータ、測定データ、測定データに対する分析結果データを閲覧できるように要求するデータ閲覧要求手段としての機能を有する。
また、専用アプリ５ｊは、要求したデータがデータ管理サーバ５から受信した場合に、これらデータをディスプレイに表示するデータ表示手段としの機能を有する。
【０１３６】
また、専用アプリ５ｊは、肌状態測定装置１から入力される認証用文字列をデータ管理サーバ５に送信する装置認証送信手段としての機能を有する。
また、スマートフォン３に、スキンケア装置２用の専用アプリ（ケア用アプリ）５ｊをデータ管理サーバ５からダウンロードしてインストール可能になっている。
また、スキンケア装置２の制御方法を取得する制御方法取得手段としてのスマートフォン３の専用アプリ５ｊとしてのケア用アプリは、データ管理サーバ５から制御方法を取得して、スキンケア装置２を上述のように制御する機能を有する。
【０１３７】
また、スマートフォン３のケア用アプリは、データ管理サーバ５からスキンケア装置２の使用スケジュールを取得するスケジュール取得手段として機能し、この使用スケジュールを例えばディスプレイに表示して報知するスケジュール報知手段として機能する。
また、スマートフォン３のケア用アプリは、スキンケア装置２から作動開始を示す信号と、作動終了を示す信号とが入力した場合に、使用日時と使用時間とのデータを有する使用履歴データを生成し、この使用履歴データをデータ管理サーバ５に送信する使用履歴生成手段として機能する。
【０１３８】
データ管理サーバ５は、図１に示すように、基本的に上述のユーザーデータを記憶するためのユーザーデータ用データベース５１と、肌状態測定装置１による測定データを記憶するための測定データ用データベース５２と、測定データから分析結果を取得するためのデータ分析用データベース５３と契約者用データベース５４とを備える。
【０１３９】
データ管理サーバ５は、より詳細には図５に示すように、サーバとして機能するためのＣＰＵ等を有する制御部５ｋを備える。また、データ管理サーバ５では、ユーザーデータ用データベース５１が複数に分けられており、ユーザーデータ用データベース５１として、顧客（ユーザ）個人情報管理データベース５ａ、ケアエステデータベース５ｃ、使用化粧品履歴データベース５ｄ、お手入れカルテデータベース５ｏを備える。また、データ管理サーバ５は、測定データ用データベース５２として、肌履歴データベース５ｂ、詳細診断結果データベース５ｅを備える。
【０１４０】
また、データ管理サーバ５は、データ分析用データベース５３として肌基準値データベース５ｇを備える。また、また、データ管理サーバ５は、契約者用データベース５４として、データ二次利用者アクセス権管理データベース５ｈを備える。
【０１４１】
また、データ管理サーバ５は、上述のデータベース５１〜５４以外に、複数のスマートフォン３で、一つの肌状態測定装置１やスキンケア装置２を使いまわして利用できるように、同じ製品シリアルＮｏ．の装置を管理する機器情報データベース５ｉを備える。
【０１４２】
また、データ管理サーバ５は、上述のデータベース５１〜５４以外に、分析結果データに基づいてスキンケア装置２の制御方法を検索可能なスキンケア用データベース５ｌと、肌用カメラ（画像データ）を校正するための校正用データベース５ｍと、簡易診断の結果に基づいてスキンケア装置２の使用スケジュールを求めるためのスケジュール用データベース５ｎとを備える。さらに、データ管理サーバ５は、上述のデータベース５１〜５４以外に、登録化粧品データベース５ｐと化粧品メーカー管理データベース５ｑとを備える。
【０１４３】
顧客個人情報管理データベース５ａは、表１に示すように、スマートフォン３を用いてユーザーが入力したデータとして、顧客ＩＤ、個人ユーザーＩＤ、個人パスワード、氏名、生年月日、年齢、性別、住所１（国）、住所２（都道府県）、住所３（市町村（区））、住所４（番地（マンション名部屋番号））、メールアドレス、課金情報（クレジットカード情報等）が記憶される。なお、顧客ＩＤは、個人のユーザーＩＤに対応して、データ管理サーバ５側で付されるＩＤであり、個人ユーザーＩＤは、ユーザーが他のユーザーの個人ユーザーＩＤと重ならないことを条件に設定するＩＤである。また、個人パスワードは、個人ユーザーＩＤと合わせてユーザーの認証に用いられる。なお、各ユーザーに１対１で対応するＩＤとして、顧客ＩＤと個人ユーザーＩＤとの二つを使用しているが、これらを一つのＩＤで兼用するものとしてもよいし、ユーザーＩＤとして、顧客ＩＤだけを用いるものとしてもよいし、ユーザーＩＤとして個人ユーザーＩＤを用いるものとしてもよい。
【０１４４】
【表１】
2020102250.tif 000003
【０１４５】
また、各データベースでユーザーに関連するデータが記憶されている場合には、すべて顧客ＩＤで管理されており、各ユーザーに関連するデータがそれぞれ記憶されている各データベースを顧客ＩＤで検索することで、各ユーザーに関連するデータを全て検索して取得できるようになっている。
したがって、顧客個人情報管理データベース５ａにおいても、各顧客ＩＤ毎に関連付けて各ユーザーのデータが登録されている。
【０１４６】
また、顧客個人情報管理データベース５ａには、表１に示すように、さらに、スマートフォン３に接続された肌状態測定装置１やスキンケア装置２から入力される製品シリアルＮｏ．が記憶されるようになっている。なお、製品シリアルＮｏ．は、後述のようにデータ管理サーバ５で認証された後に記憶されるようになっており、製品シリアルＮｏ．が顧客個人情報管理データベース５ａに登録されている場合には、製品シリアルＮｏ．の認証を行わない。
【０１４７】
また、肌履歴データベース５ｂには、表２に示すように、顧客ＩＤとデータ入力日時に関連づけて、各肌状態測定装置１から入力される測定データが登録される。また、この測定データに関連付けられて、分析結果記憶手段として各簡易診断（分析）結果のデータが登録される。なお、例えば、３０分以内等の所定の時間範囲内で、複数種の肌状態測定装置１から測定データが入力された場合には、総合簡易診断が行われ、この総合簡易診断の結果のデータが登録される。さらに、測定データに対して詳細診断が行われた場合には、詳細診断の結果が通知された後に、詳細診断結果データベースに顧客ＩＤと測定日時に関連付けて詳細診断の結果のデータが登録され、肌履歴データベースには、詳細診断結果データベースへの当該書込データの格納アドレスが登録される。
【０１４８】
【表２】
2020102250.tif 000004
【０１４９】
なお、簡易診断は、例えば、予め蓄積された測定データと診断結果データとしての肌状態のランクをあらかじめ対応づけて肌基準値データベース５ｇに登録しておき、肌基準値データベース５ｇに測定結果としての測定データに対して、肌基準値データベース５ｇの測定データから近似する測定データを選択し、当該測定データに関連付けられたランクを簡易診断結果として出力するようになっている。この処理は、肌状態分析手段としてのデータ管理サーバ５の簡易診断プログラム５ｆにより行われる。また、肌用カメラのように、測定データが画像データの場合には、周知の画像認識により肌基準値データベース５ｇに登録された測定データとしての画像データの中から、肌用カメラで撮像された画像データに近似する画像データを選択するようになっている。
【０１５０】
なお、入力肌画像としては、表２に示すように、肌色光のＬＥＤ照明で撮影したキメ診断用画像と、白色光のＬＥＤ照明で撮影したシミ診断用画像と、自然光に近いＬＥＤ照明を用いた撮像した肌画像または上述の白色光または肌色光のＬＥＤで撮影する際にホワイトバランス（例えばオートホワイトバランス）により色を再現した肌画像がある。肌画像は、例えば、肌の色（日焼けやくすみ等による色の違い）の判定で用いられる。なお、この実施形態では、肌の色の判定は、簡易診断では行われず、詳細診断で行われる。
【０１５１】
各診断用の画像を用いた簡易診断では、キメ、シミ、シワが判定される。なお、シワは、例えば、キメ診断用画像が用いられるが他の画像を用いるものとしてもよい。簡易診断には、上述のように肌基準値データベース５ｇに記憶されるとともに点数（ランク）と関連付けられた多数の画像データと比較し、ユーザーが撮影して入力した画像データに最も近い画像データが選択され、その画像データの点数（ランク）が簡易画像診断の結果となる。なお、例えば、多数収集された画像データをキメ、シミ、シワのランクで統計処理し、偏差値を求めておき、類似する画像データの偏差値を診断結果として用いてもよい。
【０１５２】
また、例えば、特許５０８００６０号公報に示されるような毛穴、角栓のポルフィリン、しわ、しみ、肌色の各解析手法により、上述の診断用画像を用いて診断結果（分析結果）を得るものとしてもよい。
【０１５３】
また、肌履歴データには、データ入力日時におけるスマートフォン３に内蔵されたＧＰＳにより測定された位置情報（測定地点）がＧＰＳデータとして登録されるようになっている。また、上述のＧＰＳの測定地点における天気情報を天気情報サイトから取得して登録するようになっている。なお、データ入力日時は、肌の各測定を行った日時であるが、簡易診断結果が記憶された日時でもよい。各項目のデータは、肌の測定を行うことにより、自動的に入力される。
【０１５４】
測定条件フラグは、例えば、ＧＰＳデータが通常の測定地点から遠い場合、例えば、前回までの複数回の測定において、同じ県や同じ市で測定が連続して行われていたのに対して、所定距離以上離れた測定地点から肌の測定データが入力された場合に、当該測定地点で測定された測定データや簡易診断結果に対してフラグ（測定条件フラグ）を設定するようになっている。なお、測定地点の他に天気情報における気温や湿度が所定範囲または入力日時における測定地点での平均気温や平均湿度との差が所定範囲を超えるような場合に測定データや簡易診断結果にフラグを設定してもよい。
【０１５５】
このフラグが設定された測定データや簡易診断結果は、各データの平均を求めるなどの統計処理を行う場合に除外され、例えば、フラグが設定されたデータは、統計処理を行う
際の母集団に含まれないようになっている。すなわち、いつもいる場所とは遠く離れた場所にいる場合や、気象条件が大幅に異なる場合には、環境条件が大幅に異なる場合があることから測定結果が異常値になる可能性があり、統計結果に異常値が影響してしまうのを防止するために、統計処理の母集団からフラグが設定されたデータを除外するようになっている。
【０１５６】
肌画像簡易診断結果には、上述のように求められるキメ、シミ、シワの簡易診断結果としての点数（ランク）や偏差値が登録される。また、これらキメ、シミ、シワの診断結果や、肌画像における色（乾燥や肌荒れによる赤さなど）や、アトピーによる湿疹の有無や、乾燥によるキメの乱れから肌タイプが選択されるようになっている。なお、肌タイプは、詳細診断でも決定されるようになっており、後述の詳細診断結果データベース５ｅの説明において説明する。
【０１５７】
また、詳細診断は、測定データを例えば提携企業としての化粧品会社サーバ（化粧品会社Ａサーバ６１、化粧品会社Ｂサーバ６１）で行われるものであり、化粧品会社サーバが肌状態分析手段になる。基本的には、簡易診断と同様に、測定データと分析結果データを関連付けた詳細診断システム６２に含まれるデータベースから、肌状態測定装置１で得られた測定データに近似する測定データを選択し、当該測定データに関連付けられた分析結果データを出力するものである。ただし、詳細診断では、例えば、登録されている測定データ数および分析結果データが簡易診断の場合より多く、詳細診断用のデータベースにさらに細かく分類された状態となっており、簡易診断より詳細な分析結果を得られるようになっている。また、詳細診断用に各化粧品会社独自のアルゴリズムで、データベースに登録された測定データを選択して、それに対応する分析結果を得られるようになっていてもよい。
【０１５８】
使用化粧品特定情報記憶手段としての使用化粧品履歴データベース５ｄには、表３に示すように、顧客ＩＤに関連付けてスキンケア用品（化粧品）の履歴データが各化粧品カテゴリー（種類）毎に登録されている。なお、この履歴のデータは、ユーザーが購入した化粧品を登録するものであり、後述のユーザー化粧品登録処理により、化粧品特定情報入力手段としてのスマートフォン３を介してユーザーが購入した化粧品（使用する化粧品）の商品コードが登録される。この商品コードが化粧品を特定可能な化粧品特定情報となる。なお、ここでは、商品コードとして、バーコードで用いられていれるＪＡＮ（Ｊａｐａｎｅｓｅ  Ａｒｔｉｃｌｅ  Ｎｕｍｂｅｒ）コードが用いられた例を示している。
【０１５９】
【表３】
2020102250.tif 000005
【０１６０】
使用化粧品履歴データベース５ｄでは、表３の右側に示すように、履歴データにおける各化粧品のカテゴリー（種類）を示す番号と、商品コードと、使用開始日と使用終了日が登録される。
【０１６１】
表３の右側では、一例として、化粧品カテゴリーが洗顔料の場合を示すもので、洗顔料の商品カテゴリーのコードナンバーとして１が登録され、商品コードに使用開始日、使用終了日が紐付けされて記憶される。なお、使用中の場合（使用終了を入力していない場合）には、使用終了日は登録されていない。
なお、使用開始日は、上述のユーザー化粧品登録処理が行われた日としてもよいし、例えば、肌カメラで撮影した画像データを送信する際に、スマートフォン３の専用アプリ５ｊの処理により使用開始した化粧品がある場合にユーザーに入力するように指示するものとしてもよい。
【０１６２】
この場合に、スマートフォン３の表示では、ユーザー化粧品登録処理により化粧品の情報が登録される登録化粧品データベース（登録化粧品記憶手段）５ｐに登録されたデータに基づいて、各化粧品カテゴリーに対応して化粧品の商品名（＋メーカ名等）がプルダウンメニュー等で一覧表示され、その中から使用開始する化粧品を選択するものとしてもよい。それにより、登録化粧品データベース５ｐにおいて、化粧品名に関連付けられた商品コードが登録されるとともに、入力日が使用開始日として登録される。同様にスマートフォン３の専用アプリ５ｊから使用終了した化粧品がある場合にユーザーに入力するように指示するものとしてもよい。
【０１６３】
この場合は、使用開始した化粧品の商品名等のデータをプルダウンメニュー等で一覧表示し、使用終了した化粧品の商品名等をユーザーが選択するものとしてもよい。この場合も選択された化粧品の商品コードが入力されるとともに入力日が使用終了日として登録される。なお、使用化粧品の入力方法としては、後述のようにバーコードを入力したり、キーワード検索で登録化粧品データベース５ｐを検索して抽出された化粧品のデータを入力したりするものとしてもよい。
また、使用終了日については、新規に同一カテゴリーの化粧品が使用化粧品履歴データベース５ｄに登録された場合に、ユーザーに登録済みの同一カテゴリーの化粧品を使用終了したか否かを問合せ、その回答に基づき当該化粧品の使用終了日を登録するようにしてもよい。あるいは、登録化粧品データベース５ｐに、化粧品毎に化粧品の容量（ｍｌ）と推奨使用量（ｍｌ／回）とが登録されており、データ管理サーバ５またはスマートフォン３で、使用開始日から１日の化粧品の使用回数に推奨使用量を乗算した値を毎日加算（積算）していくとともに、化粧品の容量と比較し、毎日加算された値が容量を超えた場合や、容量の９０％等の容量の所定割合を超えた場合に、専用アプリ５ｊがユーザーが使用している化粧品がなくなっていないか、もしくは残量が少なくなっていないかを通知し、ユーザーに使用終了したか否かを問合せ、その回答に基づき使用終了日を登録するようにしてもよい。
【０１６４】
また、この際には、残り少なくなった化粧品を買うように促すメッセージを表示したり、化粧品の通販サイトの残り少なくなった商品のページのＵＲＬを当該ページをリンクした状態に表示してもよい。
また、今まで使っていた化粧品がなくなるか、残り少なくなったことに対応して、残り少ない化粧品と同じカテゴリーの別の化粧品を紹介する表示を行うものとしてもよい。この際は、当該化粧品のメーカーや販売会社の当該化粧品のウェブページのＵＲＬを当該ページをリンクした状態に表示してもよい。
【０１６５】
化粧品カテゴリーは、表４に示すように、例えば、洗顔料、メイク落とし、化粧水、乳液、クリーム、美容液、美白液、その他等であり、これらの各カテゴリーに対して、上述のカテゴリーナンバが対応づけられている。なお、化粧品カテゴリーは、一例であり、異なるカテゴリーの分け方を行ってもよい。
【０１６６】
【表４】
2020102250.tif 000006
【０１６７】
使用化粧品特定情報記憶手段としてのお手入れカルテデータベース５ｏは、表５に示すようにユーザーの顧客ＩＤに関連付けて、例えば、ユーザーが任意で毎日、朝と夜に使用した化粧品を登録するものである。上述の使用化粧品履歴データベース５ｄでは、化粧品の使用開始日と使用終了日が登録されるが、お手入れカルテデータベース５ｏでは、毎日、朝と夜に使用した化粧品を登録可能になっている。後述するスケジューラー機能の下で、使用した化粧品のデータが入力され、データ管理サーバ５に送信されるようになっている。
これにより、お手入れカルテデータベース５ｏには、顧客ＩＤと、日付と時間帯として朝または夜と、使用化粧品データとして、例えば、上述の商品コードが登録される。
【０１６８】
【表５】
2020102250.tif 000007
【０１６９】
例えば、表５の右側に示すように、お手入れカルテデータベース５ｏにおいては、日付と朝または夜という時間帯と、使用した化粧品の商品コードが登録される。この商品コードは、上述のユーザー化粧品登録処理で登録された化粧品の情報から選択されることになり、上述の使用化粧品履歴データベース５ｄに登録された化粧品がスマートフォン画面上に表示され、表示された化粧品から実際に使用した化粧品を選択入力することができる。
【０１７０】
ケアエステデータベース５ｃには、表６に示すように、顧客ＩＤに関連づけて、各スキンケア装置２の使用履歴として、スキンケア装置２の種類を示すケアエステ種類コード（種別）と、スキンケア装置２の作動開始日時を示すケアエステ開始日時と、その後のスキンケア装置２の作動終了日時を示すケアエステ終了日時を登録するようになっている。なお、スキンケア装置の開始、終了日時は、スキンケア装置２を使用した際に、スキンケア装置が接続されたスマートフォン３の専用アプリ５ｊにより自動的に登録されることが好ましい。
【０１７１】
【表６】
2020102250.tif 000008
【０１７２】
分析結果記憶手段としての詳細診断結果データベース５ｅは、表７に示すように、上述の詳細診断の結果を顧客ＩＤに関連づけて登録するものであり、詳細診断が行われた日である診断日時（詳細診断を頼んだ測定データの測定日時を含んでもよい）と詳細診断結果のデータが登録される。また、詳細診断の結果に対応して選択されるアドバイスのデータや、推奨化粧品（スキンケア用品）のデータが登録されている。なお、アドバイスデータや推奨化粧品データは、化粧品会社Ａサーバ、化粧品会社Ｂデータベースにおけるアドバイス決定部、推奨化粧品決定部で決定されるが、基本的に各アドバイスおよび推奨化粧品が各詳細診断結果に関連づけて登録されており、詳細診断結果が決まることで、アドバイスと推奨化粧品が決定される。
アドバイスは、例えば、生活習慣等で避けた方がよいことや、肌のマッサージ方法などである。また、推奨化粧品は、詳細診断結果からわかる肌の状態に適した化粧品やスキンケア商品である。
詳細診断の結果は、基本的には簡易診断と同様に予め登録された測定データをランク分けしておき、この登録された測定データから入力される測定データに近似する測定データを選択し、当該測定データに対応付けられた診断結果を診断結果とするものであり、ここでは、たとえば、肌タイプ、キメ、シミ、シワ、乾燥、毛穴、色等が診断される。すなわち、簡易診断より診断項目が多くなっているとともに、診断結果がより詳細に判定されるようになっている。
【０１７３】
【表７】
2020102250.tif 000009
【０１７４】
ここで、肌タイプの判定は、例えば、上述の簡易診断でも判定されるものであり、基本的に肌基準値データベース５ｇに、各肌タイプ毎の肌の画像データが、各肌タイプ毎に複数ずつ登録されており、画像認識により、入力された測定データに最も近い登録測定データに関連付けられた肌タイプが選択されることになる。なお、基本的な方法は、詳細診断でも同様であるが、詳細診断の方が画像認識能力や、使用する肌基準値データベースに登録された画像データの数量等が簡易診断より優っている。なお、肌タイプには、表８に示すように、１普通肌、２敏感肌、３脂性肌、４混合肌、５乾燥肌、６アトピー肌等があり、このコードが詳細診断結果データベース５ｅに登録される。
【０１７５】
【表８】
2020102250.tif 000010
【０１７６】
肌基準値データベース５ｇは、表９に示すように、簡易肌診断に用いられるもので、測定データに対応して肌のキメ、肌のシミ、画像データからの肌色解析、画像データからの皮脂解析、蒸散計のデータからのうるおい解析等として、それぞれ、例えば、悪い状態から良好な状態まで、肌の状態が１０段階のランクに分けらており、それぞれが上述のように登録された多数の測定データに関連付けられている。
したがって、肌状態測定装置１で測定した測定データで肌基準データベースを検索することで、肌の状態を示すランクを得ることができる。このランクが簡易診断の結果になる。
【０１７７】
【表９】
2020102250.tif 000011
【０１７８】
機器情報データベース５ｉは、表１０に示すように、各肌状態測定装置１の製品シリアルＮｏ．と、各スキンケア装置２の製品シリアルＮｏ．が登録されている。この機器情報データベース５ｉに格納されている製品シリアルＮｏ．により、認証を行うものとしてもよい。
【０１７９】
【表１０】
2020102250.tif 000012
【０１８０】
また、機器情報データベース５ｉにおいては、上述の各肌状態測定装置１およびスキンケア装置２の製品シリアルＮｏ．と、顧客ＩＤとを対応づけたものである。上述のようにシリアルＮｏ，の認証が行われて、各肌状態測定装置１、スキンケア装置２が認証された場合に、各装置が接続されたスマートフォン３に対応する顧客ＩＤに関連付けて認証されたシリアルＮｏが登録される。この場合に、例えば、一つの肌状態測定装置１またはスキンケア装置２を３人まで、すなわち、３台のスマートフォン３まで共有して使用可能となっている。しがたって、機器情報データベースにおいて、一つの製品シリアルＮｏ．に対して４つめとなる顧客ＩＤが登録されると、その顧客ＩＤのスマートフォン３を介して上述の製品シリアルＮｏ．の肌状態測定装置１またはスキンケア装置２の使用が禁止される。例えば、スマートフォン３の上述の専用アプリ５ｊでエラーとなって、肌状態測定装置１またはスキンケア装置２が使用できない状態になる。
【０１８１】
データ二次利用者アクセス権管理データベース５ｈは、表１１に示すように、利用者（契約者、例えば、化粧品会社等のスキンケア用日の開発を行っている会社）顧客ＩＤ、利用者ユーザーＩＤおよび利用者パスワードが設定されており、これによりデータ二次利用者の認証が可能になる。
【０１８２】
また、データ二次利用者アクセス権管理データベース５ｈには、利用者ＩＤに関連付けて利用者検索レベルおよび利用者アクセスレベルのデータと、課金情報が登録されている。なお、課金情報は、データ二次利用者がデータの検索や、アクセス可能なデータの取得を行った場合の課金のデータであり、課金情報に基づいてデータの利用料金が利用者に請求される。
また、利用料金は、検索レベルおよびアクセルレベルによって異なるものとなっており、検索可能なキーワード（検索項目）が多いほど利用料金が高くなり、アクセルレベルが高いほど利用料金が高くなる。
【０１８３】
【表１１】
2020102250.tif 000013
【０１８４】
また、表１１には、具体的な検索レベルの違いによる検索キーワード（検索項目）の違いを示すとともに、アクセルレベルの違いによりアクセス可能、すなわち、検索結果として出力可能なデータの違いを示す。表示１１に示される検索レベル１、検索レベル２の各項目は、それぞれ顧客ＩＤに関連付けられたデータからなるデータ集合としてのデータブロックに対応している。たとえば、測定データや分析結果データは、測定方法毎にブロック分けされている。
【０１８５】
なお、年齢、性別、住所１、住所２、住所３は、上述の顧客個人情報管理データベース５ａに登録されているデータであるが、データ二次利用者がアクセスできるデータベースは、客個人情報管理データベースを除く、肌履歴データベース５ｂ、および使用化粧品履歴データベース５ｄ等である。
【０１８６】
すなわち、所定の個人情報として、個人ユーザーＩＤ、個人パスワード、氏名、生年月日、住所４を含む住所全体、メールアドレス、課金情報、シリアルＮｏ，のデータをデータ二次利用者が見ることができないようになっており、各個人情報管理データベース５ａには、利用者がアクセスできないようになっている。
したがって、年齢、性別、住所１、住所２、住所３の情報は、顧客ＩＤに関連付けて肌履歴データベース５ｂや、独立したデータベースに登録されたデータを利用者が見ることになる。
【０１８７】
ここで検索レベルとは、検索の条件を入力する検索項目をレベル分けしたものである。検索項目は、上述の測定データ、分析結果データ、付帯データの各データブロックのうちの一部のデータブロックに設定されており、表示１１の検索レベル１，２の各項目に対応するものである。すなわち、データの集合として、住所１のデータブロック、年齢のデータブロック等があり、これらのデータブロックが検索項目として設定されている。
【０１８８】
検索レベル１に示される検索項目は、顧客個人情報管理データベースに登録されているデータの項目から各顧客個人を特定可能な情報や、課金情報等の重要な情報を除いた付帯データの項目である。また、検索レベル１に対して検索レベル２の方が高いレベルとなり、検索レベル２には、検索レベル１にレベル分けされた検索項目が全て含まれるようにしている。すなわち、各検索レベルには、それより下位の検索レベルの検索項目が含まれる。言い換えれば、検索レベル２にレベル分けされた項目は、検索レベル１にレベル分けされた検索項目に、さらに検索項目を加えたものであり、表１１に示すように化粧品の使用履歴が検索項目として加えられている。
【０１８９】
アクセスレベルは、検索結果として出力可能なデータが属するデータブロックをレベル分けしたものであり、例えば、測定データには、上述のように入力肌画像、入力蒸散計データ、入力メラニン計データ等のデータブロックがあり、検索結果としては入力肌画像だけが欲しい場合に、入力肌画像のデータブロックを選択することにより、入力肌画像から検索されたデータだけが出力される。
また、アクセスレベルにおけるデータブロックのレベル分けにおいても、上位のアクセスレベルは、それより下位のアクセスレベルにレベル分けされたデータブロックを含むものとなっている。
【０１９０】
ここで、表示１１に示される検索レベル２では、検索項目として、例えば、クレンジング履歴データ、洗顔料履歴データ、化粧水履歴データ、美容液履歴データ、保湿クリーム履歴データ等のスキンケア用の化粧品の使用化粧品履歴データに基づいて、各種測定データ、分析結果データを検索可能になっている。なお、これらの使用化粧品の履歴データは、後述の使用化粧品履歴データ５ｄに登録されるものである。なお、スキンケア用の化粧品の分け方は一例であり、使用化粧品履歴データの分け方であってもよい。
【０１９１】
この使用化粧品履歴データには、化粧品を特定可能な商品コートと化粧品の使用時期（例えば、使用開始日と使用を中止した場合もしくは使い終わった場合の使用終了日））が登録されている。例えば、特定の化粧品を使用している人の測定データや分析結果データを見たい場合に、特定の化粧品を検索キーとして、この使用化粧品履歴データを用いて検索した場合に、例えば、当該使用化粧品の使用時期となる期間における測定データおよび分析結果データの検索が可能になる。分析結果データは、例えば、肌状態測定装置１による測定データを分析（診断）した結果であり、後述のように肌状態が例えば点数で表され、肌状態が良好なほど点数が高くなる。
【０１９２】
上述のように使用化粧品履歴データに基づいて分析結果データ（診断結果）を検索した場合に、化粧品の使用期間における肌状態の診断結果を求めることができる。この場合に、例えば、その化粧品を使用している間、肌状態の診断結果の点数が増加傾向か、減少傾向か、高い点数で推移しているか、低い点数で推移強いるか等を多くのユーザーに対して調査できることになる。
すなわち、化粧品の効能を調査可能である。また、分析結果データの検索は、上述のように複数種類に分けられた化粧品の複数種類を検索項目として検索可能であり、複数の化粧品の相乗効果や、効果の相殺等を判断することも可能である。また、診断結果として、肌画像によるキメやシミの結果や、メラニン計の結果や、蒸散計の結果など、肌状態測定装置１の種類に基づく複数種の分析結果を得ることができるので、各化粧品がどの分析結果に有効か有効でないか等の判断も可能である。これらのことから、使用している化粧品を検索キーとして、診断結果データを検索することが、化粧品の開発に極めて有用である
【０１９３】
さらにこの肌状態測定分析情報管理システムのデータ管理サーバ５には、校正用データベース５ｍを備える。校正用データベース５ｍは、例えば、表１２に示すように、肌用カメラで、所定条件での撮像として、白黒パターンを撮像した場合の画像データと、明るさのランクが関連づけられ、カラーパターンを撮像した場合の画像データと色合いのランクとが関連付けて登録されている。明るさランクとして例えば０から１０のランクが登録され、色合いのランクとして各青、緑、赤毎のランクが０から１０まで登録されている。
【０１９４】
各ランクに対応して登録された画像データと測定された画像データを比較して、校正データを得ることになるが、例えば、ランク５が標準になり、それよりランクが低いと暗いまたは対応する色が薄い状態であり、それよりランクが高いと明るいまたは対応する色が濃い状態になる。この校正データを用いて照明ＬＥＤの調光や調色を行ったり、画像データの補正を行ったりすることで、各肌用カメラの個体差等による影響を抑制するようになっている。
【０１９５】
【表１２】
2020102250.tif 000014
【０１９６】
分析結果データとしてのランクに関連付けて前記スキンケア装置２の制御方法が登録されているスキンケア用データベース５ｌは、例えば、表１３に示すように、上述の肌基準値データベースを用いた簡易診断におけるランクと、スキンケア装置２における制御方法とを関連付けたものである。
【０１９７】
例えば、肌状態測定装置１を肌用カメラのキメモードとし、スキンケア装置２をイオンクレンジング装置とした場合で、かつ、イオンクレンジング装置における出力レベルを例えば３段階に代えられるものとした場合を想定したスキンケア用データベース５ｌにおいては、肌のキメのランクが、ランク１〜ランク３の場合に、出力レベルを最も高い３とし、作動時間を１５分とする。また、キメのランクが４〜７の場合に出力レベルを真ん中の２とし、作動時間１０分とする。また、キメのランクが８〜１０の場合に、出力レベルを最も低い１とし、作動時間を５分とする。
これにより肌の状態に対応して効率的にスキンケア装置２を使用することができる。
【０１９８】
【表１３】
2020102250.tif 000015
【０１９９】
分析結果データとしてのランクに関連付けてスキンケア装置２の使用スケジュールデータが登録されているデータ管理サーバ５のスケジュール用データベース５ｎは、例えば、表１４に示すように、上述の肌基準値データベースを用いた簡易診断におけるランクと、スキンケア装置２における使用スケジュールとを関連付けたものである。
【０２００】
例えば、測定手段を肌用カメラのキメモードとし、スキンケア装置２をイオンクレンジング装置とした場合に、スケジュール用データベース５ｎにおいては、肌のキメのランクが、ランク１〜ランク３の場合に、毎日イオンクレンジングを行うものとし。また、キメのランクが４〜７の場合に週に３回イオンクレンジングを行うものとし、キメのランクが８〜１０の場合に、イオンクレンジングを週１回行うものとする。
これにより肌の状態に対応して効率的にスキンケア装置２を使用することができる。
なお、スケジュール用データベース５ｎによるスケジュールから、例えば、具体的にイオンクレンジングを行う曜日や時刻をユーザーが設定して、スケジュールをより具体的なものとしてもよい。
【０２０１】
【表１４】
2020102250.tif 000016
【０２０２】
上述の使用化粧品履歴データベース５ｄにおける化粧品の登録に際しては、各化粧品のデータが登録された登録化粧品データベース５ｐが参照される。例えば、バーコード（ＪＡＮコード）や、キーワード検索等により、ユーザーが使用する化粧品が登録化粧品データベース５ｐから検索されて肌履歴データベース５ｂに登録されることになる。
【０２０３】
なお、登録化粧品データベース５ｐの各化粧品毎に登録される情報としてのブランド名（商品名）と商品コードは、化粧品を特定可能な化粧品特定情報であり、その他の項目の情報では化粧品を特定するのが困難である。ここでは、化粧品を特定可能な商品名や商品コードを化粧品特定情報とし、化粧品を特定することが困難な容量、価格、発売日等の情報とを合わせて化粧品情報と称する。なお、メーカー名を商品名と合わせて化粧品を特定するための化粧品特定情報としてもよい。
この登録化粧品データベース５ｐは、表１５に示すように、ユーザー入力許可項目と、メーカー入力項目と、システム自動入力項目に分かれている。
【０２０４】
【表１５】
2020102250.tif 000017
【０２０５】
これは、未だ登録されていない化粧品を登録することを想定した項目であり、例えば、システム構築時等に登録化粧品データベース５ｐを作る場合には、データ管理サーバ５のオペレータやシステム管理者等が現状の化粧品を登録することになる。この場合に、多くの化粧品があることから全ての化粧品を登録することが困難である。例えば、海外の中小メーカーの化粧品まで登録することは困難である。また、比較的メジャーな化粧品でも登録漏れが有り得る。
【０２０６】
また、新製品は登録化粧品データベース５ｐに登録されていないので、新製品を登録する必要がる。新製品の発売を全てシステム管理者が調査して入力する場合に多くのコストがかかることになる。
【０２０７】
そこで、この実施形態では、上述のように使用化粧品履歴データベース５ｐに未登録の化粧品のデータをユーザーとメーカー側の担当者に入力してもらうようになっている。
【０２０８】
後述のようにユーザー化粧品登録に際し、ＪＡＮコードやその他の検索用のキーワード等で検索できない化粧品は、未登録データとして、登録化粧品データベース５ｐにデータを書込可能になる。
この場合にユーザーは、仮登録手段としてのスマートフォン３により未登録の化粧品のユーザー入力許可項目として、化粧品カテゴリーと、メーカー名と、ブランド名、容量、商品コード（ＪＡＮコード）を入力（仮登録）するようになっている。なお、ユーザーは全ての項目を入力しなくてもよく、必須項目として例えば、商品名およびメーカー名をに入力するものとしてもよい。ユーザーにより登録されていなかった化粧品の商品名やメーカー等が入力されると、入力されたメーカー名に基づいて、表１６に示す化粧品メーカー管理データベース５ｑ（化粧品メーカ連絡先記憶手段）が検索され、当該メーカーの担当者およびメーカーメールアドレス等が読み出される。予め設定された化粧品の登録を要請する文章や登録ウェブページのＵＲＬやメーカーＩＤやメーカーパスワード等が記載されたメールが作成され、読み出されたメーカーメールアドレスに上述の担当者宛てで送信される。なお、ここでは、メーカーの担当者へのｅメールの送信をデータ管理サーバ５が行うものとしているが、データ管理サーバ５は、ｅメールの作成のアシストをするだけで、最終的にオペレータがｅメールを送信するものとしてもよく、データ管理サーバ５が連絡支援手段として機能する。なお、連絡支援手段がｅメールの作成から送信まで行うものとしてよい。
【０２０９】
【表１６】
2020102250.tif 000018
【０２１０】
メールを受け取った担当者は、例えば、メールに記載された登録ページにアクセスして、メーカーＩＤとメーカーパスワードにより認証を受けることで、登録化粧品データベース５ｐのメーカー入力項目にデータ入力可能になる（登録許可手段）。但し、この際にアクセスできるのは、認証時に入力したメーカーＩＤに対応するメーカー名の登録されているレコードだけとなる。したがって、他社のメーカー名が登録されたレコードにはメーカーの担当者がアクセスできないように上述のメーカーＩＤとパスワードで認証されるようになっている。
メーカーの担当者は、例えば、自分が知っているメジャーな化粧品関係のサイトや、メジャーな企業が運営する化粧品関係のサイトに対して、自社製品（化粧品）の情報を登録することにより宣伝効果やユーザーへの支援等が見込めると判断すれば、自社製品の情報を登録する確率が高い
【０２１１】
メーカー担当者の入力項目は、発売日、既に生産が終了している化粧品の生産終了日、
外観写真、価格、一回当たり（一日当たり）の推奨使用量、成分データ、上述の各肌タイプ別の効果、紫外線に対するＰＡおよびＳＰＦ、色番号等が入力可能になる。また、メーカー担当者は、ユーザー入力許可項目への書込も可能であり、ユーザーが入力しなかった項目や、間違いのある項目にデータを書き込むことができる。
これにより、データ管理サーバ５側のオペレータ等による化粧品の新規登録の作業が必要なくなり、データ管理サーバ５側の管理コストの低減を図ることができる。
なお、成分データとしては、化粧品に使用される有効成分が予め登録されており、これら有効成分の有無が入力されるようになっている。また、その他の有効成分として、予め登録されていない有効成分を登録するものとしてもよい。
また、この成分データでは、化粧品に含まれる有効成分だけではなく、化粧品に含まれない成分が予め登録されており、それを有りとして入力すると、化粧品にその成分が含まれないことが入力されるようになっている。例えば、無香料を選択すると、香料が含まれないことを示すことになる。
次に、図６から図１８のフローチャートを参照して、この実施の形態の肌状態測定分析情報管理システムにおける肌状態測定分析情報管理方法について説明する。
この実施の形態の方法では、まず、肌状態測定分析情報管理用の専用アプリ５ｊをスマートフォンにダウンロードしてインストールする。
【０２１２】
図６のフローチャートを参照して、専用アプリ５ｊの起動後のユーザー登録処理を説明する。
アプリ５ｊを起動すると（ステップＳａ１）、ユーザー登録が処理済みか否かが判定される（ステップＳａ２）。
最初にアプリ５ｊを起動した際には、ユーザー登録が行われていないので、ユーザー登録を行うことになる。二回目以降のアプリ５ｊの起動では、既に、ユーザー登録が終わっていることになり、ユーザー登録の処理を終了し、アプリが起動することになる。
【０２１３】
ユーザー登録においては、個人ユーザーＩＤと、個人パスワードの入力が促され（ステップＳａ３）、ユーザーが個人ユーザーＩＤと、個人パスワードを入力すると、入力された個人ユーザーＩＤと、個人パスワードがスマートフォン３からデータ管理サーバ５の管理端末に送信される（ステップＳａ４）。なお、管理端末は、データ管理サーバ５を操作するためのものであり、基本的データ管理サーバ５の一部である。
【０２１４】
データ管理サーバ５では、個人ユーザーＩＤと、個人パスワードの受信に対応して顧客ＩＤが自動生成される（ステップＳｂ１）。また、受信した個人ユーザーＩＤと、個人パスワードが顧客個人情報管理データベース５ａとしての個人情報データベースに登録する処理を行う（ステップＳｂ２）。
【０２１５】
また、スマートフォン３では、設定されたユーザーＩＤをスマートフォン３内部の記憶手段に登録する（ステップＳａ５）。次に、個人情報の入力が促され、上述の氏名、生年月日等の個人情報を入力する（ステップＳａ６）。個人情報が入力されると、スマートフォン３からデータ管理サーバ５に個人情報の送信処理が行われ（ステップＳａ７）、スマートフォン３では、ユーザー登録処理が終了する。
また、データ管理サーバ５では、顧客個人情報管理データベース５ａに受信した個人情報を個人ユーザーＩＤおよび顧客ＩＤに関連付けて登録し（ステップＳｂ３）、処理を終了する。
【０２１６】
上述のようにユーザー登録処理が終わると、メニュー画面が表示される。メニュー画面には、１、センサ登録、２、肌診断、３、詳細肌診断結果表示、４、ケアエステ、５、肌改善状況判定、６肌履歴表示が表示される。
この際に、未だ肌状態測定装置１を接続してアプリを起動したことがない場合には、メニュー１のセンサ登録処理を行うように促される。
図７のフローチャートを参照してセンサ登録処理を説明する。
メニュー１が選択された段階、または、その後に肌状態測定装置１（センサ）が接続されているか否かが判定され（ステップＳｃ１）、肌状態測定装置１が接続されるのを待機する状態となる。
【０２１７】
肌状態測定装置１がスマートフォン３にＵＳＢインターフェース１３により接続されると、上述のようにＵＳＢインターフェース１３のデバイス・ディスクリプタのデータからセンサ種別を示すデータを読み取るとともに、ストリング・ディスクリプタから製品シリアルＮｏ．を読み取る（ステップＳｃ２）。製品シリアルＮｏ．から既に登録済みの肌状態測定装置１か否かが判定される（ステップＳｃ３）。登録済みの場合には、処理を終了する。
登録済みでない場合には、センサ種別と製品シリアルＮｏ．のデータ管理サーバ５に送信する（ステップＳｃ４）。
【０２１８】
データ管理サーバ５では、センサ種別と製品シリアルＮｏ．のデータを受信する（ステップＳｄ１）。データ管理サーバ５では、製品シリアルＮｏ．の認証を行う（ステップＳｄ２）。なお、製品シリアルＮｏ．は、所定のアルゴリズムにより設定されており、ランダムに設定した文字列が正規の製品シリアルＮｏ．となる可能性は低いものとなっている。前記アルゴリズムに基づいて、製品シリアルＮｏ．が正規のものか否かが判定されることになる。なお、機器情報データベース５ｉに正規の製品シリアルＮｏ．が全て登録されているものとし、機器情報データベース５ｉで製品シリアルＮｏ．が検索できない場合い認証に失敗したものとしてもよい。
【０２１９】
また、製品シリアルＮｏ．の認証に失敗した場合には、対応するエラーメッセージ、たたえば、このセンサは使用できません等を生成する（ステップＳｄ３）。
また、製品シリアルＮｏ．の認証に成功した場合には、機器情報データベース５ｉで、既に同じ製品シリアルＮｏ．が他のスマートフォン３に対応する顧客ＩＤと関連づけられているか否かを判定するとともに、他のスマートフォン３の顧客ＩＤと既に関連付けられている場合に、対応付けられている顧客ＩＤが三つ未満か否かを判定する（ステップＳｄ４）。
【０２２０】
ここで、既に三つの顧客ＩＤが関連付けられている場合には、対応するエラーメッセージとして、「この肌状態測定装置１を利用するスマートフォン３の数が制限を超えているので、このスマートフォン３ではこの肌状態測定装置１を使用することができません」というメッセージが生成される（ステップＳｄ３）。
【０２２１】
製品シリアルＮｏ．に関連付けられている顧客ＩＤが３つ未満の場合には、この製品シリアルＮｏ．の肌状態測定装置１が使用可能になる。この場合にセンサ種別および製品シリアルＮｏ．が、センサ情報データベースとしての顧客個人情報管理データベース５ａと、機器情報データベース５ｉに登録される（ステップＳｄ５）。
【０２２２】
次に、データ管理サーバ５における処理結果として、認証成功または認証失敗を示すデータがスマートフォン３に送信される（ステップＳｄ６）。また、認証失敗の場合には、上述のエラーメッセージがスマートフォン３に送信される。
スマートフォン３では、データが受信され（ステップＳｃ５）、認証成功を示すデータが受信するか否かで、登録完了か否かを判定する。（ステップＳｃ６）
【０２２３】
登録失敗の場合には、受信したエラーメッセージをディスプレイに表示し（ステップＳｃ７）、登録完了の場合には、スマートフォン３の内部の記憶手段にもセンサ種別と、製品シリアルＮｏ．を登録し（ステップＳｃ８）、スマートフォン３に肌状態測定装置１が接続された際に、この登録された製品シリアルＮｏ．を確認することで、上述のように登録済みの場合に、認証を行わないように制御する。
【０２２４】
次に、図８のフローチャートを参照して、メニュー２の肌診断について説明する。まず、アプリを起動した際にメニュー画面が立ち上がる。ここで、肌状態測定装置１が接続されている場合には、肌状態測定装置１が接続されたか否かの判定で（ステップＳｅ１）、肌状態測定装置１が接続されたと判定され、センサＩＤとしての認証用文字列が登録ずみか否かを判定し（ステップＳｅ２）、登録されていない場合には、上述のセンサ登録処理（ステップＳｅ３）を行い、センサが登録済みの場合には、肌状態測定装置１が作動可能になり、作動させると肌状態測定装置１（センサ）から測定データが入力される（ステップＳｅ４）。
次に詳細診断を希望するか否かの入力、詳細診断に行う複数の企業のうちのどの企業を選択するか等を入力する（ステップＳｅ５）。
【０２２５】
さらに、肌状態測定装置１から入力した測定データ（センサデータ）、スマートフォン３に記憶されている顧客ＩＤ、測定データが肌状態測定装置１から入力したデータ入力日時をデータ管理サーバ５に送信する（ステップＳｅ６）。
データ管理サーバ５では、肌履歴データベース５ｂに、顧客ＩＤ、測定データ、データ入力日時を登録する（ステップＳｆ１）。
【０２２６】
測定データに基づき肌状態の解析を行う（ステップＳｆ２）。すなわち、肌基準値データベースに登録されている測定データから近似する測定データを選択し、当該測定データに対応する各項目のランクを決定する（ステップＳｆ３）。
肌解析結果および／または決定されたランクを肌履歴データベース５ｂに登録する（ステップＳｆ４）。
【０２２７】
上述のステップにおいて、詳細肌診断が希望されているか否かが判定され（ステップＳｆ５）、詳細肌診断が希望されている場合に、化粧品会社のサーバに測定データと、詳細診断に必要なデータ（例えば、年齢等）を化粧品会社等の詳細診断業者のサーバに送信する（ステップＳｆ６）。
化粧品会社のサーバでは、データ管理サーバ５から送信されたデータを受信した後に（ステップＳｇ１）、詳細肌診断の依頼を受諾したことを示すメッセージをデータ管理サーバ５に送信する（ステップＳｇ２）。なお、詳細肌診断を開始する。詳細肌診断に関して、ここでは、通信回線を介してセンサデータや詳細肌診断結果等のデータのやり取りを行っている。別法として、肌診断業者に肌履歴データベース５ｂの指定部分と詳細診断結果データベース５ｅの指定部分へのアクセスを許可して、肌診断業者が直接これらデータベース５ｂ、５ｅにアクセスしてセンサデータを入手し、詳細診断結果を直接詳細診断結果データベース５ｅに書き込めるようにしてもよい。
【０２２８】
データ管理サーバ５では、上述のメッセージを受信するとともに（ステップＳｆ７）、データ管理サーバ５で行われた簡易診断の結果をスマートフォン３で表示するための表示用データを作成する（ステップＳｆ８）。
この表示用データをスマートフォン３に送信する（ステップＳｆ９）。
【０２２９】
スマートフォン３では、この表示用データを受信し（ステップＳｅ７）、簡易肌診断結果として、スマートフォン３のディスプレイに表示する（ステップＳｅ８）。
また、肌診断業者のサーバである化粧品会社のサーバにおいて、詳細肌診断が終了した際に（ステップＳｇ３）、詳細肌診断結果のデータをデータ管理サーバ５に送信する（ステップＳｇ４）。
【０２３０】
データ管理サーバ５では、このデータを受信し（ステップＳｆ１０）、詳細肌診断結果のデータを詳細診断結果データベース５ｅに書き込む（ステップＳｆ１１）。さらに、スマートフォン３のユーザーに詳細肌診断が完了したとこを示すデータを送信する（ステップＳｆ１２）。詳細肌診断に関して、ここでは、結果をユーザーが詳細結果表示のコマンドで画面で確認できるように通知しているが、詳細診断結果をメールにしてユーザーに発送するようにしてもよい。
【０２３１】
スマートフォン３では、データ管理サーバ５からのデータを受信する（ステップＳｅ９）とともに、このデータに基づいてディスプレイに詳細肌診断が完了したことを示すデータをメッセージとして、スマートフォン３のディスプレイに表示する（ステップＳｅ１０）。なお、完了した詳細肌診断の結果は、ユーザーがスマートフォン３を用いてデータ管理サーバ５の詳細診断結果データベース５ｅに読みにいくことで、スマートフォン３側で表示可能となるが、詳細診断結果をデータ管理サーバ５や、化粧品会社のサーバから電子メールを用いて、スマートフォン３に表示するものとしてもよい。
【０２３２】
なお、肌診断業者のサーバ６１においては、データ管理サーバ５からデータを送信してもらい、それを受信して、詳細肌診断に必要なデータを得ているが、肌診断業者のサーバ６２をクライアントとして、データ管理サーバ５の肌履歴データベース５ｂや、詳細診断結果データベース５ｅのアクセスが許可された指定部分にアクセスして、直接的にデータの読み込みや書き込みを行うようにしてもよい。
【０２３３】
次に、図９のフローチャートを参照して、メニュー３の詳細肌診断結果表示処理について説明する。
スマートフォン３において、表示する詳細肌診断結果が最新の結果か過去の結果かを表示し（ステップＳｈ１）、どちらかを選択させる。表示したい詳細肌診断の結果が最新のものか過去のものかを判定する（ステップＳｈ２）。最新のものでない場合には、スマートフォン３からデータ管理サーバ５に、過去の詳細肌診断の日時データを要求する（ステップＳｈ３）。
【０２３４】
データ管理サーバ５では、上述の要求を受信し（ステップＳｉ１）、肌履歴データベース５ｂまたは詳細診断結果データベース５ｅを参照して、過去の詳細診断の日時データを収集する（ステップＳｉ２）。
収取された日時データをデータ管理サーバ５からスマートフォン３に送信する（ステップＳｉ３）。
スマートフォン３では、この日時データを受信し（ステップＳｈ４）、過去の詳細肌診断の日時をディスプレイに表示し、ユーザーが日時を選択できるようにする（ステップＳｈ５）。
【０２３５】
ユーザーが日時の画面表示から日時を選択すると、それに対応していつの詳細肌診断の結果かを特定し（ステップＳｈ６）、特定された日時の詳細肌診断結果の送信を要求する（ステップＳｈ７）。
なお、ステップＳｈ２で最新の詳細肌診断結果を表示すると判定された場合にも、ステップＳｈ６で、最新の詳細診断結果が特定され、ステップＳｈ７で、最新の詳細肌診断結果の送信を要求することになる。
【０２３６】
データ管理サーバ５では、この要求を受信し（ステップＳｉ４）、受信データに基づき、例えば、詳細診断結果データベース５ｅを検索して（ステップＳｉ５）、指定された日時の詳細肌診断結果をアドバイスデータと、推奨化粧品データとともにスマートフォン３に送信する（ステップＳｉ６）。
このデータを受信した（ステップＳｈ８）スマートフォン３では、詳細肌診断結果を表示する（ステップＳｈ９）。この際に、推奨化粧品や、アドバイスを表示する。
【０２３７】
次に、図１０のフローチャートを参照して、メニュー４のケアエステ処理について説明する。
メニュー４を選択した場合には、スキンケア装置２としてのケアエステのいずれかが装着されたか否かを判定し（ステップＳｊ１）、装着されない場合には、再び判定処理に戻ることにより、スキンケア装置２が装着されるまで待機する状態になる。
【０２３８】
スキンケア装置２が装着された場合には、肌状態測定装置１の場合と同様にスキンケア装置２の種別と製品シリアルＮｏ．がスマートフォン３に読み込まれ、肌状態測定装置１の場合と同様に製品シリアルＮｏ．が登録ずみか否かが判定され（ステップＳｊ２）、登録済みでない場合には、肌状態測定装置１の場合と同様に、スキンケア装置２の製品シリアルＮｏ．を登録する処理が行われる（ステップＳｊ３）。本登録処理は、前述のセンサ登録処理と同様なので説明は省略する。
【０２３９】
既に、製品シリアルＮｏ．が登録されている場合には、スキンケア装置２が駆動開始したか否かを判定し（ステップＳｊ４）、駆動開始でない場合には、再び駆動開始か否かの判定に戻ることで、駆動開始を待機する状態になる。
駆動開始か否かの判定は、スキンケア装置２の電源を監視することで行われる。
【０２４０】
スキンケア装置２が駆動開始した後には、スキンケア装置２が駆動停止するか否かを判定し（ステップＳｊ５）、駆動停止でない場合に、駆動停止か否かの判定に戻ることで、駆動停止を待機する状態となる。スキンケア装置２が駆動停止した場合には、駆動開始の日時と、駆動開始から駆動停止までの時間をスマートフォン３の内部の記憶手段に記憶する（ステップＳｊ６）。
【０２４１】
スキンケア装置２が外されるか否かを判定し（ステップＳｊ７）、外されない場合には、再び、スキンケア装置２の駆動開始を待機するが、この状態で、スキンケア装置２が外された場合には、スキンケア装置２の駆動開始を待たずに、ステップＳｊ７に戻り、スキンケア装置２が外されたと判定する。
スキンケア装置２が外された段階で、データ管理サーバ５と通信可能な状態ならば、上述のスキンケア装置２の駆動開始日時と、駆動時間をデータ管理サーバ５に送信する（ステップＳｊ８）。なお、データ管理サーバ５との通信回線が非接続状態の場合には、接続状態となってから、記憶されている駆動開始日時や駆動時間をデータ管理サーバ５に一括して送信する。
【０２４２】
データ管理サーバ５では、スキンケア装置２の駆動開始日時と駆動時間を受信し、（ステップＳｋ１）、これをケアエステデータベース５ｃに登録する。
【０２４３】
次にメニュー５の肌改善状況判定（最新の診断結果と基準日の診断結果とを比較）を図１１のフローチャートを参照して説明する。
メニュー５を選択すると、診断結果の比較における基準日を入力するように促しメッセージが表示される（ステップＳｌ１）。
【０２４４】
基準日を入力された場合には、入力された基準日を設定する。なお、基準日が所定時間経過しても入力されない場合には、その前にメニュー５が選択された場合に入力した基準日を基準日とするようになっている（ステップＳｌ２）。
すなわち、基準日が入力されたか否かの判定（ステップＳｌ３）で、メニュー５が選択されてから所定時間が経過しても基準日が入力されないと判定された場合には、スマートフォン３の内部の記憶手段に記憶されている以前の基準日が設定される（ステップＳｌ５）。所定時間前に基準日が入力された場合には、入力された基準日がスマートフォン３の内部の記憶手段に記憶される（ステップＳｌ４）。
【０２４５】
基準日が決定すると、スマートフォン３からデータ管理サーバ５に、基準日が送信される（ステップＳｌ６）。データ管理サーバ５では、基準日を受信し（ステップＳｍ１）、受信した基準日の簡易診断結果データを肌履歴データベース５ｂから検索する（ステップＳｍ２）。
次に、最新の簡易診断結果データを肌履歴データベース５ｂから検索する（ステップＳｍ３）。
次にオプションが設定されているか否かを判定し（ステップＳｍ４）、オプションが設定されていない場合には、基準日の簡易診断結果データと、最新の簡易診断結果データとをスマートフォン３に送信する（ステップＳｍ７）。
【０２４６】
なお、オプションとして、基準日の簡易診断結果と。最新の簡易診断結果だけではなく、その間の監視診断結果を全て検索するものとしてもよい（ステップＳｍ５）。さらに、オプションとして、使用化粧品履歴データベースを参照して、基準日から最新の診断結果の日時の間の使用した化粧品の履歴のデータを読み出すものとしてもよい（ステップＳｍ６）。
【０２４７】
このようなオプションが設定されている場合には、上述のように基準日から最新までの間の簡易診断結果のデータと、それらの間に使用した化粧品の履歴のデータがスマートフォン３に送信される（ステップＳｍ７）。
【０２４８】
スマートフォン３では、これらのデータを受信し（ステップＳｌ７）、基本的には、基準日の簡易診断結果のデータと、最新の簡易診断結果のデータをと比較した状態に表示する（ステップＳｌ８）。
また、オプションが設定されている場合には（ステップＳｌ９）、基準日と最新との間の簡易診断結果を表示するとともに、この期間における化粧品の使用履歴を表示する（ステップＳｌ１０）。
【０２４９】
なお、データ管理サーバ５において、ケアエステデータベース５ｃを参照し、基準日から最新の簡易診断の日時まで、スキンケア装置２の使用履歴を取得し、取得されたスキンケア装置２の使用履歴を表示するものとしてもよい。
基準日の簡易診断結果と、最新の簡易診断結果を同時に表示させることで、肌の状態が改善しているのか、変わらないのか、悪化しているのかを知ることができる。
【０２５０】
また、基準日の簡易診断結果と、最新の簡易診断結果との間の簡易診断結果を全部表示することで、より詳しく肌の状態の変遷を知ることができる。
また、その間の化粧品の使用履歴や、スキンケア装置２の使用履歴を見ることで、化粧品やスキンケア装置２にどの程度の効果があるかを判断することができる。なお、簡易診断結果に代えて、詳細診断結果に対しても同様の処理を行い、基準日と最新の詳細診断結果を比較可能にスマートフォン３に表示するものとしてもよい。
【０２５１】
次にメニュー６の肌履歴表示（基準日から最新の肌診断までの肌履歴を表示）を図１２のフローチャートを参照して説明する。
メニュー６を選択すると、診断結果の比較における基準日を入力するように促すメッセージが表示される処理が行われる（ステップＳｏ１）。
【０２５２】
この場合に、ユーザーにより基準日が入力されることになる（ステップＳｏ２）。なお、基準日が所定時間経過しても入力されない場合には、以前にメニュー６が選択された場合に入力された基準日を基準日とするようになっている。
すなわち、メニュー６が選択されてから所定時間が経過しても基準日が入力されない場合には、スマートフォン３の内部の記憶手段に記憶されている以前の基準日が設定される。所定時間前に基準日が入力された場合には、入力された基準日がスマートフォン３の内部の記憶手段に記憶される。
【０２５３】
すなわち、所定時間内に基準日が入力されるか否かを判定し（ステップＳｏ３）、新たな基準日が入力された場合には、入力された基準日をスマートフォン３の内部に設けられた記憶手段に記憶し（ステップＳｏ４）、入力されなかった場合には、以前に内部に記憶された基準日を読み出して使用する（ステップＳｏ５）。
【０２５４】
基準日が決定すると、スマートフォン３からデータ管理サーバ５に、基準日が送信される（ステップＳｏ６）。データ管理サーバ５では、基準日を受信し（ステップＳｐ１）、受信した基準日から最新の簡易診断結果までの期間の簡易診断結果データを肌履歴データベース５ｂから検索して取得する（ステップＳｐ２）。
次に、オプションが設定されているか否かを判定し（ステップＳｐ３）、オプションが設定されていない場合には、基準日から最新の簡易診断結果が得られるまでの期間の全ての簡易診断結果のデータをスマートフォン３に送信する（ステップＳｐ６）。
【０２５５】
また、オプションが設定されている場合には、オプションとして、データ管理サーバ５において、ケアエステデータベース５ｃを参照し、基準日から最新の簡易診断の日時まで、スキンケア装置２の使用履歴データを取得する（ステップＳｐ４）。
また、オプションが設定されている場合には、オプションとして、使用化粧品履歴データベース５ｄを参照して、基準日から最新の診断結果の日時の間の使用した化粧品の履歴のデータを取得する（ステップＳｐ５）。
【０２５６】
このようなオプションが設定されている場合には、上述のように基準日から最新の簡易診断の日時までの間の簡易診断結果のデータと、それらの間に使用したスキンケア装置２および化粧品の履歴のデータがスマートフォン３に送信される。
【０２５７】
スマートフォン３では、これらのデータを受信し（ステップＳｏ７）、基準日と最新の簡易診断の日時との間の全ての簡易診断結果を時系列に履歴として例えばグラフで表示する（ステップＳｏ８）。また、オプションが設定されているか否かを判定し（ステップＳｏ９）、オプションが設定されている場合には、この期間におけるスキンケア装置２および化粧品の使用履歴を表示する（ステップＳｏ１０）。
【０２５８】
この場合も、肌の状態の推移を知ることができるとともに、化粧品やスキンケア装置２の効果を判定することができる。また、この場合にも、簡易診断結果に代えて詳細診断結果を取得してスマートフォン３に表示するものとしてもよい。
このように、時系列に並んだデータとして、測定データや分析結果を見ることにより、肌の状態が改善しているのか、否かを判定することができる。
【０２５９】
また、測定データとして、画像データを順次表示していくことにより、動画として表示することも可能であるが、データ数が少ない可能性が高い。この場合にモーフィングにより各画像データの間を補完することにより、滑らかな画像データとして、肌の変化を見ることができる。
【０２６０】
また、肌の状態が必ずしも良好な状態に保持されるとは限らず、一時的に肌の状態が悪化することがある。例えば、夏場になると毛穴が目立つようになる場合ある。このような状況で自分の肌の拡大画像を見るのを嫌がる場合がある。そこで、上述のように画像データを順次表示することで、肌の経時変化を分かり易く示す場合に、肌の状態がよくない時期の画像データをカットするものとしてもよい。この場合に、カットされた画像データの前後の画像データにおいてモーフィングを適用することで、一部画像データをカットしても分かりづらいものとすることができる。なお、肌の状態が悪化しているのを分かりづらくしてしまうことから、音声や画面表示により肌の状態が悪化していることをアドバイスすることが好ましい。
【０２６１】
また、スマートフォン３には、スキンケア装置の制御データを記憶する記憶領域が備えられているとともに、ユーザーが設定を変更して制御データを更新できるようになっている。例えば、スキンケア装置の出力レベルをユーザーが任意に設定できる。また、この記憶領域に記憶されている制御データにデータ管理サーバ５がアクセス可能となっており、データ管理サーバから制御可能になっている。
【０２６２】
次に、図１３のフローチャートを参照して、使用化粧品履歴データベース５ｄに使用化粧品のデータを入力する方法を説明する。ユーザーは、スマートフォン３から入力する化粧品の種別、例えば、ファンデーション、乳液、化粧水等である（ステップＳｕ１）。次に化粧品名を入力する（ステップＳｕ２）。次に入力完了か否かを判定する（ステップＳｕ３）。ここで、複数の化粧品を登録する場合には、再び、化粧品の種別の入力を行う。入力が終了した場合には、入力したデータと顧客ＩＤとをデータ管理サーバ５に送信する。データ管理サーバでは、入力データを受信し（ステップＳｖ１）、使用化粧品履歴データベース５ｄの顧客ＩＤに対応する記憶領域に化粧品名とデータ入力日を格納する。
この使用化粧品履歴データベース５ｄにより、化粧品の登録日から化粧品がなくなる時期を予測することができる。この場合に、化粧品がなくなる時期に化粧品のアドバイスをしたりすることができる。
【０２６３】
次に、図１４のフローチャートを参照して。二次利用者端末としての契約者クライアント６から上述の測定データやそれに付帯する付帯データを取得する方法を説明する。
まず、化粧品会社等の契約者クライアント６からユーザーＩＤとパスワードを入力させる（ステップＳｑ１）。
【０２６４】
次に、検索条件を入力させる（ステップＳｑ２）。例えば、検索条件キーを入力させる。なお、ここでの検索条件は、上述の検索項目を含むものであり、例えば、検索項目が年齢の場合に、検索条件（検索条件キー、検索条件式）は、例えば、「年齢が３０〜４０歳」のように、検索項目とデータを絞り込むための検索項目となるデータの範囲を組み合わせたものとなる。なお、検索項目と組み合わされるのは検索項目となるデータの範囲に限られるものではなく、データを絞り込める条件ならばよく、例えばキーワードであってもよい。例えば、ユーザーが使用している化粧品を検索項目として、測定データや分析結果データを検索する場合に、化粧品を絞り込むために、化粧品の種類や、化粧品名や、化粧品のメーカー名等のキーワードを検索項目と組み合わされる条件としてもよい。
次に、上述の検索条件でデータを出力するように要求する出力要求データ（出力すべきデータの種類）を入力する（ステップＳｑ３）。入力されたユーザーＩＤ、パスワード、検索条件、出力要求データをデータ管理サーバ５に送信する（ステップＳｑ４）。
【０２６５】
データ管理サーバ５では、上述のデータを受信し（ステップＳｒ１）、ユーザーＩＤおよびパスワードの認証処理を行う（ステップＳｒ２）。認証結果を判定し（ステップＳｒ３）、認証されない場合には、認証されなかったことを示すエラーメッセージを作成する（ステップＳｒ９）。
ユーザーＩＤとパスワードが認証された場合には、受信した検索条件がデータの二次利用者としてのユーザーに許可された検索条件か否かをデータ二次利用者アクセス権管理データベース５ｈの中の利用者検索レベルを参照して照合する（ステップＳｒ４）。
【０２６６】
照合結果を判定し（ステップＳｒ５）、照合した結果許可されない検索条件の場合には、照合結果に対応するエラーメッセージを作成する（ステップＳｒ９）。また、検索条件が照合された場合には、次に、入力された出力要求が二次利用者に許可されたアクセスレベルのデータか否かを利用者アクセルレベルを参照して照合する（ステップＳｒ６）。照合結果を判定し（ステップＳｒ７）、照合されない場合に、照合結果に対応するエラーメッセージを作成する（ステップＳｒ９）。
【０２６７】
出力要求データが照合された場合には、照合された検索条件で検索されるとともに、出力要求データとして要求されたデータを各データベースから取得し（ステップＳｒ８）、取得されたデータを送信する（ステップＳｒ１０）。また、いずれかの段階で照合されなかった場合には、作成されたエラーメッセージを送信する。
【０２６８】
二次利用者端末（契約者クライアント６）では、データを受信し（ステップＳｑ５）、データがエラーメッセージか否かを判定し（ステップＳｑ６）、エラー場合には、エラーメッセージを表示し（ステップＳｑ７）、データが出力要求されたデータの場合に、データを画面表示するか、データをファイルとして出力するとともに記憶する（ステップＳｑ８）。
【０２６９】
これにより、測定データ等の二次利用者は、アクセスレベルで設定されたデータの種類の範囲のデータを、検索レベルで設定された検索条件キー（例えば、検索項目＋検索範囲）を用いて取得することができる。すなわち、コストに見合ったデータを取得して、利用することができる。
【０２７０】
次に、データの二次利用者によるデータの取得の変形例を説明する。
図１５のフローチャートに示すように、二次利用者端末である契約者クライアント６において、オペレータにユーザーＩＤとパスワードを入力させる（ステップＳｓ１）。
【０２７１】
入力されたユーザーＩＤとパスワードとをデータ管理サーバ５に送信する（ステップＳｓ２）。データ管理サーバ５では、ユーザーＩＤとパスワードを受信し（ステップＳｔ１）、このユーザーＩＤとパスワードの認証（照合）処理を行う（ステップＳｔ２）。照合されたか否かを判定し（ステップＳｔ３）、照合されなかった場合には、対応するエラーメッセージを作成する（ステップＳｔ４）。
【０２７２】
照合された場合には、ユーザーＩＤに対応する顧客ＩＤに基づいてデータ二次利用者アクセス権管理データベース５ｈを参照して、二次利用者に許可されている検索条件キーを抽出する（ステップＳｔ５）。
【０２７３】
また、同様に、データ二次利用者アクセス権管理データベース５ｈを顧客ＩＤで検索して、二次利用者にアクセス可能とされたデータ項目（種類）を抽出する（ステップＳｔ６）。
【０２７４】
抽出された検索条件キーおよびデータ項目をデータテーブルにセットする（ステップＳｔ７）。
前述のエラーメッセージもしくはデータテーブルを契約者クライアント６に送信する（ステップＳｔ８）。
契約者クライアント６は、エラーメッセージまたはデータテーブルを受信する（ステップＳｓ３）。
【０２７５】
エラーメッセージを受信したか否かが判定され（ステップＳｓ４）、エラーの場合には、エラーメッセージを表示する（ステップＳｓ５）。エラーでない場合には、契約者クライアント６のディスプレイに許可された検索条件キー（検索項目）と、アクセス可能なデータ項目を表示する（ステップＳｓ６）。
【０２７６】
例えば、許可された検索項目（検索条件項目）の表示としては、図２４および図２５に示すように、表１１の検索レベル１に対応する表示画面８５か、検索レベル２に対応する表示画面８６が、契約者クライアント６のディスプレイに表示される。これら表示画面８５および表示画面８６においては、検索条件を入力する検索項目を選択することにより、選択された検索項目に条件を入力するための画像に切り替わり、ユーザーが入力できるようになる。
【０２７７】
この場合に、検索レベル１で許可されず、検索レベル２で許可される検索項目は、検索レベル２の表示画面８６だけで表示され、検索レベル１の表示画面では表示されない、したがって、検索レベル１の契約なのに係わらず、検索レベル１で許可されず、検索レベル２許可される検索項目に条件を入力してエラーとなることがなく、オペレータの操作を容易とするとともに、検索条件の入力処理を簡略化することができる。
【０２７８】
同様に、上記検索条件で検索されて出力されるデータが属するデータブロックを示す項目を指定する場合に、図２６および図２７に示すように、表１１のアクセスレベル１に対応する表示画面８７か、アクセスレベル２に対応する表示画面（図示略）か、アクセスレベル３に対応する表示画面８８が表示される。すなわち、ユーザーがアクセスレベルに応じたデータ出力項目の指定画面が表示される。
【０２７９】
この場合も、アクセスレベルでレベル分けされたデータブロックの項目がない場合には、当該データの項目が表示されず、当該データの項目を選択することができない。アクセスレベルの表示画面８７，８８でデータの項目を選択すると、上述の検索項目への検索条件の入力により、検索可能（抽出可能）なデータのうちの表示画面８７，８８で選択されたデータの項目のデータだけが出力されることになる。
この場合も、出力するデータの項目を間違えてエラーとなることがなく、オペレータの操作を容易とするとともに、検索条件の入力処理を簡略化することができる。
【０２８０】
この画面表示に基づいて検索条件キーと前記データ項目の範囲の出力要求データを入力させ（ステップＳｓ７）、入力されたデータをデータ管理サーバ５に送信する（ステップＳｓ８）。このデータをデータ管理サーバが受信する（ステップＳｔ９）。データ管理サーバ５では、検索条件キーと、アクセスが認められたデータ項目とに基づいて、各データベースから検索条件に合致し、かつ、アクセスが認められたデータ項目のデータを取得する（ステップＳｔ１０）。
【０２８１】
取得されたデータを契約者クライアント６に送信する（ステップＳｔ１１）。契約者クライアント６では、上述のデータを受信し（ステップＳｓ９）、受信したデータを契約者クライアント６のディスプレイに表示するか、ファイルとして出力して記憶する（ステップＳｓ１０）。
【０２８２】
この場合も上述の場合と同様に設定された検索条件キーの範囲で、アクセス権で認められたデータ項目のデータ得られるとともに、利用可能な検索条件キーおよびアクセスが認められるデータ項目が表示されるので、エラーを低減することができる。
【０２８３】
次に、図１６のフローチャートを参照して、ユーザー化粧品登録処理を説明する。この処理は、化粧品のデータが登録された登録化粧品データベース５ｐを用いて、ユーザーが使用化粧品履歴データベース５ｄに使用する化粧品を登録する処理である。
【０２８４】
ユーザーは、スマートフォン３の専用アプリ５ｊを起動するとともに、メニューから化粧品登録を選択する。
【０２８５】
これにより、スマートフォン３では、図１９に示す化粧品登録画面７１を表示する処理が行われる。化粧品登録画面７１には、スマートフォン３のデジタルカメラを用いたバーコードスキャナプログラムを起動するボタンスイッチが表示されるとともに、キーワード検索の入力画面が表示される（ステップＡ１）。ユーザーの操作に基づいて、バーコードスキャナを用いたバーコードの入力か、キーワード検索（項目ごと検索も含む）かが判定される（ステップＡ２）。
【０２８６】
ユーザーによりバーコードスキャナが起動された場合には、スマートフォンのデジタルカメラが起動し、バーコードが撮影可能な状態となり、画像認識によりバーコードを認識する処理が行われ、ユーザーがデジタルカメラの撮影範囲をバーコードに合わせると、バーコードが画像認識され、バーコードの撮影を行う（ステップＡ３）。
【０２８７】
撮影されたバーコードのパターンを画像認識処理により文字列（数字列）に変換する。この数字列がＪＡＮコードとなっており、バーコードからＪＡＮコードが抽出されたことになる（ステップＡ４）。ここで、ＪＡＮコードに基づいてこのＪＡＮコードが示すメーカー、商品等を特定してもよいが、ＪＡＮコードの解析はデータ管理サーバの管理端末側で行うことが好ましい。この場合、ＪＡＮコードあるいはキーワードによる登録化粧品データベース５ｐの検索を指示する検索コマンドをデータ管理サーバ５（の管理端末）に送信する（ステップＡ６）。
【０２８８】
なお、キーワードの検索においては、化粧品登録画面７１に示されるように決められた項目毎に対応するキーワードを入力するものとしてもよいし、項目に関係なくキーワードを入力してもよい。なお、項目毎にキーワードを入力する際には、キーワードが分かる項目だけに、キーワードを入力して検索を実行することができる。
【０２８９】
管理端末では、スマートフォン３からＪＡＮコードまたはキーワードと、検索コマンドを受信する（ステップＢ１）。
【０２９０】
管理端末では、データ管理サーバ５の登録化粧品データベース５ｐからバーコードまたはキーワードにより化粧品を検索する（ステップＢ２）。管理端末は、検索実行に得られた検索結果をスマートフォン３に送信する（ステップＢ３）。検索結果には、検索された化粧品が一つではなく複数の場合や、化粧品が検索できない場合が含まれる。
【０２９１】
送出された検索結果は、スマートフォン３で受信される（ステップＡ７）。
この場合に、検索結果としての化粧品を示す情報が０より多くあるか否か、すなわち、検索された化粧品が一つ以上あるか、未登録判定手段として検索できなかったかを判定する（ステップＡ８）。
【０２９２】
検索された化粧品がある場合は、検索された化粧品の情報を表示する。例えば、図１９の化粧品が検索された場合の画面表示７２に示すように、化粧品の外観を示す画像（写真）、商品名、発売日、成分等が表示される。但し、複数の化粧品が検索された場合には、複数の化粧品が表示される。この表示画面を選択用表示画面という（ステップＡ９）。この画面では、検索された化粧品が一つであっても、ユーザーが登録しようとしている化粧品と異なる場合があるので、ユーザーが選択可能となっている。
【０２９３】
スマートフォン３では、選択用表示画面に対してユーザーが一つの化粧品を選択したか、自分が登録しようとした化粧品がないことを選択したかを判定する（ステップＡ１０）。
ユーザーにより一つの化粧品が選択された場合には、その化粧品のＪＡＮコード（商品コード）が決定される（ステップＡ１１）。なお、ＪＡＮコードは、登録化粧品データベース５ｐを検索した際に得たものである。
【０２９４】
ステップＡ８において、検索された化粧品が無い場合には、ユーザーが検索しようとした化粧品が登録化粧品データベース５ｐに登録されていないことを示すメッセージをスマートフォン３が出力する（ステップＡ１２）。
【０２９５】
次に、検索できなかった未登録の化粧品のユーザーによる登録のためのユーザー登録画面７３が、未登録化粧品特定情報入力手段としてのスマートフォン３に表示される（ステップＡ１３）。ステップＡ１０において、検索結果に登録しようとする商品が無かった場合にも、ステップＡ１３に移行し、ユーザー登録画面７３が表示される。
【０２９６】
ユーザー登録画面７３でユーザーが登録可能な項目は、登録化粧品データベース５ｐの上述のユーザー入力許可項目と同じものとして、例えば、カテゴリー、メーカー名、ブランド名、ＪＡＮコード、容量等である。ユーザーにより化粧品の入力項目にデータが入力され（ステップＡ１４）、
【０２９７】
登録ボタンがタッチされた場合に、入力された各項目のデータと、未登録の化粧品のデータ登録を指示する新規化粧品登録コマンドとを管理端末に送信する（ステップＡ１５）。なお、ユーザーによる各項目のデータ入力に際し、ＪＡＮコードの入力を必須とすることが好ましい。なお、ＪＡＮコードの入力には、上述のバーコードスキャナの機能を用いるものとしてもよい。
【０２９８】
管理端末では、ユーザーが入力した項目のデータと新規化粧品登録コマンドが受信される（ステップＢ４）。
管理端末によりデータ管理サーバ５の登録化粧品データベース５ｐに受信されたデータが登録される（ステップＢ５）。
この際には、上述のように登録された化粧品メーカーまたはＪＡＮコードに基づいて、化粧品メーカー管理データベース５ｑが検索され、メーカーのＥメールアドレス、担当者名等に基づいて、メーカーの担当者に登録化粧品データベースへの化粧品の情報の入力が促すメールが送信される（ステップＢ６）。
【０２９９】
この際のメッセージ等は、予め用意されたメッセージにメーカー名や担当者名等や登録してもらいたい化粧品のＪＡＮコード等を加えたものである。また、登録化粧品データベース５ｐへのアクセスを許可するためのメーカーＩＤおよびメーカーパスワードがｅメールのメッセージに含まれる。これにより、メーカーの担当者がと登録化粧品データベース５ｐにアクセス可能になるとともに、メーカーＩＤに対応するメーカーの化粧品以外の化粧品のデータへのアクセス（書込、削除等）が禁止されるようになっている。
【０３００】
管理端末において、登録化粧品データベース５ｐへの化粧品の新規登録の処理が終了して、少なくともユーザー入力許可項目のデータが登録化粧品データベース５ｐに登録された際に、新規登録された化粧品のＪＡＮコードがスマートフォン３に送信される。新規登録されたけ商品のＪＡＮコードを受信したスマートフォン３では、登録完了を示すメッセージを表示した画面７４が表示される。
【０３０１】
スマートフォン３では、ユーザーが登録しようとする化粧品が検索された場合と、上述のように新規登録した場合に、登録すべき化粧品のデータを使用化粧品履歴データベース５ｄに書き込むように指示する書込コマンドと、ユーザーの顧客ＩＤと、化粧品のカテゴリーのデータと、化粧品の商品コードとしてのＪＡＮコードが管理端末に送信される（ステップＡ１６）。
【０３０２】
これらのデータをスマートフォン３から受信した（ステップＢ７）管理端末は、使用化粧品履歴データベース５ｄの受信した顧客ＩＤのレコードに受信した商品コードを書き込み（ステップＢ８）、使用化粧品履歴データベース５ｄへの化粧品の登録が終了したことを示すデータをスマートフォン３に送信する。
【０３０３】
スマートフォン３では、ユーザーが使用する化粧品（購入した化粧品）の登録が終了したことを示すメッセージが表示される（ステップＡ１７）。この際には、使用化粧品履歴データベース５ｄに登録された化粧品を表示するための表示画面７５がスマートフォンで表示可能になる。
【０３０４】
このようなユーザーによる自分が使用する化粧品（自分が購入した化粧品）の登録方法においては、ユーザーが購入した化粧品を登録化粧品データベースを参照して登録しようとした際に、登録化粧品データベースに化粧品が登録されていなかった場合に、ユーザーが未登録の商品のデータを登録することができるとともに、ユーザーによって未登録の化粧品が見つかった場合に、これを化粧品メーカ（販売会社）の担当者に連絡し、さらに化粧品のデータを補足して貰うことにより、登録化粧品データベース５ｐに新規登録される化粧品のレコードを完成することができる。
【０３０５】
なお、化粧品メーカーのメールを送る担当者は、例えば、広報担当等であれば、自社製品のデータが多くの人の目に触れる可能性があるデータベースに載せられることを広報の一環と取らえ、登録化粧品データベース５ｐへの自社製品のデータの登録を行う可能性が高い。
【０３０６】
すなわち、ユーザーの化粧品の登録に際し、ユーザーが登録化粧品データベース５ｐに登録されていない化粧品を発見した際に、ユーザーに登録されていない化粧品のＪＡＮコードやメーカー名や商品名（ブランド名）を入力してもらうことができる。これにより、データ管理サーバ５側では、登録されていない化粧品があることを知ることができ、かつ、登録されていない化粧品のデータ登録をメーカーに依頼することが可能になる。また、化粧品のデータは、その化粧品のデータを知り得るメーカーの担当者により正確に入力される可能性が高く、データ管理サーバ５側のオペレータ等が新規登録される化粧品のデータを入力する必要がなくなる。
【０３０７】
したがって、データ管理サーバ５のオペレータや管理者は、登録化粧品データベース５ｐのデータ更新のためのメンテナンス作業をほとんど行わなくても、登録化粧品データベース５ｐに順次、新製品等の未登録化粧品のデータが登録されることになり、管理コストの低減を図ることができる。
【０３０８】
次に、図１７のフローチャートを参照して、ユーザー肌履歴表示処理を説明する。ユーザー肌履歴表示処理は、詳細診断結果データベース５ｅに登録されている点数としての詳細診断結果（簡易診断結果を用いてもよい）の各項目毎に時系列でグラフ化するとともに、同じ時系列で、お手入れカルテデータベース５ｏで使用していた化粧品のデータ（商品名等）を表示するものである。グラフの時間軸と、使用化粧品の時間軸が同じにされており、肌の状態の変化と使用化粧品との関係を容易に見て取ることができるようにするものである。
【０３０９】
ここで、ユーザー肌履歴表示処理を説明する前に図２０を参照して、お手入れカルテデータベース５ｏへの使用化粧品の入力方法を説明する。スマートフォン３の専用アプリ５ｊのメニューからお手入れカルテを選択し、お手入れカルテのメニュー画面からお手入れ入力を選択することにより、使用化粧品の入力画面７６がスマートフォン３に表示される。使用化粧品入力画面では、化粧品の洗顔、メイク落とし、化粧水等の各カテゴリー毎に使用化粧品履歴データベース５ｄに登録されている化粧品の内使用終了日の入力されていない化粧品の商品名とチェックボックスが表示される。
【０３１０】
ユーザーは、使用した化粧品に対応するチェックボックスをタッチした後に登録ボタンをタッチすることで使用化粧品を入力することができる。なお、使用化粧品は、一日の時間体を朝と夜にわけ、同じ日付でも朝使用した化粧品と、夜使用した化粧品とを分けて入力することが可能である。
【０３１１】
また、図２０に示すカレンダー画面７７においては、スケジューラー機能７８として、カレンダー上の過去の日付をタッチすることで、その日に使用した化粧品を朝と夜に分けて表示させることができる。なお、肌状態を測定した場合には、使用した化粧品を入力するのが好ましい。そこで、肌の診断測定を行う場合には、診断の前後に、使用化粧品の入力画面７６が表示されたり、入力画面７６でデータを入力すると肌カメラの撮影用プログラムが起動したりしてもよい。
あるいは、ユーザーは常に使用化粧品登録データベースに登録されている化粧品で使用中の化粧品を使用しているものとしてお手入れカルテデータベース５ｏに自動登録されるようにしてもよい。または、ユーザーが使用する化粧品のセット（組合わせ）をスマートフォン内部記憶に登録して、毎日自動的にお手入れカルテデータベース５ｏに登録するようにセットしておくことも可能である。朝と夜で使用する化粧品が異なる場合は朝のセットと夜のセットを内部記憶しておき、毎日自動的にお手入れカルテデータベース５ｏに登録するようにセットしておいてもよい。これらの場合には、お手入れを行わなかった場合あるいは通常のセットと異なる化粧品を使用した場合にのみスケジューラー機能のカレンダーの該当日付をタッチしてお手入れカルテデータベース５ｏの内容を修正するようにしてもよい。
【０３１２】
このようにして使用化粧品が登録されたお手入れカルテデータベース５ｏと、肌履歴データベースの肌画像簡易診断結果あるいは詳細診断結果データベース５ｅとを用いてユーザー肌履歴表示処理が行われる。
ユーザー肌履歴表示処理では、スマートフォン３において、ユーザーが専用アプリ５ｊを起動させてメニューから肌履歴表示を選択することにより、スマートフォン３がデータ管理サーバ５の管理端末に対して、例えば、肌履歴データベース５ｂあるいは詳細診断結果データベース５ｅからユーザーの顧客ＩＤに対応する過去三か月分のキメ、シミ等の診断結果としての点数と、お手入れカルテデータベース５ｏに登録された日付および朝と夜に対応する使用化粧品のデータの三カ月分との転送を要求する転送要求コマンドを顧客ＩＤとともにデータ管理サーバ５の管理端末に送信する（ステップＣ１）。
【０３１３】
なお、要求するデータの期間は、過去三カ月分に限られるものではなく、例えば、過去半年分や、過去１年分等であってもよい。また、後述のようにユーザーが要求するデータの期間を設定可能になっていてもよい。また、詳細診断結果は、詳細診断結果データベース５ｅから検索するものとしてもよい。
【０３１４】
転送要求コマンドを受信した（ステップＤ１）管理端末では、肌履歴データベース５ｂから顧客ＩＤに基づいて、指定された期間（３カ月）のキメ、シミ等の詳細診断結果としての点数を時系列と対応させてデータテーブルにコピーする（ステップＤ２）。
次に、管理端末では、お手入れカルテデータベース５ｏから顧客ＩＤに基づいて、指定された期間に使用された化粧品のデータ（ＪＡＮコード）を時系列に対応させてデータテーブルにコピーする（ステップＤ３）。
【０３１５】
次に、上述のようにデータテーブルにコピーされた化粧品のＪＡＮコードに基づいて、登録化粧品データベース５ｐを検索し、ＪＡＮコードに紐付けされた化粧品のメーカー名、ブランド名、外観写真等のデータを各化粧品（ＪＡＮコード）に関連付けてデータテーブルにコピーする（ステップＤ４）。
上述のように各データベースから抽出されたデータがコピーされたデータテーブルをスマートフォン３に送信する（ステップＤ５）。
【０３１６】
データテーブルを受信した（ステップＣ２）スマートフォン３では、図２１の肌履歴表示画面７９に示すように、キメ、シミ等の各項目毎に詳細診断結果の点数を縦軸とし、日付（時間軸）を横軸としたグラフ（折れ線グラフ）を表示させる（ステップＣ３）。また、対応する期間に使用された化粧品名のカテゴリー毎に分けて表示するとともに、各化粧品毎（化粧品のカテゴリー毎）に、詳細診断結果のグラフの横軸（日付）に合わせて使用期間を示す表示を行う（ステップＣ４）。分析結果データとしての詳細診断結果のグラウ表示は、分析結果データを時系列に沿って並べた状態になり、表示画面７９，８０が分析結果データの時系列表示となる。
【０３１７】
たとえば、グラフの横軸に対応して横軸に平行に各化粧品カテゴリー毎の帯を表示し、使用期間と未使用期間とを色分した表示を行う。なお、上述の期間内に同じ化粧品カテゴリーで異なる化粧品が使われる場合には、帯で示される期間の色を化粧品毎に異なるものとすることができる。
【０３１８】
また、肌履歴表示画面７９の下部に表示された朝ボタンと、夜ボタンをタッチすることにより、朝の詳細診断結果と使用化粧品と、夜の詳細診断結果と使用化粧品との表示を切りかられるようになっている。また、朝と夜の診断結果の平均をその日の診断結果として診断結果の点数をグラフ化して表示するものとしてもよい。
また、肌履歴表示画面７９において、各化粧品カテゴリー毎に表示された帯の使用期間を示す色の部分をタッチすると、肌履歴表示画面８０に示すように、その時期に使用されていた化粧品の商品名、価格、発売日、成分等がポップアップ表示されるようになっている。これにより、分析結果データとして診断結果がグラフで表示され、かつ、化粧品の使用期間が帯で表示されるとともに、化粧品を示す商品名等がポップアップ表示されることから、分析結果データと化粧品を示す化粧品データとが並列に表示されていることになる。
【０３１９】
これにより、化粧品データとして各化粧品を使用した期間と、その期間における詳細診断結果とを日付で対応付けて見ることができる。これにより、その化粧品を使用した際に肌状態が向上したのか、肌状態が変わらないのか、肌状態が悪くなったのかを見ることができる。また、例えば、Ａという化粧品を使っていた場合には、比較的診断結果の点数が高かったと判断したり、診断結果が比較的高い期間に使用していた化粧品がどの化粧品だったかを確認したりすることができる。
【０３２０】
図２１の肌履歴表示画面７９において、例えば、２本の指で画面をタッチしながら指どうしの間の距離を短くしたり長くしたりするピンチインピンチアウトの操作により、肌履歴の表示期間を変えられるようになっている。
【０３２１】
この場合に、例えば、デフォルトの表示の３カ月間のデータをデータ管理サーバ５側から送信させるのではなく、デフォルトの表示期間より長い、例えば、１年分のデータをデータ管理サーバ５の管理端末から送信させ、表示に際しては３カ月分を用い、上述のように表示期間の変更の要求があった場合に、データ管理サーバ５側に再度データの送信を要求するのではなく、既に送信されている１年分のデータを用いて、４カ月間から１２カ月間までの肌履歴の表示を可能にしてもよい。この場合、デフォルト表示の３カ月間のデータを受信後表示処理を開始し、平行して残りの４カ月間から１２カ月間までの受信するようにすれば、スマートフォン３とデータ管理サーバ５の管理端末との間の通信や処理により、比較的長い待ち時間が発生するのを防止できる。なお、この時の転送データに前述の測定条件フラグが付加されているものは除かれる。その間のデータはその前後のデータに基づき補間処理が行われ、滑らかな形状のグラフを得ることができる。
【０３２２】
なお、肌履歴の表示方法としては、上述の一定期間内の診断結果をグラフで表示する方法以外に、例えば、今日の診断結果と、過去のいずれかの日付の診断結果を比較表示する処理が可能になっている。
図２２に示すように、比較表示画面８１が表示され、最新の測定データ、例えば、本日（昨日でも可）のデータと、指定された過去のデータを比較表示し、比較することができる。比較できるデータとしては、肌カメラによるキメとシミの肌画像と、詳細診断結果（または簡易診断結果）の点数と、詳細診断時のアドバイスである。なお、データは、上述のように朝と夜とに入力されるようになっているので、本日と過去の日付とで朝と夜のデータが表示される。
【０３２３】
このような表示を行う処理としては、スマートフォン３から本日または昨日（基本的にはデータが入力されている最新の日付）の肌履歴データベース５ｂあるいは詳細診断結果データベースの上述の表示されるデータの転送と、ユーザーがスマートフォン３に入力した過去の日付の肌履歴データベース５ｂあるいは詳細診断結果データベースに登録された上述の表示されるデータの転送とを管理端末に要求することになる。
【０３２４】
これに対して管理端末は、データ管理サーバ５の肌履歴データベース５ｂから二つの対応する日付のデータを抽出してスマートフォン３に出力する。これにより同時比較手段としてのスマートフォン３で上述の図２２に示す比較表示画面８１（比較表示）を表示可能になる。
このような表示によれば、例えば、一か月前や半年前や１年前の肌の状態と、現在の肌の状態を容易に見比べることが可能になり、肌状態が向上したのか否かをユーザーが容易に判定することができる。
【０３２５】
次に、図１８にフローチャートを参照して、指定化粧品の効能確認処理を説明する。
この処理は、ユーザーが使用している化粧品または使用するかも知れない化粧品を使用している他のユーザーのうちの同じ肌タイプの他のユーザーの肌履歴データベース５ｂの当該化粧品の使用期間のうちの最初の３カ月分等の所定期間の肌状態の詳細診断結果（簡易診断結果）のデータを表示するものである。
指定化粧品の効能確認処理では、ユーザーがスマートフォン３の専用アプリ５ｊを起動しメニューから化粧品の効能確認を選択する。これによりスマートフォン３は、図２３に示す化粧品選択画面（後述の対象者絞込画面を含む）８３を表示する処理を行う（ステップＥ１）。化粧品選択画面８３では、各化粧品カテゴリー毎の入力欄の「＞」を押すと、化粧品の選択画面（一覧表示）（図示略）に遷移し、ユーザーに選択を促す。化粧品の選択には図１３のフローチャートで説明している化粧品入力用の画面を用いて入力させてもよい。
【０３２６】
ユーザーは、化粧品選択画面８３で少なくとも１カテゴリーの化粧品について選択画面等を用いて化粧品を特定し、スマートフォン３が記憶する（ステップＥ２）。なお、化粧品選択画面８３に示すように化粧品の商品名（ブランド名）等の入力は、カテゴリー毎に行えるようになっており、異なるカテゴリーの化粧品を複数入力することが可能になっている。
【０３２７】
次に、上述の化粧品選択画面の一部として対象者絞込画面を表示する（ステップＥ３）。絞込条件は、ここでは対象者の年齢（年代）と居住地である。なお、絞込条件を入力しなくても処理が続行されるようになっている。対象者絞込み画面では、入力項目にないが、対象者は、原則としてユーザーと同じ肌タイプであることが条件であり、肌タイプで絞り込まれることになる。
【０３２８】
ユーザーに入力された絞込条件がスマートフォン３に記憶される（ステップＥ４）。
スマートフォン３は、入力して記憶された上述の化粧品の特定データ（例えば、メーカ名とブランド名）と、対象者絞込条件と、ユーザーの現在の肌タイプとを管理端末に送信する（ステップＥ５）。
【０３２９】
なお、基本的にスマートフォン３と管理端末の送信では、認証に顧客ＩＤ等のユーザ（スマートフォン３）を特定可能なＩＤが使用されており、肌タイプを送信しなくとも上述のように認証されるユーザーの顧客ＩＤを用いて肌タイプをデータ管理サーバ５側で肌タイプが登録された詳細診断結果データベース５ｅまたは詳細診断結果データを備える肌履歴データベース５ｂから肌タイプを求めるものとしてもよい。
【０３３０】
また、図２３に示す化粧品選択画面（対象者絞込画面）８３では、オンオフボタンにより詳細診断結果の項目のうちの表示する項目を選択可能になっているが、グラフとして表示される診断結果のデータは、全ての項目が管理端末から送信され、表示される項目をスマートフォン３側で選択可能になっている。
【０３３１】
スマートフォン３から送信されたデータをデータ管理サーバ５の一部として管理端末が受信する（ステップＦ１）。ユーザー抽出手段としての管理端末では、まず、使用化粧品履歴データベース５ｄを用いてユーザーが入力した化粧品を使用しているあるいは使用していた顧客ＩＤを検索する。なお、複数の化粧品が入力された場合にはアンド検索で顧客ＩＤ（対象者集合）を絞り込む。また、この顧客ＩＤと、入力された絞込条件としての年代および居住地で、顧客個人情報管理データベース５ａを検索し、対象者集合をさらに絞り込む（ステップＦ２）。
【０３３２】
絞り込まれた対象者の使用化粧品履歴データベース５ｄにおけるユーザーに入力された化粧品の使用開始日から使用終了日（使用終了日が未登録の場合は現在）までの使用期間求める。また、ユーザーが当該化粧品を連続して購入し使用している場合には、その連続的な期間の使用開始日から使用終了日を使用期間として求める。なお、絞り込まれた対象者のお手入れカルテデータベース５ｏにおける日付毎の使用化粧品から使用期間を求めるものとしてのよい。
【０３３３】
この場合にデータ未登録の日付がある場合には、その前後で同じ化粧品が用いられていれば、未登録の日付を含む期間を使用期間とする。対象者の使用期間から診断結果の表示期間を決定する（ステップＦ３）。この際には、例えば、対象者の使用期間の平均であってもよいし、例えば、８０％等の所定の割合の対象者が含まれる使用期間であってもよい。
【０３３４】
なお、デフォルトの表示期間は、上述のように求められた表示期間にされるが、求められた表示期間であるが、例えば、ピンチインピンチアウト等の操作により、表示期間を変更できるようになっている。
【０３３５】
次に、ランク抽出手段としての管理端末では、上述の設定された表示期間における詳細診断結果の点数（ランク、偏差値）を肌履歴データベース５ｂから抽出する。この際には、上述の対象者の顧客ＩＤを絞り込むとともに、使用化粧品履歴データベース５ｄの使用開始日から使用終了日までの肌履歴データベースの簡易診断結果あるいは詳細診断結果のデータを読み出す。読み出されたデータを使用開始日のデータを先頭に時系列（日付単位の時間軸）に対応させたデータテーブルを作成する（ステップＦ４）。なお、この時のデータに前述の測定条件フラグが付加されているものはテーブルに登録しない。
【０３３６】
次に上述のデータテーブルにおいて、例えば、各日付毎かつ各項目毎に朝の診断結果の点数と夜の診断結果の点数との平均を取る。次に、各項目毎に、全対象者の使用開始日からの日数毎の点数の平均を求める。この求められた平均点数を使用開始日からの日数に対応する時間軸に沿ったデータテーブルを作成する。
【０３３７】
このデータテーブルは、絞り込まれた全対象者の各点数の平均を時系列で並べたものである。このデータテーブルが、スマートフォン３でグラフ表示されるためのデータが登録されたものである。ランク送信手段としての管理端末により、このデータテーブルがスマートフォン３に送信される（ステップｆ５）。
【０３３８】
スマートフォン３は、このグラフ用のデータテーブルを受信する（ステップＥ６）。
受信したデータテーブルを用いて横軸を時間軸とし、縦軸を点数の平均としたグラフであり、図２４のグラフ表示画面８４に示すように、絞り込まれた対象者全員の平均点数が各項目毎に時間軸に対沿った折れ線グラフとして表示される。
【０３３９】
また、同じ日付の朝の点数と、夜の点数の平均を取るものとしたが、朝と夜の平均のグラフの表示以外に朝だけの点数のグラフの表示と、夜だけの点数のグラフの表示を切り替えて表示可能としてもよい。また、対象者によって、点数が朝だけまたは夜だけの診断結果の点数が登録されている場合には、朝と夜の平均ではなく、朝または夜の点数をその日の点数とする。また、点数が登録されていない日付があるような場合には、前後の日付の点数から点数を補間するものとしてもよい。
【０３４０】
なお、絞り込まれた対象者全員の平均の値としたが、対象者の点数に対して平均以外の統計処理等の処理を施すものとしてもよい。
また、点数の時間経過に伴う変化が所定範囲内の対象者の人数（割合）と、点数の時間経過に伴う変化が所定範囲を超えて上昇傾向の対象者の人数（割合）と、点数の時間経過に伴う変化が所定範囲を超えて下降傾向の対象者の人数（割合）などを表示するものとしてもよい。
【０３４１】
このような指定化粧品の効能確認処理によれば、ユーザーは、自分の肌タイプと同じ対象者が、指定化粧品を用いた場合に、肌診断結果がどのように変化するかを知ることができる。これにより指定化粧品が現在使用している化粧品ならば継続して使用するか、他の化粧品に代えるかの判断の参考にすることができる。また、指定化粧品が未だ使用しておらず、購入しようかどうか考えている化粧品の場合には、購入するか否かの参考にすることができる。
【０３４２】
次に、ユーザーが測定データや分析結果データをスマートフォン３の診断結果の表示等から削除するための非表示処理について説明する。
ユーザーが分析結果データを削除したいと思うのは、例えば、分析結果データが前回の分析家かデータより低くなった場合で、その原因が、例えば、日に当たりすぎたこと、特に疲れていることなどの状況の問題や、肌状態測定装置１の操作ミスや測定条件の違いなどの測定の問題と思われるような場合である。
【０３４３】
上述のようなことからユーザーが分析結果データ、測定データを削除するための処理として、図２８に示すように、分析結果データとしての簡易診断結果（詳細診断結果であってもよい）を表示する表示画面９０ａに、簡易診断結果を肌履歴データベース５ｂから削除することを指示するためのボタン（キー）９２ａを表示させる。また、表示画面の表示領域９１ａは、診断結果の取得時期を表示する領域で、取得時期が本日の場合に、本日の結果として表示され、図２９に示すように取得時期が過去の場合に、表示画面９０ｂの表示領域９１ｂに過去の日付が表示される。この過去の結果は、図２１のカレンダー画面から特定の日付をユーザーが指定することで出力される。
【０３４４】
ユーザーが診断結果に上述のような問題があると思った場合に上述のボタン９２ａをタッチすることにより、非表示処理が開始される。ボタン９２ａがタッチされると、非表示処理の開始を指示する信号がスマートフォン３からデータ管理サーバ５に送信される。ここでは、図２８に表示されているのが、肌状態測定装置１としての肌カメラで撮影された肌画像から得られた本日の診断結果（分析結果データ）であり、肌画像から得られた本日の肌画像簡易診断結果と当該肌画像をスマートフォン３から見ることができないようにする非表示処理が開始される。
【０３４５】
スマートフォン３からデータ管理サーバ５に送信される信号は、本日得られた肌画像簡易診断結果のスマートフォン３の表示からの削除を指示するものである。なお、簡易診断結果としては、肌画像簡易診断結果の他に蒸散計簡易診断結果、メラニン計簡易診断結果が肌履歴データベース５ｂに登録されている。
【０３４６】
表１７に示す肌履歴データベース５ｂでは、肌画像簡易診断結果に対応して肌画像削除フラグが設定可能とされ、蒸散計簡易診断結果に対応して蒸散計データ削除フラグが設定可能とされ、メラニン計簡易診断結果に対応してメラニン計データ削除フラグが設定可能とされている。また、蒸散計簡易診断結果、メラニン計簡易診断結果の非表示処理は、それぞれの診断結果表示画面に表示される上述の「履歴から削除」ボタン９２ａ、９２ｂにタッチすることにより、蒸散計簡易診断結果、メラニン計簡易診断結果の異常値処理が開始される。
【０３４７】
【表１７】
2020102250.tif 000019
【０３４８】
データ管理サーバ５における非表示処理では、上述のボタン９２ａ、９３ｂのタッチによりスマートフォン３から送信される信号に基づいて、例えば、本日の肌画像簡易診断結果に対して肌画像削除フラグを設定する。同様に、蒸散計簡易診断結果、メラニン計簡易診断結果の表示画面に表示されたボタン９２ａ、９２ｂがタッチされた場合に、それぞれ蒸散計データ削除フラグ、メラニン計データ削除フラグが設定される。
【０３４９】
また、各フラグの設定は、当日の診断結果だけではなく、過去の診断結果に対しても設定可能であり、図２９に示すように、スマートフォン３から過去の診断結果の表示をデータ管理サーバ５に要求し、スマートフォン３に過去の診断結果の表示が行われた場合に、本日の診断結果の表示の場合と同様の「履歴から削除」ボタン９２ｂが表示され、このボタン９２ｂをタッチすることにより、過去の日付の肌画像簡易診断結果、蒸散計簡易診断結果、メラニン計簡易診断結果のいずれかのスマートフォン３での表示を禁止する非表示処理を指示する信号がスマートフォン３からデータ管理サーバ５に送られる。
【０３５０】
これにより、データ管理サーバ５では、スマートフォン３からの信号により特定される日付の特定される診断結果に対して上述のフラグを設定する。
これらフラグが設定されると、データ管理サーバ５は、スマートフォン３側から各診断結果の表示の要求があった場合に、スマートフォン３に出力する診断結果の中にフラグが設定されている診断結果（分析結果データ）があるか否かを判定し、フラグが設定された診断結果をスマートフォン３に送信しないようにする処理が行われる。この場合に、表示されない診断結果に対応する測定結果も表示しないようにしてもよい。
【０３５１】
これにより、上述のように履歴から削除を指示した診断結果は、スマートフォン３に表示されない状態となる。
この場合にスマートフォン３からデータの履歴からの削除が指示されても。実際には肌履歴データベース５ｂから削除されておらず、診断結果の統計処理に用いられるとともに、契約者クライアント６から検索された場合に、契約者クライアント６に出力可能になっている。
【０３５２】
次に、データ管理サーバ５で異常値を処理する異常値処理を説明する。
異常値処理は、ユーザーの操作に関係なく、例えば、データ管理サーバ５で行われるものであり、分析結果データとしての診断結果が取得された場合に、診断結果（肌画像簡易診断結果、蒸散計簡易診断結果、メラニン計簡易診断結果）の値が、異常値か否かを判定し、異常値と判定された場合に、診断結果としての分析結果データと当該データを得る際に分析された測定データを肌履歴データベース５ｂから削除するものである。なお、異常値は統計処理等に用いられた場合に統計処理結果に悪影響を与える可能性がある。
【０３５３】
異常値の判定方法においては、例えば、前回の診断結果の値のプラス側およびマイナス側の予め設定された許容範囲αを超える場合に異常値とする。また、異常値の判定方法として、過去の複数回の診断結果の値から補間予測した値のプラス側およびマイナス側の許容範囲αを超える場合に異常値としてもよい。
【０３５４】
異常値の判定において、異常値と判定した場合に、診断結果の値が異常と判定されたので診断結果の値を肌履歴データベースに保存せず、この旨をスマートフォン３を介してユーザーに知らせる。このような異常値処理により、診断結果のデータの精度を向上することができる。
【０３５５】
次に、上述のキメ診断用画像、シミ診断用画像、肌画像等の撮影に、肌撮影用のコンバージョンレンズ１ａ（図３０、図３１に図示）が装着されたスマートフォン３のデジタルカメラを用いた場合について説明する。
この場合にスマートフォンの機種によってデジタルカメラの解像度（画素数）が異なり、画質が異なるものとなるので、各スマートフォン３の機種毎の画質データを専用アプリ５ｊが肌履歴データベース５ｂに送信するようになっている。ここで、画質データは、例えば、解像度である。解像度としては、例えば、撮像素子の有効画素数であってもよいし、撮影された画像データの画素数であってもよい。
【０３５６】
また、デジタルカメラの撮像素子のサイズと画素数であってもよい。診断・分析時には、各画像を予め定められた診断・分析項目の画質データに変換して診断・分析を行う。たとえば、肌診断の対象とする画質データに対して肌画像が低解像度の場合は超解像技術により高解像化を行い診断分析し、逆に高い場合には画素を間引きするなどして低解像化して、診断分析を行う。
【０３５７】
以上の説明は、サーバー内部の肌履歴D/B等のD/Bに画像データとその画像の画質データを登録しておく方式であるが、他の方式として肌履歴Ｄ/Ｂへの登録画像について予め画質を決定しておき、ユーザーからの画像送出時に、スマホ内部のアプリあるいはサーバ内のプログラムで定められた画質に変換してＤ/Ｂに登録するようにしてもよい。この場合は、Ｄ/Ｂの項目として画質データは不要としてもよい。以下、この方式について説明する。
【０３５８】
例えば、図３０、図３１に示すように、肌状態測定分析情報管理システムにおいて、スマートフォン３のデジタルカメラに肌撮影用のコンバージョンレンズ１ａを取り付け、上述のキメ診断用画像、シミ診断用画像、肌画像等の肌の画像をスマートフォン３に備えているデジタルカメラを用いて撮影して、撮影された各画像の画像データをデータ管理サーバ５に送り、これら画像データを用いて肌状態の診断・分析を行う。あるいは、スマートフォンに対してUSB等の有線またはブルートゥース・WiFi等の無線でカメラ内蔵の肌撮影カメラで撮影して、撮影された各画像の画像データをデータ管理サーバ５に送り、これら画像データを用いて肌状態の診断・分析を行う。以下の説明では前者を中心に説明する。
この際に、データ管理サーバ５に登録される画像の種類（キメ診断用画像、シミ診断用画像等）ごとに画像データの解像度（画素数）を所定の解像度に統一する。画像の解像度を統一するためには、スマートホンの機種ごとあるいは肌撮影カメラの機種ごとに異なる解像度の画像を変換する必要があるが、図30のシステムはサーバーサイドに画質変換手段を有するタイプ、図31のシステムは各スマホにサーバーから送出されるアプリに画質変換処理機能を持たせたものであり、スマホ内部に画質変換手段を有するタイプである。
【０３５９】
ここで、スマートフォン３に搭載されるデジタルカメラの一般的な画素数としては、例えば、５Ｍ（２５６０×１９２０）ピクセル、８Ｍ（３２６４×２４４８）ピクセル、１３Ｍ（４１２８×３０９６）ピクセル等が知られている。なお、スマートフォン３のデジタルカメラの画素数は、増加傾向にあり、１３Ｍピクセルより大きい画素数のカメラを搭載するスマートフォン３も発売されている。
【０３６０】
実際の肌の撮影においては、コンバージョンレンズ１ａを用いて撮影される肌の範囲を規定しており、例えば、撮影された画像のうちの所定の肌の範囲に対応する画像が切り取られて診断・分析に使用される。
この実施の形態では、正方形に画像を切り取るものとし、例えば、５Ｍピクセルのカメラの場合に１００４×１００４の範囲を切り取り、８Ｍピクセルの場合に１２６５×１２６５の範囲を切り取り、１３Ｍピクセルの場合に１６００×１６００の範囲を切り取るものとしている。
【０３６１】
同じコンバージョンレンズ１ａを用いて、各画素数のカメラで上述のようなサイズの画像データを切り取って診断・分析に使用した場合に、解像度は異なるが略同じ大きさの肌の範囲の画像データを得ることができる。
【０３６２】
しかし、診断・分析結果のばらつきを抑制するためには、上述のように診断・分析に用いられる肌画像の解像度を統一することが好ましく、例えば、この実施形態では、撮影されて切り取られた画像データの画素を間引いて画素数を下げたり、画像データの画素を補間あるいは超解像を用いて画素数を上げたりすることにより、画像データの切り取られた画像データの画素数を所定の画素数とする。
【０３６３】
この実施形態では、例えば、５Ｍピクセルの場合と８Ｍピクセルの場合との間となる１０２４×１０２４となる解像度の画像データに統一する。
この場合に、カメラが５Ｍピクセルの場合に画素を補間して画素数を上げる必要がある。画像補間方法としては、ニアレストネイバー法、バイリニア法、バイキュービック法等の各種画像補間方法を用いて画素を補間することにより、画像データの解像度を上げるものとする。
【０３６４】
また、この実施形態では、５Ｍピクセルの場合の上述の画像範囲の画素数（１００４×１００４）と、統一する画像データの画素数（１０２４×１０２４）とが近似するので、比較的簡便な画像補間方法を用いることができる。
【０３６５】
肌の画像データを用いた診断・分析に必要とされる解像度（画素数）が例えばスマートフォン３に搭載されるカメラで一般的に用いられる解像度（画素数）の中で最も低い解像度、例えば、５Ｍピクセルで十分な場合に、最も低い解像度のカメラの撮影画像から上述のように切り取られる所定範囲の画像データの画素数を画像データの統一用の画素数としてもよい。
【０３６６】
たとえば、上述の５Ｍピクセルの場合の所定範囲の画像の画素数を１００４×１００４を統一用の解像度としてもよい。
この実施の形態では、画像処理でよく使われる高速フーリエ変換において、データ量が２のべきであることが求められる（２のべきであると計算に有利である）ことから、統一する解像度を１０２４×１０２４としている。
【０３６７】
なお、ここで、５Ｍピクセルの場合の所定範囲の画像の画素数を１００４×１００４ではなく、２のべきである１０２４×１０２４としてもよい。この場合に、コンバージョンレンズ１ａを５Ｍピクセルのカメラにセットした場合に１０２４×１０２４の範囲を撮影できるものである必要がある。
【０３６８】
画素数の減少および増加に用いられるアルゴリズムにもよるが、一般的に同様の画質レベルならば画像の画素数を減らす場合よりも、画素数を増加する場合の方が処理が遅くなることと、画素数が統一された画像データが肌履歴データベース５ｂに記憶されることから画像データの画素数が少ない方が記憶容量が少なくて済むことと、診断・分析のため、またはその前処理のために画像処理を必要とする場合に画素数が少ない方が処理を速くできることなどから、各スマートフォン３のカメラで撮影された画像データの画素数を統一する場合に、肌の画像を用いての診断・分析に必要な画素数であれば、画素数が少ない方が好ましい。したがって、一般的にスマートフォン３で用いられるカメラの解像度としては、最も低い５Ｍピクセルのカメラを基準として統一用の画素数を決めることが好ましい。
【０３６９】
８Ｍピクセルおよび１３Ｍピクセルのカメラの場合には、上述の所定範囲の画像の統一用の画素数に対して画素数が大きいことから間引き法を用いて画像を縮小する処理を行う。この場合には、例えば、最近傍法、面積平均法（平均画素法、積分法）等の間引き法を用いて画素数を減らすことになる。
【０３７０】
このような画像の拡大（画素数の増加）・縮小（画素数の減少）を行うことにより、スマートフォン３によって搭載されるカメラの解像度が異なっても、統一された画素数の画像データを用いて肌状態の各種診断・分析が可能になる。
【０３７１】
このようなスマートフォン３のカメラにコンバージョンレンズ１ａをセットして撮影した画像データを、各スマートフォン３のカメラの画素数に係わらず、統一された一種類の画素数の画像データに変換する画質変換処理は、データ管理サーバ５側で行うものとしてもよいし、スマートフォン３側で行うものとしてもよい。
【０３７２】
すなわち、図３０に示される肌状態測定分析情報管理システムのように、データ管理サーバ５側に上述のスマートフォン３のカメラで撮影された画像データの画素数を統一するために画素数を減少または増加する画質変換処理を行う画質変換手段５ｓを設けてもよい。すなわち、データ管理サーバ５側で実行される画質変換処理プログラムにより上述の画質変換処理が行われることになる。
【０３７３】
この場合に、スマートフォン３から撮影された肌状態の診断・分析用の画像データと、画素数を示す画質データとがデータ管理サーバに送られ、画質変換手段５ｓによる画質変換処理により、例えば、画像データから正方形状の範囲が切り取られるとともに、切り取られた部分の画素数が例えば所定の画素数としての１０２４×１０２４に変換され、この画質変換された画像データが肌履歴データベース５ｂに記憶される。
【０３７４】
したがって、上述の画質データと画像変換前の肌の画像データとの両方を肌履歴データベース５ｂに記憶させる場合とでは、肌履歴データベース５ｂに記憶される肌の画像データが異なることになる。なお、画質データと画質変換前の肌の画像データとを肌履歴データベース５ｂに登録する場合であっても、肌の画像データの診断・分析時にスマートフォン３のカメラによって異なる場合がある肌の画像データの画素数を統一するための上述の画像変換処理を行うことになり、図３０に示すようにデータ管理サーバ５が画質変換手段５ｓを有することになる。
【０３７５】
また、図３１に示すように上述の画質変換処理をスマートフォン３側で行うものとしてもよく、スマートフォン３側に上述の画質変換処理を行う画質変換手段３ｆを設けてもよい。この画質変換手段３ｆとしての機能は、上述の専用アプリ５ｊの一部として上述の画質変換処理を行うプログラムにより実行可能になっている。スマートフォン３側で画質変換処理が行われ、画像データが上述のように正方形に切り取られるとともに統一された画像数とされた画像データが、データ管理サーバ５に送られ、肌履歴データベース５ｂに登録されるとともに、肌状態の分析・診断に用いられることになる。
【０３７６】
このようにスマートフォン３のカメラによって異なる可能性がある肌の画像データの画素数を統一することにより、診断・分析等の処理で使用される画像データの画素数が全て同じとなり、上述の処理を簡便にすることができるとともに、画像データの画素数の違いが診断・分析結果に影響するのを防止できる。例えば、同じ被写体を異なる画素数で撮影した場合に、撮影された肌の画像データの画素数の違いにより診断・分析結果が異なる可能性があるが、診断・分析する画像データの画素数を揃えることによって、同じ状態の肌に対する診断。分析結果が異なってしまうのを抑制できる。
【０３７７】
また、上述のように統一する画像データの画素数をスマートフォン３のカメラの一般的な解像度のうちの低い方の解像度に合わせるか、近似させることにより、診断・分析処理で必要とされる画像データの解像度より、無駄に大きな解像度の画像データを取り扱う必要がなくなり、肌履歴データベース５ｂの記憶容量の削減を図ることができるとともに、画像処理等によりデータ管理サーバ５にかかる負荷を低減することができる。
【０３７８】
言い換えれば、スマートフォン３のカメラを利用して肌を撮影し、撮影された肌の画像データを用いて肌状態の診断・分析を行う場合に、スマートフォン３によってカメラの解像度が異なることがあっても、問題なく肌の画像データの診断・分析を行うことができる。
【０３７９】
また、肌撮影専用の肌カメラとしての肌状態測定装置１を例えばＵＳＢ等の通信手段により接続して用いる場合に、同じ規格の肌カメラが用いられれば、肌カメラからスマートフォン３を介してデータ管理サーバ５に送られる画像データは、同じ画素数（解像度）となり、上述のような画質変換処理を必要としない。
【０３８０】
しかし、複数の規格の肌カメラ、すなわち、解像度の異なる複数種の肌カメラが使用可能になっているような場合には、上述のスマートフォン３のカメラを利用した場合と同様に入力される各画像データで画素数が同じになるように上述の画像変換処理を行うものとしてもよい。この場合にも、データ管理サーバ５に画質変換手段５ｓを設けてもよいし、スマートフォン３に画質変換手段３ｆを設けてもよい。
【０３８１】
なお、インターネット（ネットワーク）４を介する通信においては、データを暗号化して行うことが好ましい。また、クライアントからのデータの入力は、例えば、サーバ側がウェブサイトをインターネット４上に公開可能なウェブサーバとしての機能を有するものとし、クライアントは、ウェブサイトを表示可能なウェブブラウザとしての機能を有するものとし、ウェブサイトのウェブページ上でデータ入力を可能としてもうよい。この場合には、データ入力時の暗号化として、ＳＳＬ暗号や、ＴＬＳ暗号を好適に用いることができる。
【符号の説明】
【０３８２】
１        肌状態測定装置（肌状態測定手段）
３        スマートフォン（携帯端末、化粧品特定情報入力手段、履歴表示手段、未登録化粧品特定情報入力手段、仮登録手段，同時比較手段）
４        インターネット（ネットワーク）
５        データ管理サーバ（肌状態分析手段、履歴出力手段、未登録判定手段、連絡支援手段、ユーザー抽出手段、ランク抽出手段、ランク送信手段、登録許可手段）
５ｂ      肌履歴データベース（分析結果記憶手段）
５ｄ      使用化粧品履歴データベース（使用化粧品特定情報記憶手段）
５ｅ      詳細診断結果データベース（分析結果記憶手段）
５ｏ      お手入れカルテデータベース（使用化粧品特定情報記憶手段）
５ｐ      登録化粧品データベース（登録化粧品記憶手段）
５ｑ      化粧品メーカー管理データベース（化粧品メーカー連絡先記憶手段）
６        契約者クライアント
５１      ユーザーデータ用データベース
５２      測定データ用データベース
５３      データ分析用データベース
６１      化粧品会社Ａサーバ（肌状態分析手段）、化粧品会社Ｂサーバ（肌状態分析手段）
【図１】
2020102250.tif 000020
【図２】
2020102250.tif 000021
【図３】
2020102250.tif 000022
【図４】
2020102250.tif 000023
【図５】
2020102250.tif 000024
【図６】
2020102250.tif 000025
【図７】
2020102250.tif 000026
【図８】
2020102250.tif 000027
【図９】
2020102250.tif 000028
【図１０】
2020102250.tif 000029
【図１１】
2020102250.tif 000030
【図１２】
2020102250.tif 000031
【図１３】
2020102250.tif 000032
【図１４】
2020102250.tif 000033
【図１５】
2020102250.tif 000034
【図１６】
2020102250.tif 000035
【図１７】
2020102250.tif 000036
【図１８】
2020102250.tif 000037
【図１９】
2020102250.tif 000038
【図２０】
2020102250.tif 000039
【図２１】
2020102250.tif 000040
【図２２】
2020102250.tif 000041
【図２３】
2020102250.tif 000042
【図２４】
2020102250.tif 000043
【図２５】
2020102250.tif 000044
【図２６】
2020102250.tif 000045
【図２７】
2020102250.tif 000046
【図２８】
2020102250.tif 000047
【図２９】
2020102250.tif 000048
【図３０】
2020102250.tif 000049
【図３１】
2020102250.tif 000050